(57)【要約】      （修正有）【課題】無線システム内の１つ以上のユーザ機器の場所を決定するためのシステム及び方法を提供する。【解決手段】互いに密接に同期される２つ以上の共に位置するチャネルを有する場所管理ユニット経由で、基準信号を受信することと、受信された基準信号を利用して、１つ以上のユーザ機器の中の少なくとも１つのユーザ機器の場所を計算することと、を含むことができる。１０ｎｓ以下の標準偏差でのマルチチャネル同期を含む。２つの位置特定管理ユニットＬＭＵを含むことができ、各位置特定管理ユニットＬＭＵが内部同期を有するか、または１つの位置特定管理ユニットＬＭＵが信号と密接に同期される。【選択図】図２７
2019194607.tif 000002
【特許請求の範囲】
【請求項１】
無線システム内の１つ以上のユーザ機器（ＵＥ）の場所を決定するための方法であって、
２つ以上の共に位置するチャネル経由で基準信号を受信することと、
前記無線システムについての場所の所望の正確性に基づいて、所定時間以下の標準偏差内で前記２つ以上の共に位置するチャネルのタイミングを同期することと、
前記受信された基準信号を利用して、前記１つ以上のＵＥの中の少なくとも１つのＵＥの前記場所を計算することと、を含む、方法。
【請求項２】
前記受信された基準信号を受信及び処理するように構成されたマルチパス軽減プロセッサを利用することを更に含み、前記マルチパス軽減プロセッサが、高分解能スペクトル推定分析を利用して、前記受信された基準信号と関連付けられた空間的不明確さを減らし、前記高分解能スペクトル推定が、前記受信された基準信号のいくつかの周波数成分についてのモデルサイズを推定することと、前記周波数成分の複数の人工的な周波数の分布に基づいて、前記少なくとも１つのＵＥの前記場所を計算することと、を含む、請求項１に記載の方法。
【請求項３】
前記高分解能スペクトル推定分析が、１つ以上の高分解能スペクトル推定アルゴリズムを利用する、請求項２に記載の方法。
【請求項４】
前記１つ以上の高分解能スペクトル推定アルゴリズムが、行列束アルゴリズムを含む、請求項３に記載の方法。
【請求項５】
前記２つ以上の共に位置するチャネルのそれぞれが、場所管理ユニットカードまたはスモールセルを備える、請求項１に記載の方法。
【請求項６】
前記所定時間が、約３ｎｓ〜約１０ｎｓの間にある、請求項１に記載の方法。
【請求項７】
前記受信された基準信号が、アップリンク基準信号、ダウンリンク基準信号、分散型アンテナシステム基準信号、またはそれらの組み合わせである、請求項１に記載の方法。
【請求項８】
前記無線システムが、１つ以上のノードを含み、前記１つ以上のノードのそれぞれが、少なくとも１つのセクタを含み、各ノードのセクタが、位置特定サーバユニット（ＬＳＵ）と通信するように構成され、前記利用するステップが、前記ＬＳＵ、または前記１つ以上のノード及び前記ＬＳＵの組み合わせによって行われる、請求項１に記載の方法。
【請求項９】
前記無線システムが、１つ以上のノードを含み、前記１つ以上のノードのそれぞれが、少なくとも１つのセクタを含み、各ノードのセクタが、位置特定サーバユニット（ＬＳＵ）と通信するように構成され、前記利用するステップが、前記１つ以上のＵＥ、前記ＬＳＵ、前記１つ以上のノード、またはそれらの組み合わせによって行われる、請求項１に記載の方法。
【請求項１０】
前記１つ以上のＵＥが、前記ＬＳＵと通信するように構成される、請求項９に記載の方法。
【請求項１１】
前記１つ以上のＵＥ、前記ＬＳＵ、前記１つ以上のノード、またはそれらの組み合わせが、各ＵＥの前記場所を計算するためのマルチパス軽減及び基準信号処理を支援するように構成される、請求項１０に記載の方法。
【請求項１２】
前記無線システムが、ネットワークＳＵＰＬサーバ、Ｅ−ＳＭＬＣサーバ、ＬＣＳ（ＬｏＣａｔｉｏｎ  Ｓｅｒｖｉｃｅｓ：位置特定サービス）システム、またはそれらの組み合わせにおいて、ＬＳＵの機能性を含むように構成される、請求項１に記載の方法。
【請求項１３】
前記無線システムが、ＬＳＵ及び１つ以上のノードを含み、前記ＬＳＵが、前記無線システムの前記１つ以上のノード及びネットワークインフラストラクチャとインターフェースを取るように構成される、請求項１に記載の方法。
【請求項１４】
前記利用するステップが、１つ以上の位置線（ＬＯＰ）を利用することを含む、請求項１に記載の方法。
【請求項１５】
前記基準信号が、地理的に分散されたアンテナから受信される、請求項１に記載の方法。
【請求項１６】
無線システム内の１つ以上のユーザ機器（ＵＥ）の場所を決定するための方法であって、
２つ以上の共に位置するチャネルを有する第１の場所管理ユニット経由で基準信号を受信することと、
前記無線システムについての場所の所望の正確性に基づいて、第１の所定時間以下の第１の標準偏差内で前記２つ以上の共に位置するチャネルのタイミングを同期することと、
２つ以上の共に位置するチャネルを有する第２の場所管理ユニット経由で基準信号を受信することと、
前記無線システムについての前記場所の前記所望の正確性に基づいて、第２の所定時間以下の第２の標準偏差内で前記第２の場所管理ユニットの前記共に位置するチャネルのタイミングを同期することと、
前記第１の場所管理ユニットから前記受信された基準信号及び前記第２の場所管理ユニットから前記受信された基準信号を利用して、前記１つ以上のＵＥの中の少なくとも１つのＵＥの前記場所を計算することと、を含む、方法。
【請求項１７】
前記第１の場所管理ユニット及び前記第２の場所管理ユニットから前記基準信号を受信及び処理するように構成されたマルチパス軽減プロセッサを利用することを更に含み、前記マルチパス軽減プロセッサが、高分解能スペクトル推定分析を利用して、前記第１の場所管理ユニット及び前記第２の場所管理ユニットの前記受信された基準信号と関連付けられた空間的不明確さを減らし、前記高分解能スペクトル推定が、前記第１の場所管理ユニット及び前記第２の場所管理ユニットの前記受信された基準信号のいくつかの周波数成分についてのモデルサイズを推定することと、前記周波数成分の複数の人工的な周波数の分布に基づいて、前記少なくとも１つのＵＥの前記場所を計算することとを含む、請求項１６に記載の方法。
【請求項１８】
前記高分解能スペクトル推定分析が、１つ以上の高分解能スペクトル推定アルゴリズムを利用する、請求項１７に記載の方法。
【請求項１９】
前記１つ以上の高分解能スペクトル推定アルゴリズムが、行列束アルゴリズムを含む、請求項１８に記載の方法。
【請求項２０】
前記第１の所定時間及び前記第２の所定時間が、約３ｎｓ〜約１０ｎｓの間にある、請求項１６に記載の方法。
【請求項２１】
前記第２の所定時間が、約３ｎｓ〜約１０ｎｓの間にある、請求項１６に記載の方法。
【請求項２２】
前記受信された基準信号が、アップリンク基準信号、ダウンリンク基準信号、分散型アンテナシステム基準信号、またはそれらの組み合わせである、請求項１６に記載の方法。
【請求項２３】
前記利用するステップが、１つ以上の位置線（ＬＯＰ）を利用することを含む、請求項１６に記載の方法。
【請求項２４】
前記第１の場所管理ユニットが、地理的に分散されたアンテナから基準信号を受信する、請求項１６に記載の方法。
【請求項２５】
前記第２の場所管理ユニットが、地理的に分散されたアンテナから基準信号を受信する、請求項１６に記載の方法。
【請求項２６】
前記第１の所定時間及び前記第２の所定時間が、約１０ｎｓを超える、請求項１６に記載の方法。
【請求項２７】
無線システム内の１つ以上のユーザ機器（ＵＥ）の場所を決定するための方法であって、
互いに密接に時間同期される２つ以上の共に位置するチャネルを有する場所管理ユニット経由で、基準信号を受信することと、
前記受信された基準信号を利用して、前記１つ以上のＵＥの中の少なくとも１つのＵＥの場所を計算することと、を含む、方法。
【請求項２８】
前記２つ以上の共に位置するチャネルのそれぞれが、場所管理ユニットカードまたはスモールセルを備える、請求項２７に記載の方法。
【請求項２９】
前記２つ以上の共に位置するチャネルのそれぞれが、同じラックマウントシステムと一体化される、請求項２７に記載の方法。
【請求項３０】
前記共に位置するチャネルが、前記無線システムについての前記場所の所望の正確性に基づいて、所定時間の標準偏差内で同期される、請求項２７に記載の方法。
【請求項３１】
前記所定時間が、約３ｎｓ〜約１０ｎｓの間にある、請求項３０に記載の方法。
【請求項３２】
前記利用するステップが、１つ以上の位置線（ＬＯＰ）を利用することを含む、請求項２７に記載の方法。
【請求項３３】
前記基準信号が、地理的に分散されたアンテナから受信される、請求項２７に記載の方法。
【請求項３４】
前記基準信号が、前記２つ以上の共に位置するチャネルと通信するアンテナの共有グループから受信される、請求項２７に記載の方法。
【請求項３５】
前記場所管理ユニットまたは前記場所管理ユニットにサービス提供するアンテナが、ＷｉＦｉデバイスと共に位置する、請求項２７に記載の方法。
【請求項３６】
前記場所管理ユニットが、前記ＷｉＦｉデバイスと電源を共有する、請求項３５に記載の方法。
【請求項３７】
前記場所管理ユニットにサービス提供する前記アンテナが、前記ＷｉＦｉデバイスと電源を共有する、請求項３５に記載の方法。
【発明の詳細な説明】
【技術分野】
【０００１】
本実施形態は、無線通信及び無線ネットワークシステム、ならびにＲＴＬＳ（実時間位置特定サービス）及びＬＴＥベースの位置特定サービスを含む、物体の無線周波数（ＲＦ）ベースの識別、追跡、及び位置特定のためのシステムに関する。
【０００２】
関連出願の相互参照
本出願は、ＰＡＲＴＩＡＬＬＹ  ＳＹＮＣＨＲＯＮＩＺＥＤ  ＭＵＬＴＩＬＡＴＥＲＡＴＩＯＮ／ＴＲＩＬＡＴＥＲＡＴＩＯＮ  ＭＥＴＨＯＤ  ＡＮＤ  ＳＹＳＴＥＭ  ＦＯＲ  ＰＯＳＩＴＩＯＮＡＬ  ＦＩＮＤＩＮＧ  ＵＳＩＮＧ  ＲＦと題される、２０１４年８月１日に出願された米国仮特許出願第６２／０３２，３７１号の利益を主張し、また、ＭＵＬＴＩ−ＰＡＴＨ  ＭＩＴＩＧＡＴＩＯＮ  ＩＮ  ＲＡＮＧＥＦＩＮＤＩＮＧ  ＡＮＤ  ＴＲＡＣＫＩＮＧ  ＯＢＪＥＣＴＳ  ＵＳＩＮＧ  ＲＥＤＵＣＥＤ  ＡＴＴＥＮＵＡＴＩＯＮ  ＲＦ  ＴＥＣＨＮＯＬＯＧＹと題される、２０１２年８月３日に出願された米国特許出願第１３／５６６，９９３号の一部継続でもあり、この米国特許出願は、ＭＵＬＴＩ−ＰＡＴＨ  ＭＩＴＩＧＡＴＩＯＮ  ＩＮ  ＲＡＮＧＥＦＩＮＤＩＮＧ  ＡＮＤ  ＴＲＡＣＫＩＮＧ  ＯＢＪＥＣＴＳ  ＵＳＩＮＧ  ＲＥＤＵＣＥＤ  ＡＴＴＥＮＵＡＴＩＯＮ  ＲＦ  ＴＥＣＨＮＯＬＯＧＹと題される、２０１１年８月３日に出願された米国仮出願第６１／５１４，８３９号、ＭＵＬＴＩ−ＰＡＴＨ  ＭＩＴＩＧＡＴＩＯＮ  ＩＮ  ＲＡＮＧＥＦＩＮＤＩＮＧ  ＡＮＤ  ＴＲＡＣＫＩＮＧ  ＯＢＪＥＣＴＳ  ＵＳＩＮＧ  ＲＥＤＵＣＥＤ  ＡＴＴＥＮＵＡＴＩＯＮ  ＲＦ  ＴＥＣＨＮＯＬＯＧＹと題される、２０１１年１１月２日に出願された米国仮出願第６１／５５４，９４５号、ＭＵＬＴＩ−ＰＡＴＨ  ＭＩＴＩＧＡＴＩＯＮ  ＩＮ  ＲＡＮＧＥＦＩＮＤＩＮＧ  ＡＮＤ  ＴＲＡＣＫＩＮＧ  ＯＢＪＥＣＴＳ  ＵＳＩＮＧ  ＲＥＤＵＣＥＤ  ＡＴＴＥＮＵＡＴＩＯＮ  ＲＦ  ＴＥＣＨＮＯＬＯＧＹと題される、２０１２年３月３０日に出願された米国仮出願第６１／６１８，４７２号、及びＭＵＬＴＩ−ＰＡＴＨ  ＭＩＴＩＧＡＴＩＯＮ  ＩＮ  ＲＡＮＧＥＦＩＮＤＩＮＧ  ＡＮＤ  ＴＲＡＣＫＩＮＧ  ＯＢＪＥＣＴＳ  ＵＳＩＮＧ  ＲＥＤＵＣＥＤ  ＡＴＴＥＮＵＡＴＩＯＮ  ＲＦ  ＴＥＣＨＮＯＬＯＧＹと題される、２０１２年６月２０日に出願された米国仮出願第６１／６６２，２７０号の、３５Ｕ．Ｓ．Ｃ．§１１９（ｅ）下での利益を主張し、それらは、その全体が参照によって本明細書に組み込まれる。
【０００３】
米国特許出願第１３／５６６，９９３号は、ＭＵＬＴＩ−ＰＡＴＨ  ＭＩＴＩＧＡＴＩＯＮ  ＩＮ  ＲＡＮＧＥＦＩＮＤＩＮＧ  ＡＮＤ  ＴＲＡＣＫＩＮＧ  ＯＢＪＥＣＴＳ  ＵＳＩＮＧ  ＲＥＤＵＣＥＤ  ＡＴＴＥＮＵＡＴＩＯＮ  ＲＦ  ＴＥＣＨＮＯＬＯＧＹと題される、２０１１年５月１７日に出願された米国特許出願第１３／１０９，９０４号の一部継続であり、この米国特許出願は、ＭＥＴＨＯＤＳ  ＡＮＤ  ＳＹＳＴＥＭ  ＦＯＲ  ＭＵＬＴＩ−ＰＡＴＨ  ＭＩＴＩＧＡＴＩＯＮ  ＩＮ  ＴＲＡＣＫＩＮＧ  ＯＢＪＥＣＴＳ  ＵＳＩＮＧ  ＲＥＤＵＣＥＤ  ＡＴＴＥＮＵＡＴＩＯＮ  ＲＦ  ＴＥＣＨＮＯＬＯＧＹと題される、２０１１年１月１８日に出願された米国特許出願第１３／００８，５１９号（現在では、２０１１年６月２８日に発行された米国特許第７，９６９，３１１号）の継続であり、この米国特許出願は、ＭＥＴＨＯＤＳ  ＡＮＤ  ＳＹＳＴＥＭ  ＦＯＲ  ＲＥＤＵＣＥＤ  ＡＴＴＥＮＵＡＴＩＯＮ  ＩＮ  ＴＲＡＣＫＩＮＧ  ＯＢＪＥＣＴＳ  ＵＳＩＮＧ  ＲＦ  ＴＥＣＨＮＯＬＯＧＹと題される、２００９年７月１４日に出願された米国特許出願第１２／５０２，８０９号（現在では、２０１１年１月１８日に発行された米国特許第７，８７２，５８３号）の一部継続であり、この米国特許出願は、ＭＥＴＨＯＤＳ  ＡＮＤ  ＳＹＳＴＥＭ  ＦＯＲ  ＲＥＤＵＣＥＤ  ＡＴＴＥＮＵＡＴＩＯＮ  ＩＮ  ＴＲＡＣＫＩＮＧ  ＯＢＪＥＣＴＳ  ＵＳＩＮＧ  ＲＦ  ＴＥＣＨＮＯＬＯＧＹと題される、２００６年１２月１４日に出願された米国特許出願第１１／６１０，５９５号（現在では、２００９年７月１４日に発行された米国特許第７，５６１，０４８号）の継続であり、この米国特許出願は、ＭＥＴＨＯＤ  ＡＮＤ  ＳＹＳＴＥＭ  ＦＯＲ  ＲＥＤＵＣＥＤ  ＡＴＴＥＮＵＡＴＩＯＮ  ＩＮ  ＴＲＡＣＫＩＮＧ  ＯＢＪＥＣＴＳ  ＵＳＩＮＧ  ＭＵＬＴＩ−ＢＡＮＤ  ＲＦ  ＴＥＣＨＮＯＬＯＧＹと題される、２００５年１２月１５日に出願された米国仮特許出願第６０／５９７，６４９号の、３５Ｕ．Ｓ．Ｃ．§１１９（ｅ）下での利益を主張し、それらは、それらの全体が参照によって本明細書に組み込まれる。
【０００４】
ＭＥＴＨＯＤＳ  ＡＮＤ  ＳＹＳＴＥＭ  ＦＯＲ  ＲＥＤＵＣＥＤ  ＡＴＴＥＮＵＡＴＩＯＮ  ＩＮ  ＴＲＡＣＫＩＮＧ  ＯＢＪＥＣＴＳ  ＵＳＩＮＧ  ＲＦ  ＴＥＣＨＮＯＬＯＧＹと題される、２００９年７月１４日に出願された米国特許出願第１２／５０２，８０９号はまた、ＭＥＴＨＯＤＳ  ＡＮＤ  ＳＹＳＴＥＭ  ＦＯＲ  ＭＵＬＴＩ−ＰＡＴＨ  ＭＩＴＩＧＡＴＩＯＮ  ＩＮ  ＴＲＡＣＫＩＮＧ  ＯＢＪＥＣＴＳ  ＵＳＩＮＧ  ＲＥＤＵＣＥＤ  ＡＴＴＥＮＵＡＴＩＯＮ  ＲＦ  ＴＥＣＨＮＯＬＯＧＹと題される、２００８年１０月７日に出願された米国仮出願第６１／１０３，２７０号の３５Ｕ．Ｓ．Ｃ．§１１９（ｅ）下での利益も主張し、それらは、それらの全体が参照によって本明細書に組み込まれる。
【背景技術】
【０００５】
物体の相対的または地理的位置の決定のためのＲＦベースの識別及び場所発見システムが、単一物体または物体のグループを追跡するために、ならびに個人を追跡するために一般に使用される。従来の場所発見システムは、開かれた、屋外環境における位置決定のために使用されている。ＲＦベースの、全地球測位システム（ＧＰＳ）／全地球航法衛星システム（ＧＮＳＳ）、及び補助ＧＰＳ／ＧＮＳＳが、典型的には使用される。しかしながら、従来の場所発見システムは、閉じられた（すなわち、屋内）環境、ならびに屋外において物体を位置特定するときの一定の不正確性に悩まされる。
【０００６】
セルラー式無線通信システムは、屋内の、及びＧＰＳにあまり適していない環境にあるユーザ機器（ＵＥ）位置を特定する様々な方法を提供する。最も正確な方法は、多辺測量／三辺測量法に基づく測位技法である。例えば、ＬＴＥ（ロングタームエボリューション：Ｌｏｎｇ  Ｔｅｒｍ  Ｅｖｏｌｕｔｉｏｎ）規格リリース（Ｒｅｌｅａｓｅ）９は、ＤＬ−ＯＴＤＯＡ（ダウンリンクで観測される到着時間差：Ｄｏｗｎｌｉｎｋ  Ｏｂｓｅｒｖｅｄ  Ｔｉｍｅ  Ｄｉｆｆｅｒｅｎｃｅ  ｏｆ  Ａｒｒｉｖａｌ）を規定し、リリース１１は、多辺測量／三辺測量法の導関数であるＵ−ＴＤＯＡ（アップリンクでの到着時間差：Ｕｐｌｉｎｋ  Ｔｉｍｅ  Ｄｉｆｆｅｒｅｎｃｅ  ｏｆ  Ａｒｒｉｖａｌ）技法を規定する。
【０００７】
時間同期誤差は位置特定の正確性に影響を及ぼすので、多辺測量／三辺測量ベースのシステムのための基本要件は、単一の共通基準時間に対するシステムの完全かつ精密な時間同期である。セルラー式ネットワークにおいて、ＤＬ−ＯＴＤＯＡ及びＵ−ＴＤＯＡ位置特定方法はまた、ＤＬ−ＯＴＤＯＡの場合では、複数のアンテナからの伝送が時間同期されること、またはＵ−ＴＤＯＡの場合では、複数の受信機が時間同期されることを要求する。
【先行技術文献】
【特許文献】
【０００８】
【特許文献１】米国特許第７，５６１，０４８号明細書
【特許文献２】米国特許第５，５２５，９６７号明細書
【特許文献３】米国特許第７，８７２，５８３号明細書
【特許文献４】米国特許出願公開第２００８／０２８５５０５号明細書
【特許文献５】国際公開２０１０／１０４４３６号公報
【特許文献６】米国特許出願公開第２００３／００８１５６号明細書
【特許文献７】米国特許第７１６７４５６号明細書
【特許文献８】米国特許出願公開第２０１０／００９１８２６Ａ１号明細書
【特許文献９】米国特許出願公開第２０１１／０１２４３４７Ａ１明細書
【特許文献１０】米国特許第７，９６９，３１１号明細書
【特許文献１１】米国特許第８，３０５，２１５号明細書
【特許文献１２】米国非仮出願第１３／５６６，９９３号明細書
【非特許文献】
【０００９】
【非特許文献１】Ｒａｙ  Ｈ．Ｈａｓｈｅｍｉ，Ｗｉｌｌｉａｍ  Ｇ．Ｂｒａｄｌｅｙ他，「ＭＲＩ：ｔｈｅ  ｂａｓｉｃｓ」，２００３
【非特許文献２】Ｄａｎ  Ｄｏｂｋｉｎ，「Ｉｎｄｏｏｒ  Ｐｒｏｐａｇａｔｉｏｎ  ａｎｄ  Ｗａｖｅｌｅｎｇｔｈ」，ＷＪ  Ｃｏｍｍｕｎｉｃａｔｉｏｎｓ，Ｖ１．４  ７／１０／０２
【非特許文献３】Ｋｅｉ  Ｓａｋａｇｕｃｈｉ  ｅｔ  ａｌ．，  「Ｉｎｆｌｕｅｎｃｅ  ｏｆ  ｔｈｅ  Ｍｏｄｅｌ  Ｏｒｄｅｒ  Ｅｓｔｉｍａｔｉｏｎ  Ｅｒｒｏｒ  ｉｎ  ｔｈｅ  ＥＳＰＲＩＴ  Ｂａｓｅｄ  Ｈｉｇｈ  Ｒｅｓｏｌｕｔｉｏｎ  Ｔｅｃｈｎｉｑｕｅｓ」
【非特許文献４】Ｊａｋｕｂ  Ｍａｒｅｋ  Ｂｏｒｋｏｗｓｋｉ，「Ｐｅｒｆｏｒｍａｎｃｅ  ｏｆ  Ｃｅｌｌ  ＩＤ＋ＲＴＴ  Ｈｙｂｒｉｄ  Ｐｏｓｉｔｉｏｎｉｎｇ  Ｍｅｔｈｏｄ  ｆｏｒ  ＵＭＴＳ」
【非特許文献５】Ｊｉｍ  Ｚｙｒｅｎ，「Ｏｖｅｒｖｉｅｗ  ｏｆ  ｔｈｅ  ３ＧＰＰ  Ｌｏｎｇ  Ｔｅｒｍ  Ｅｖｏｌｕｔｉｏｎ  Ｐｈｙｓｉｃａｌ  Ｌａｙｅｒ」，ｗｈｉｔｅ  ｐａｐｅｒ
【非特許文献６】Ｔｓｕｎｇ−Ｈａｎ  Ｌｉｎ，ｅｔ  ａｌ．，「Ｍｉｃｒｏｓｃｏｐｉｃ  Ｅｘａｍｉｎａｔｉｏｎ  ｏｆ  ａｎ  ＲＳＳＩ−Ｓｉｇｎａｔｕｒｅ−Ｂａｓｅｄ  Ｉｎｄｏｏｒ  Ｌｏｃａｌｉｚａｔｉｏｎ  Ｓｙｓｔｅｍ」
【非特許文献７】Ｇｕｎｔｅｒ  Ｓｅｅｂｅｒ，「Ｓａｔｅｌｌｉｔｅ  Ｇｅｏｄｅｓｙ」，２００３
【発明の概要】
【発明が解決しようとする課題】
【００１０】
ＬＴＥ規格リリース９及びリリース１１は、位置特定の目的のために時間同期の正確性を規定しておらず、これを無線／セルラー式サービスプロバイダに託している。一方、これらの規格は、レンジング（ｒａｎｇｉｎｇ）の正確性に制限をもたらす。例えば、１０ＭＨｚのレンジング信号帯域幅を使用するとき、要件は、ＤＬ−ＯＴＤＯＡの場合には５０メートルにおいて６７％の信頼性であり、Ｕ−ＴＤＯＡの場合には１００メートルにおいて６７％の信頼性である。
【００１１】
上記した制限は、レンジング測定誤差と、精密同期の欠如によって引き起こされる誤差、例えば、時間同期誤差との組み合わせの結果である。関連するＬＴＥ試験仕様（３ＧＰＰ  ＴＳ３６．１３３バージョン１０．１．０リリース１０）及び他の文書から、同期誤差が均一に分布されることを仮定して、時間同期誤差を推定することが可能である。１つのかかる推定は、２００ｎｓ（ピークからピークまで１００ｎｓ）になる。ボイスオーバーＬＴＥ（ＶｏＬＴＥ）機能もまた、同期誤差が均一に分布されることを仮定して、セルラー式ネットワーク同期を１５０ナノ秒（ピークからピークまで７５ｎｓ）まで下げることを要求することに留意されたい。したがって、以後、ＬＴＥネットワークの時間同期の正確性が１５０ｎｓ以内であることが仮定される。
【００１２】
遠隔位置特定の正確性に関して、ＦＣＣ指令のＮＧ９１１は、５０メートル及び１００メートルの位置特定正確性要件を規定する。しかしながら、位置特定ベースのサービス（ＬＢＳ）市場の場合、屋内の位置特定要件は、３メートルにおいて６７％の信頼性と、はるかにより厳しい。そのようなものとして、１５０ｎｓの時間同期誤差（４３ｎｓの標準偏差）によってもたらされるレンジング及び位置特定誤差は、３メートルのレンジング誤差（１０ｎｓの標準偏差）よりもはるかに大きい。
【００１３】
セルラー式ネットワークの時間同期は、義務的なＦＣＣ  ＮＧ  Ｅ９１１緊急時位置特定要件を満たすのに十分であり得るが、この同期正確性は、著しくより正確な位置特定を要求する、ＬＢＳまたはＲＴＬＳシステムユーザのニーズを満たさない。それゆえ、ＬＢＳ及びＲＴＬＳを支援する目的のために、セルラー式／無線ネットワーク用の正確な時間同期の欠如によってもたらされる位置特定誤差を軽減するためのニーズが当分野において存在する。
【課題を解決するための手段】
【００１４】
本開示は、既存のシステムと関連する欠点のうちの１つ以上を実質的に取り除く実時間位置特定サービス（ＲＴＬＳ）システムを含む、物体の無線周波数（ＲＦ）ベースの識別、追跡、及び位置特定のための方法ならびにシステムに関する。本方法及びシステムは、部分的に（時間において）同期される受信機及び／または送信機を使用することができる。ある実施形態によれば、ＲＦベースの追跡及び位置特定が、セルラー式ネットワークにおいて実現されるが、任意の無線システム及びＲＴＬＳ環境においても実現され得る。提案されるシステムは、ソフトウェアで実現されるデジタル信号処理及びソフトウェア定義無線技術（ＳＤＲ）を使用することができる。デジタル信号処理（ＤＳＰ）も同様に使用され得る。
【００１５】
本明細書に記載される１つのアプローチは、各クラスタ内で精密に時間同期される受信機及び／または送信機のクラスタを利用する一方で、クラスタ内時間同期は、正確性がかなり低い可能性があるか、または少しも要求されない可能性がある。本実施形態は、全ての無線システム／ネットワークにおいて使用され得、単信、半二重、及び全二重の動作モードを含むことができる。以下に記載される実施形態は、ＯＦＤＭ変調及び／またはその派生物を含む、様々な変調型を利用する無線ネットワークを用いて動作する。それゆえ、以下に記載される実施形態は、ＬＴＥネットワークを用いて動作し、また、他の無線システム／ネットワークに適用することができる。
【００１６】
一実施形態に記載されるように、３ＧＰＰ  ＬＴＥセルラー式ネットワーク上で実現されるＲＦベースの追跡及び位置特定は、精密に（時間を）同期される受信機及び／または送信機クラスタの恩恵をかなり受ける。提案されるシステムは、ソフトウェア及び／またはハードウェアで実現されるデジタル信号処理を使用することができる。
【００１７】
実施形態の更なる特徴及び利点は、後続する記載に規定され、その記載から部分的に明らかになるか、または実施形態の実施によって習得され得る。実施形態の利点は、本記述及び本発明の特許請求の範囲ならびに添付図面において詳細に指摘された構造によって実現及び達成される。
【００１８】
前述の一般的な記載及び以下の発明を実施するための形態の両方は、例示的かつ説明的であって、特許請求されるような実施形態の更なる説明を提供することを意図することが理解される。
【図面の簡単な説明】
【００１９】
【図１】ある実施形態に従って、狭帯域幅レンジング信号周波数成分を例示する。
【図１Ａ】ある実施形態に従って、狭帯域幅レンジング信号周波数成分を例示する。
【図２】例示的な広帯域幅レンジング信号周波数成分を例示する。
【図３Ａ】ある実施形態に従って、ＲＦモバイル追跡及び位置特定システムのマスタならびにスレーブユニットのブロック図を例示する。
【図３Ｂ】ある実施形態に従って、ＲＦモバイル追跡及び位置特定システムのマスタならびにスレーブユニットのブロック図を例示する。
【図３Ｃ】ある実施形態に従って、ＲＦモバイル追跡及び位置特定システムのマスタならびにスレーブユニットのブロック図を例示する。
【図４】合成された広帯域ベースバンドレンジング信号のある実施形態を例示する。
【図５】ある実施形態に従って、キャンセルによる信号先行波（ｐｒｅｃｕｒｓｏｒ）の除去を例示する。
【図６】ある実施形態に従って、より少ないキャリアでの先行波キャンセルを例示する。
【図７】一方向伝達関数位相のある実施形態を例示する。
【図８】位置特定方法のある実施形態を例示する。
【図９】ＬＴＥ基準信号マッピングを例示する。
【図１０】強化型（ｅｎｈａｎｃｅｄ）セルＩＤ＋ＲＴＴ位置特定技法のある実施形態を例示する。
【図１１】ＯＴＤＯＡ位置特定技法のある実施形態を例示する。
【図１２】ある実施形態に従って、オペレータのｅＮＢ設備に設置された時間観測ユニット（ＴＭＯ）の動作を例示する。
【図１３】無線ネットワーク位置特定機器図のある実施形態を例示する。
【図１４】企業用途のための無線ネットワーク位置特定ダウンリンクエコシステムのある実施形態を例示する。
【図１５】ネットワークにわたる用途のための無線ネットワーク位置特定ダウンリンクエコシステムのある実施形態を例示する。
【図１６】企業用途のための無線ネットワーク位置特定アップリンクエコシステムのある実施形態を例示する。
【図１７】ネットワークにわたる用途のための無線ネットワーク位置特定アップリンクエコシステムのある実施形態を例示する。
【図１８】１つ以上のＤＡＳ及び／またはフェムト／スモールセルアンテナを含み得るＵＬ−ＴＤＯＡ環境のある実施形態を例示する。
【図１９】ＤＡＳ基地局及び／またはフェムト／スモールセルの代わりに使用され得る１つ以上のセルタワーを含み得る、図１８のものに類似するＵＬ−ＴＤＯＡのある実施形態を例示する。
【図２０】セルレベル位置特定のある実施形態を例示する。
【図２１】サービングセル及びセクタＩＤ位置特定のある実施形態を例示する。
【図２２】Ｅ−ＣＩＤにＡｏＡ位置特定を足した実施形態を例示する。
【図２３】ＡｏＡ位置特定のある実施形態を例示する。
【図２４】受信アンテナ間の大きく開いた及び近い距離を用いる、ＴＤＯＡのある実施形態を例示する。
【図２５】３つのセクタ配備のある実施形態を例示する。
【図２６】アンテナポートマッピングのある実施形態を例示する。
【図２７】ＬＴＥリリース１１Ｕ−ＴＤＯＡ位置特定技法のある実施形態を例示する。
【図２８】マルチチャネル位置特定管理ユニット（ＬＭＵ）の高レベルブロック図のある実施形態を例示する。
【図２９】位置特定サーバを用いる無線／セルラー式ネットワークにおけるＤＬ−ＯＴＤＯＡ技法のある実施形態を例示する。
【図３０】位置特定サーバを有する無線／セルラー式ネットワークにおけるＵ−ＴＤＯＡ技法のある実施形態を例示する。
【図３１】ラックマウント筐体の描写のある実施形態を例示する。
【図３２】ラックマウント筐体内にクラスタ化（一体化）された複数の単一チャネルＬＭＵの高レベルブロック図のある実施形態を例示する。
【図３３】ラックマウント筐体（１対１のアンテナ接続／マッピング）内にクラスタ化（一体化）された一体型ＬＭＵを有する、複数のスモールセルの高レベルブロック図のある実施形態を例示する。
【図３４】一体型ＬＭＵ及びＤＡＳの高レベルブロック図のある実施形態を例示する。
【図３５】一体型ＬＭＵ及びＷｉＦｉインフラストラクチャの高レベルブロック図のある実施形態を例示する。
【発明を実施するための形態】
【００２０】
実施形態の更なる理解をもたらすように含まれ、本明細書の一部分に組み込まれると共にそれを構成する、添付図面は、実施形態を例示し、その記載と共に実施形態の原理を説明するのに役立つ。
【００２１】
次に、本実施形態の好ましい実施形態に対して参照が詳細になされ、それらの実施例が、添付図面に例示される。
【００２２】
本実施形態は、ＲＴＬＳを含む、物体のＲＦベースの識別、追跡、及び位置特定のための方法ならびにシステムに関する。ある実施形態によれば、本方法及びシステムは、狭帯域幅レンジング信号を利用する。実施形態は、ＶＨＦ帯域において動作するが、ＨＦ、ＬＦ、及びＶＬＦ帯域、ならびにＵＨＦ帯域及びそれより高い周波数においてもまた使用され得る。それは、マルチパス軽減プロセッサを利用する。マルチパス軽減プロセッサの利用は、システムによって実現される追跡及び位置特定の正確性を増大させる。
【００２３】
実施形態は、ユーザが、複数の人間及び物体を追跡、位置特定、及び監視することを可能にする、小型で、携帯性の高いベースユニットを含む。各ユニットは、それ自体のＩＤを有する。各ユニットは、ＲＦ信号をそのＩＤと共にブロードキャストして、各ユニットは、リターン信号を送信し戻すことができ、その信号は、そのＩＤ、ならびに音声、データ、及び追加情報を含むことができる。各ユニットは、他のユニットから戻された信号を処理し、三角測量もしくは三辺測量法及び／または使用される他の方法に依存して、それらの相対的及び／または実際の場所を連続的に決定する。好ましい実施形態はまた、例えば、ＧＰＳデバイス、スマートホン、二方向無線機、及びＰＤＡなどの製品と容易に一体化され得る。結果として生じる製品は、独立型デバイスの機能の全てを有すると同時に、既存の表示部、センサ（例えば、高度計、ＧＰＳ、加速度計、及びコンパスなど）、ならびにそのホストの処理能力を活用する。例えば、本明細書に記載されるデバイス技術を用いるＧＰＳデバイスは、マップ上にユーザの場所を提供することができるのみならず、グループの他のメンバーの場所をマッピングすることができる。
【００２４】
ＦＰＧＡ実現形態に基づく好ましい実施形態のサイズは、約２×４×１インチ〜２×２×０．５インチであるか、または集積回路技術が向上するにつれて、それよりも小さくなる。使用される周波数に依存して、アンテナは、デバイスに一体化されるか、またはデバイス筐体から突き出る。ＡＳＩＣ（特定用途向け集積回路）ベース版型のデバイスは、ＦＰＧＡ及び他の電子構成要素の大部分の機能をユニットまたはタグ内に組み込むことができる。ＡＳＩＣベースの独立型製品は、１×０．５×０．５インチ以下のデバイスサイズを結果としてもたらす。アンテナサイズは、使用される周波数によって決定され、アンテナの部分は、筐体に一体化され得る。ＡＳＩＣベースの実施形態は、製品に一体化されるように設計され、チップセットから成り得るに過ぎない。マスタまたはタグユニット間に実質的な物理的サイズ差があるべきではない。
【００２５】
デバイスは、マルチパス軽減アルゴリズムの処理のために複数の周波数範囲（帯域）において動作する標準的なシステム構成要素（既製の構成要素）を使用することができる。デジタル信号処理用のソフトウェア及びソフトウェアで定義される無線通信が、使用され得る。最小限のハードウェアと組み合わされる信号処理ソフトウェアは、ソフトウェアによって定義された波形を伝送及び受信した無線通信の組み立てを可能にする。
【００２６】
特許文献１は、狭帯域幅レンジング信号システムを開示し、それによって、狭帯域幅レンジング信号が、例えば、（低帯域幅チャネルのうちのいくつかは、数十キロヘルツに広がり得るものの）数キロヘルツのみの幅である音声チャネルを使用して、低帯域幅チャネルに適合するように設計される。これは、数百キロヘルツから数十メガヘルツ幅までのチャネルを使用する従来の場所発見システムとは対照的である。
【００２７】
この狭帯域幅レンジング信号システムの利点は、以下のとおりである。すなわち、１）低動作周波数／帯域において、従来の場所発見システムのレンジング信号帯域幅は、搬送（動作）周波数値を超える。それゆえ、かかるシステムは、ＨＦを含む、ＬＦ／ＶＬＦ及び他のより低い周波数帯域において配備されることができない。従来の場所発見システムとは異なり、特許文献１に記載された狭帯域幅レンジング信号システムは、そのレンジング信号帯域幅が搬送周波数値をはるかに下回るので、ＬＦ、ＶＬＦ、及び他の帯域上で成功裏に配備され得る。２）例えば、最大ＵＨＦ帯域まで、ＲＦスペクトル（いくつかのＶＬＦ、ＬＦ、ＨＦ、及びＶＨＦ帯域）の下端において、ＦＣＣが許容可能チャネル帯域幅（１２〜２５ｋＨｚ）を厳しく制限し、それは、従来のレンジング信号を使用不可能にさせるので、従来の場所発見システムは使用されることができない。従来の場所発見システムとは異なり、狭帯域幅レンジング信号システムのレンジング信号帯域幅は、ＦＣＣ規制及び他の国際的なスペクトル規制機関に十分に準拠する。３）動作周波数／帯域とは独立して、狭帯域幅信号が、広帯域幅信号と比較して本質的に高いＳＮＲ（信号対雑音比）を有することは周知である（非特許文献１を参照）。これは、ＵＨＦ帯域を含む、それが動作する周波数／帯域とは独立して、狭帯域幅レンジング信号場所発見システムの動作範囲を増大させる。
【００２８】
それゆえ、従来の場所発見システムとは異なり、狭帯域幅レンジング信号場所発見システムは、マルチパス現象があまり顕著ではない、ＲＦスペクトル、例えば、ＬＦ／ＶＬＦ帯域に至るまで、ＶＨＦ及びより低い周波数帯域の下端上で、配備され得る。同時に、狭帯域幅レンジング場所発見システムはまた、ＵＨＦ帯域上及びそれ以上で配備され得、レンジング信号ＳＮＲを改良し、結果として、場所発見システムの動作範囲を増大する。
【００２９】
マルチパス、例えば、ＲＦエネルギー反射を最小限にするために、ＶＬＦ／ＬＦ帯域上で動作することが望ましい。しかしながら、これらの周波数では、携帯型／モバイルアンテナの効率が非常に小さい（ＲＦ波長に対する小さなアンテナ長さ（サイズ）が原因で、約０．１％以下である）。加えて、これらの低周波数では、自然源及び人為源からの雑音レベルが、高周波数／帯域、例えばＶＨＦ上のものよりもかなり高い。これらの２つの現象は共に、場所発見システムの適用可能性、例えば、その動作範囲及び／または移動性／携帯性を制限し得る。したがって、動作範囲及び／または移動性／携帯性が非常に重要である一定用途の場合、より高いＲＦ周波数／帯域、例えば、ＨＦ、ＶＨＦ、ＵＨＦ、及びＵＷＢが使用され得る。
【００３０】
ＶＨＦ及びＵＨＦ帯域では、自然源及び人為源からの雑音レベルが、ＶＬＦ、ＬＦ、及びＨＦ帯域と比較して著しく低く、ＶＨＦ及びＨＦ周波数では、マルチパス現象（例えば、ＲＦエネルギー反射）が、ＵＨＦ及びより高い周波数におけるものほど厳しくない。また、ＶＨＦでは、アンテナ効率が、ＨＦ及びより低い周波数におけるものよりも著しく良く、ＶＨＦでは、ＲＦ貫通能力が、ＵＨＦにおけるものよりもかなり良い。それゆえ、ＶＨＦ帯域は、良好な折衷案をモバイル／携帯型用途に提供する。一方、いくつかの特別な場合、例えば、ＶＨＦ周波数（もしくはより低い周波数）が電離圏を貫通することができない（または偏向／屈折させられる）ＧＰＳでは、ＵＨＦが良い選択肢であり得る。しかしながら、いずれの場合（及び全ての場合／用途）において、狭帯域幅レンジング信号システムは、従来の広帯域幅レンジング信号場所発見システムよりも有利になる。
【００３１】
実際の用途（複数可）は、正確な技術仕様（例えば、電力、放射、帯域幅、及び動作周波数／帯域など）を決定する。狭帯域幅レンジングは、ユーザが、使用許諾を受信することもしくは使用許諾からの免除を受信すること、またはＦＣＣに規定されるような使用許諾を得ていない帯域を使用することを可能にする。なぜなら、狭帯域レンジングは、ＦＣＣに規定される最も厳しい狭帯域幅、すなわち、６．２５ｋＨｚ、１１．２５ｋＨｚ、１２．５ｋＨｚ、２５ｋＨｚ、及び５０ｋＨｚを含む、多くの異なる帯域幅／周波数上の動作を可能にし、適切なセクションについての対応する技術的要件に準拠するからである。結果として、複数のＦＣＣセクション及びかかるセクション内の免除が適用可能である。適用可能な主なＦＣＣ規制は、４７ＣＦＲ  Ｐａｒｔ９０−Ｐｒｉｖａｔｅ  Ｌａｎｄ  Ｍｏｂｉｌｅ  Ｒａｄｉｏ  Ｓｅｒｖｉｃｅｓ、４７ＣＦＲ  Ｐａｒｔ９４  ｐｅｒｓｏｎａｌ  Ｒａｄｉｏ  Ｓｅｒｖｉｃｅｓ、４７ＣＦＲ  Ｐａｒｔ１５−Ｒａｄｉｏ  Ｆｒｅｑｕｅｎｃｙ  Ｄｅｖｉｃｅｓである。（比較すると、この文脈における広帯域信号は、数百ＫＨｚから最大１０〜２０ＭＨｚまでである）
【００３２】
典型的には、Ｐａｒｔ９０及Ｐａｒｔ９４について、ＶＨＦ実現形態は、ユーザが、一定の免除（低電力無線通信サービスが一例である）下でデバイスを最大１００ｍＷまで動作させることを可能にする。一定用途の場合、ＶＨＦ帯域において許容可能な伝送される電力が２〜５ワットである。９００ＭＨｚ（ＵＨＦ帯域）の場合、それは１Ｗである。１６０ｋＨｚ〜１９０ｋＨｚ周波数（ＬＦ帯域）上で、許容可能な伝送される電力は、１ワットである。
【００３３】
狭帯域レンジングは、異なるスペクトル許容量のうちの全てではないが多くに準拠することができ、かつ正確なレンジングを可能にすると同時に、依然として、最も厳しい規制要件に準拠する。これは、ＦＣＣだけについてではなく、欧州、日本、及び韓国を含む世界全体にわたってスペクトルの使用を規制する他の国際機関についても、当てはまる。
【００３４】
以下は、使用される一般的な周波数のリストであり、典型的な電力使用量及び距離を用いて、タグは、実世界環境における別の読み取り機と通信することができる（非特許文献２を参照）。
【００３５】
――――――――――――――――――――――――――――――――――――
９１５ＭＨｚ    １００ｍＷ    １５０フィート
２．４ＧＨｚ    １００ｍＷ    １００フィート
５．６Ｇｈｚ    １００ｍＷ    ７５フィート
――――――――――――――――――――――――――――――――――――
【００３６】
提案されるシステムは、ＶＨＦ周波数で動作し、ＲＦ信号を送信及び処理するためのプロプライエタリ方法を利用する。より具体的には、それは、ＤＳＰ技法及びソフトウェアで定義される無線（ＳＤＲ）を使用して、ＶＨＦ周波数における狭帯域幅要件の制限を克服する。
【００３７】
より低い（ＶＨＦ）周波数での動作は、散乱を削減し、かなり良好な壁貫通をもたらす。最終的な結果は、普通に使用される周波数を超える範囲で約１０倍の増大である。例えば、プロトタイプの測定された範囲を、上記にリスト化したＲＦＩＤ技術のものと比較する。
【００３８】
――――――――――――――――――――――――――――――――――――
２１６ＭＨｚ    １００ｍＷ    ７００フィート
――――――――――――――――――――――――――――――――――――
【００３９】
狭帯域レンジング技法を利用すると、普通に使用される周波数の範囲が、著しく増大することになり、典型的な電力使用量及び距離を用いて、タグ通信範囲は、実世界環境における別の読み取り機と通信すること可能になる。
【００４０】
――――――――――――――――――――――――――――――――――――
から              まで
９１５ＭＨｚ    １００ｍＷ    １５０フィート    ５００フィート
２．４ＧＨｚ    １００ｍＷ    １００フィート    ４５０フィート
５．６Ｇｈｚ    １００ｍＷ      ７５フィート    ４００フィート
――――――――――――――――――――――――――――――――――――
【００４１】
バッテリ消費は、設計、伝送される電力、及びデバイスのデューティサイクル、例えば、２つの連続する距離（場所）測定間の時間間隔と相関している。多くの用途において、デューティサイクルは、大きく、１０Ｘ〜１０００Ｘである。大きなデューティサイクル、例えば１００Ｘを用いる用途では、１００ｍＷの電力を伝送するＦＰＧＡバージョンが、約３週間の稼働時間を有する。ＡＳＩＣベースのバージョンは、稼働時間を１０倍だけ増大することが予想される。また、ＡＳＩＣは、本質的により低い雑音レベルを有する。それゆえ、ＡＳＩＣベースのバージョンはまた、約４０％だけ動作範囲を増大し得る。
【００４２】
当業者は、実施形態が、システムの長い動作範囲に妥協しないものの、ＲＦの厳しい環境（例えば、建物、都市回廊等）における場所発見の正確性を著しく増大させることを認識するであろう。
【００４３】
典型的には、追跡及び位置特定システムが、追跡−位置特定−ナビゲート方法を利用する。これらの方法は、到着時間（ＴＯＡ）、到着時間差（ＤＴＯＡ）、ならびにＴＯＡ及びＤＴＯＡの組み合わせを含む。距離測定技法として到着時間（ＴＯＡ）は、一般に、特許文献２に記載されている。ＴＯＡ／ＤＴＯＡベースのシステムは、ＲＦレンジング信号の直接見通し線（ＤＬＯＳ：Ｄｉｒｅｃｔ−Ｌｉｎｅ−Ｏｆ−Ｓｉｔｅ）飛行時間、例えば、時間遅延を測定し、それは、次いで、距離範囲に変換される。
【００４４】
ＲＦ反射（例えば、マルチパス）の場合では、様々な遅延時間を伴うＲＦレンジング信号の複数の複製が、ＤＬＯＳ  ＲＦレンジング信号の上に重畳させられる。狭帯域幅レンジング信号を使用する追跡−位置特定システムは、マルチパス軽減を用いずに、ＤＬＯＳ信号及び反射信号を区別することができない。結果として、これらの反射信号は、推定されるレンジング信号ＤＬＯＳ飛行時間において誤差を誘発し、それは、次いで、範囲推定の正確性に影響を及ぼす。
【００４５】
実施形態は、有利に、マルチパス軽減プロセッサを使用して、ＤＬＯＳ信号及び反射信号を分離する。それゆえ、実施形態は、推定されるレンジング信号ＤＬＯＳ飛行時間における誤差を著しく減らす。提案されるマルチパス軽減方法は、全てのＲＦ帯域上で使用され得る。それはまた、広帯域幅レンジング信号場所発見システムと共に使用され得る。しかも、それは、拡散スペクトル技法、例えば、ＤＳＳ（直接拡散スペクトル）及びＦＨ（周波数ホッピング）などを含む、様々な変調／復調技法を支援することができる。
【００４６】
それに加えて、雑音低減方法が、方法の正確性を更に改良するために適用されてもよい。これらの雑音低減方法は、限定されるものではないが、可干渉性加算、非干渉性加算、整合（Ｍａｔｃｈｅｄ）フィルタリング、時間ダイバーシティ技法等を含むことができる。マルチパス干渉誤差の残りは、後処理技法、例えば、（例として、ビタビアルゴリズムのような）最尤推定、最小分散推定（カルマンフィルタ）等を適用することによって更に低減され得る。
【００４７】
実施形態は、単信、半二重、及び全二重動作モードを用いるシステムにおいて使用され得る。全二重動作は、ＲＦ送受信機に関する複雑性、費用、及びロジスティクスの観点から非常に多くを要求し、それは、携帯型／モバイルデバイス実現形態におけるシステム動作範囲を制限する。半二重動作モードでは、（「マスタ」と称されることが多い）読み取り機及び（場合によっては、「スレーブ」または「対象」とも称される）タグが、マスタまたはスレーブが任意の所与の時間のみに伝送することを可能にするプロトコルによって制御される。
【００４８】
送信及び受信を交互にすることは、単一周波数が、距離測定において使用されることを可能にする。かかる配設は、全二重システムと比較して、システムの費用及び複雑性を減らす。単信動作モードは、概念的により単純であるが、レンジング信号シーケンスの開始を含む、マスタ及び対象ユニット（複数可）間の事象のより厳密な同期を要求する。
【００４９】
本実施形態では、狭帯域幅レンジング信号マルチパス軽減プロセッサが、レンジング信号帯域幅を増大させない。それは、異なる周波数成分を使用して、有利に、狭帯域幅レンジング信号の伝搬を可能にする。更なるレンジング信号処理が、超分解能スペクトル推定アルゴリズム（ＭＵＳＩＣ、ｒｏｏｔＭＵＳＩＣ、ＥＳＰＲＩＴ）及び／またはＲＥＬＡＸのような統計的アルゴリズムを利用することによって周波数領域において、あるいは合成レンジング信号を比較的大きな帯域幅と組み立てて、更なる処理をこの信号に適用することによって時間領域において、実行され得る。狭帯域幅レンジング信号の異なる周波数成分は、擬似乱数的に選択され得、それはまた、周波数において連続的であるかまたは間隔を離され得、それは、周波数において均一及び／または不均一な間隔を有することができる。
【００５０】
実施形態は、マルチパス軽減技術を拡張する。狭帯域レンジングのための信号モデルは、（この文書の他に導入されるように）複素指数であり、その複素指数の周波数は、その範囲に同類項を足したものによって定義された遅延に正比例し、その同類の遅延は、マルチパスに関連した時間遅延によって定義される。そのモデルは、信号構造の実際の実現形態、例えば、段階的周波数、線形周波数変調等とは独立している。
【００５１】
直接パス及びマルチパス間の周波数分離は、名目上、極端に小さく、標準的な周波数領域処理は、直接パス範囲を推定するのに十分ではない。例えば、３０メートル（１００．０７ナノ秒の遅延）の範囲における５ＭＨｚ上での１００ＫＨｚの段階的な率における段階的周波数レンジング信号は、０．０６２８７５ラジアン／秒の周波数を結果としてもたらす。３５メートルのパス長でのマルチパス反射は、０．０７３３５５の周波数を結果としてもたらす。分離は、０．０１０４７９２である。５０個のサンプル可観測量の周波数分解能は、０．１２５６６Ｈｚの固有の周波数分解能を有する。その結果として、反射されたパスからの直接パスの分離のために従来の周波数推定技法を使用して直接パス範囲を正確に推定することができない。
【００５２】
この制限を克服するために、実施形態は、部分空間分解高分解能スペクトル推定方法論及び多モードのクラスタ分析の実現形態の固有の組み合わせを使用する。部分空間分解技術は、観測されたデータの推定される共分散行列を２つの直交部分空間、雑音部分空間及び信号部分空間に分けることに頼る。部分空間分解方法論の裏にある理論は、雑音部分空間上への可観測量の投影が雑音のみから成り、信号部分空間上への可観測量の投影が信号のみから成ることである。
【００５３】
超分解能スペクトル推定アルゴリズム及びＲＥＬＡＸアルゴリズムは、雑音の存在下で、スペクトル内の近くに位置する周波数（正弦波）を区別することができる。周波数は、調和関係にある必要はなく、デジタルフーリエ変換（ＤＦＴ）とは異なり、信号モデルは、いかなる人工的な周期性も導入しない。所与の帯域幅について、これらのアルゴリズムは、フーリエ変換よりも著しく高い分解能を提供する。それゆえ、直接見通し線（ＤＬＯＳ）が、高い正確性で他のマルチパス（ＭＰ）と確実に区別され得る。同様に、人工的に作り出された合成広範囲帯域幅レンジング信号に、後に説明される閾値方法を適用することは、高い正確性でＤＬＯＳを他のパスと確実に区別することを可能にさせる。
【００５４】
実施形態に従って、デジタル信号処理（ＤＳＰ）が、マルチパス軽減プロセッサによって利用され得、ＤＬＯＳを他のＭＰパスと確実に区別する。種々の超分解能アルゴリズム／技法が、スペクトル分析（スペクトル推定）技術において存在する。実施例は、部分空間ベースの方法、すなわち、複数の信号特徴付け（ＭＵＳＩＣ：ＭＵｌｔｉｐｌｅ  ＳＩｇｎａｌ  Ｃｈａｒａｃｔｅｒｉｚａｔｉｏｎ）アルゴリズムまたはＲｏｏｔ−ＭＵＳＩＣアルゴリズム、回転不変性技法アルゴリズムによる信号パラメータの推定（ＥＳＰＲＩＴ）、ピサレンコ高調波分解（ＰＨＤ）アルゴリズム、ＲＥＬＡＸアルゴリズム等を含む。
【００５５】
上記の超分解能アルゴリズムは、アンテナに影響を及ぼす信号が十分に相関させられないという前提で動く。それゆえ、性能は、マルチパス伝搬において遭遇され得るような大いに相関させられる信号環境において激しく低下する。マルチパス軽減技法は、空間平滑化と呼ばれる前処理方式を含み得る。結果として、マルチパス軽減プロセスは、コンピュータ計算集約的になり得、複雑になり得、すなわち、システム実現形態の複雑性を増大させる。システムコンピュータ計算費用及び実現形態の複雑度が低いマルチパス軽減が、超分解能行列束（ＭＰ）アルゴリズムを使用することによって達成され得る。ＭＰアルゴリズムは、非検索手順として分類される。したがって、それは、コンピュータ計算的にあまり複雑ではなく、他の超分解能アルゴリズムに使用される検索手順において遭遇される問題を解消する。その上、ＭＰアルゴリズムは、相関のある信号に対して敏感ではなく、単一チャネル推定のみを要求し、また、可干渉性マルチパス成分と関連付けられた遅延を推定することもできる。
【００５６】
上述した超分解能アルゴリズムの全てにおいて、入力（すなわち、受信）信号は、周波数の複素指数及びそれらの複素振幅の一次結合としてモデル化される。マルチパスの場合では、受信信号は、以下のとおりになる。
【００５７】
【数１】
2019194607.tif 000003
（１）
【００５８】
ここで、
【数２】
2019194607.tif 000004
は、伝送される信号であり，ｆは、動作周波数であり、Ｌは、マルチパス成分の数であり、
【数３】
2019194607.tif 000005
及びτＫは、それぞれ、Ｋ番目のパスの複素減衰及び伝搬遅延である。マルチパス成分は、伝搬遅延が昇順に考慮されるように添え字を付される。結果として、このモデルでは、τ０が、ＤＬＯＳパスの伝搬遅延を示す。明らかに、τ０値は、全てのτＫのうちの最小値であるので、最も興味のあるものである。位相θＫは、通常、均一確率密度関数Ｕ（０，２π）を用いて１つの測定サイクルから別のサイクルまで無作為と仮定される。それゆえ、我々は、αＫ＝一定（すなわち、一定値）であることを仮定する。
【００５９】
パラメータαＫ及びτＫは、建物内及び建物の周りの人間ならびに機器の動きを反映する無作為の時変関数である。しかしながら、それらの変動率は、測定時間間隔と比較して非常に遅いので、これらのパラメータは、所与の測定サイクル内の時変確率変数として取り扱われ得る。
【００６０】
これらのパラメータの全ては、周波数に依存する。なぜなら、それらは、無線信号特性、例えば、透過及び反射係数などに関連するからである。しかしながら、実施形態では、動作周波数は、ごくわずかしか変化しない。それゆえ、上述したパラメータは、周波数に依存しないと仮定され得る。
【００６１】
式（１）は、
【数４】
2019194607.tif 000006
（２）
として周波数領域において表わされ得、ここで、Ａ（ｆ）は、受信信号の複素振幅であり、（２π×τＫ）は、超分解能アルゴリズムによって推定される人工的な「周波数」であり、動作周波数ｆは、独立変数であり、αＫは、Ｋ番目のパス振幅である。
【００６２】
式（２）において、（２π×τＫ）の超分解能推定及び続いてτＫ値は、連続周波数に基づく。実際には、有限数の測定値が存在する。それゆえ、変数ｆは、連続的な変数ではなくて、むしろ不連続的なものになる。したがって、複素振幅Ａ（ｆ）は、以下のように計算され得る。
【００６３】
【数５】
2019194607.tif 000007
（３）
【００６４】
ここで、
【数６】
2019194607.tif 000008
は、不連続周波数ｆｎにおける不連続複素振幅推定（すなわち、測定値）である。
【００６５】
式（３）において、
【数７】
2019194607.tif 000009
は、周波数ｆｎの正弦波信号の振幅及び位相として、それがマルチパスチャネルを通って伝搬した後に、解釈され得る。全てのスペクトル推定ベースの超分解能アルゴリズムは、複素入力データ（すなわち、複素振幅）を要求することに留意する。
【００６６】
いくつかの場合では、実信号データ、例えば、
【数８】
2019194607.tif 000010
を複素信号（例えば、分析信号）に変換することができる。例えば、かかる変換は、ヒルベルト変換または他の方法を使用することによって達成され得る。しかしながら、短距離の場合では、値τ０は非常に小さく、それは、非常に低い（２π×τＫ）「周波数」を結果としてもたらす。
【００６７】
これらの低い「周波数」は、ヒルベルト変換（または他の方法）実現形態に関する問題を引き起こす。それに加えて、振幅値（例えば、
【数９】
2019194607.tif 000011
）のみが使用される場合には、推定される周波数の数が、（２π×τＫ）「周波数」のみではなくて、それらの組み合わせもまた含む。概して、未知の周波数の数の増大は、超分解能アルゴリズムの正確性に影響を及ぼす。それゆえ、他のマルチパス（ＭＰ）のパスからのＤＬＯＳパスの信頼できる及び正確な分離は、複素振幅推定を要求する。
【００６８】
以下は、マルチパスの存在下で複素振幅
【数１０】
2019194607.tif 000012
を取得するタスクの間の方法及びマルチパス軽減プロセッサ動作の記載である。記載は、半二重動作モードに焦点を合わされるが、それは、全二重モードに容易に拡張され得ることに留意する。単信動作モードは、半二重モードのサブセットであるが、追加的な事象同期を要求する。
【００６９】
半二重動作モードでは、（「マスタ」として称されることが多い）読み取り機及び（「スレーブ」もしくは「対象」としても称される）タグが、マスタまたはスレーブが、任意の所与の時間にのみ伝送することを可能にするプロトコルによって制御される。この動作モードでは、タグ（対象デバイス）が、応答機として機能する。タグは、読み取り機（マスタデバイス）からレンジング信号を受信し、それをメモリ内に記憶し、次いで、一定時間（遅延）後、信号を再送してマスタに戻す。
【００７０】
レンジング信号の実施例は、図１及び図１Ａに示される。例示的なレンジング信号は、連続的である異なる周波数成分を利用する。擬似ランダムを含む、周波数及び／もしくは時間において間隔を置かれた、または直交する等の他の波形がまた、レンジング信号帯域幅が狭いままである限り、使用され得る。図１では、全ての周波数成分についての期間Ｔｆが、レンジング信号狭帯域幅特性を取得するのに十分長い。
【００７１】
異なる周波数成分を有するレンジング信号の別の変形が図２に示される。それは、個々の周波数を狭帯域にさせるために長い期間にわたって伝送される複数の周波数（ｆ１、ｆ２、ｆ３、ｆ４、ｆｎ）を含む。かかる信号は、より効率的であるが、それは、広帯域幅内を占め、広帯域幅レンジング信号は、ＳＮＲに影響を及ぼし、それは、次いで、動作範囲を減らす。また、かかる広帯域幅レンジング信号は、ＶＨＦ帯域／またはより低い周波数帯域に関するＦＣＣ要件に違反する。しかしながら、一定用途では、この広帯域幅レンジング信号が、既存の信号及び伝送プロトコルへのより容易な統合を可能にする。また、かかる信号は、追跡−位置特定時間を減らす。
【００７２】
これらの複数の周波数（ｆ１、ｆ２、ｆ３、ｆ４、ｆｎ）バーストはまた、連続的及び／または擬似ランダムであってもよいし、周波数及び／または時間において間隔を置かれてもよいし、あるいは直交等であってもよい。
【００７３】
狭帯域レンジングモードは、広帯域レンジングと比較して、瞬時の広帯域レンジングの形態で正確性をもたらすと同時に、この正確性が実現され得る範囲を増大させる。固定された伝送電力では、狭帯域レンジング信号の受信機における（適切な信号帯域幅内の）ＳＮＲが、広帯域レンジング信号の受信機におけるＳＮＲよりも大きいので、この性能が達成される。ＳＮＲ利得は、広帯域レンジング信号の総帯域幅及び狭帯域レンジング信号の各チャネルの帯域幅の比率に匹敵する。これは、例えば、静止している及びゆっくり動いている対象、例えば、歩いているまたは走っている人間などのために、非常に急速なレンジングが要求されないときに、良好なトレードオフを提供する。
【００７４】
マスタデバイス及びタグデバイスは、同一であり、マスタまたは応答機モードのいずれかにおいて動作することができる。全てのデバイスは、データ／遠隔制御通信チャネルを含む。デバイスは、情報を交換することができ、マスタデバイス（複数可）は、タグデバイスを遠隔に制御することができる。図１に描写されるこの例では、マスタ（すなわち、読み取り機）の動作の間に、マルチパス軽減プロセッサが、タグ（複数可）へのレンジング信号を発生させて、一定遅延後、マスタ／読み取り機が、タグ（複数可）から繰り返されたレンジング信号を受信する。
【００７５】
その後、マスタのマルチパス軽減プロセッサは、受信されたレンジング信号を、マスタから最初に送信されたものと比較して、全ての周波数成分ｆｎについて振幅及び位相の形態における
【数１１】
2019194607.tif 000013
推定値を決定する。式（３）において、
【数１２】
2019194607.tif 000014
が、一方向レンジング信号トリップについて定義されることに留意する。実施形態では、レンジング信号が、ラウンドトリップを行う。換言すれば、それは、マスタ／読み取り機から対象／スレーブへの及び対象／スレーブからマスタ／読み取り機に戻る両方向に移動する。それゆえ、マスタに戻って受信される、このラウンドトリップ信号複素振幅は、以下のように計算され得る。
【００７６】
【数１３】
2019194607.tif 000015
（４）
【００７７】
例えば、適合フィルタリング
【数１４】
2019194607.tif 000016
及び
【数１５】
2019194607.tif 000017
を含む、複素振幅ならびに位相値を推定するために利用可能な多くの技法が存在する。実施形態によれば、複素振幅決定は、マスタ及び／またはタグ受信機ＲＳＳＩ（受信信号強度インジケータ）値から導出される
【数１６】
2019194607.tif 000018
値に基づく。位相値
【数１７】
2019194607.tif 000019
は、読み取り機／マスタによって受信されて戻されたベースバンドレンジング信号位相と、元の（すなわち、読み取り機／マスタによって送信された）ベースバンドレンジング信号位相を比較することによって取得される。それに加えて、マスタ及びタグデバイスは、独立したクロックシステムを有するので、デバイス動作の詳細な説明は、位相推定誤差へのクロック正確性の影響の分析によって補われる。上記が示すように、一方向振幅
【数１８】
2019194607.tif 000020
値は、対象／スレーブデバイスから直接取得可能である。しかしながら、一方向位相
【数１９】
2019194607.tif 000021
値は、直接測定されることができない。
【００７８】
実施形態では、レンジングベースバンド信号が、図１に描写されているものと同じである。しかしながら、簡潔さの目的のために、本明細書では、レンジングベースバンド信号が、異なる周波数Ｆ１及びＦ２の余弦または正弦波の複数の周期をそれぞれ含有する２つの周波数成分のみから成ることが仮定される。Ｆ１＝ｆ１かつＦ２＝ｆ２であることに留意する。第１の周波数成分における周期数はＬであり、第２の周波数成分における周期数はＰである。Ｌは、Ｐに等しくてもよいし、またはＰに等しくなくてもよいことに留意する。なぜなら、Ｔｆ＝一定である場合、各周波数成分が異なる周期数を有し得るからである。また、各周波数成分間に時間の隔たりは存在せず、Ｆ１及びＦ２の両方が、ゼロに等しい初期位相から開始する。
【００７９】
図３Ａ、３Ｂ及び３Ｃは、ＲＦモバイル追跡及び位置特定システムのマスタまたはスレーブユニット（タグ）のブロック図を描写する。ＦＯＳＣは、デバイスシステムクロック（図３Ａにおける水晶発振器２０）の周波数のことを言う。デバイス内で発生される全ての周波数は、このシステムクロック水晶発振器から発生される。以下の定義が使用される。すなわち、Ｍがマスタデバイス（ユニット）であり、ＡＭがタグ（対象）デバイス（ユニット）である。タグデバイスは、応答機モードで動作しており、応答機（ＡＭ）ユニットとして称される。
【００８０】
好ましい実施形態では、デバイスが、ＲＦフロントエンド及びＲＦバックエンドの、ベースバンドならびにマルチパス軽減プロセッサから成る。ＲＦバックエンドの、ベースバンド及びマルチパス軽減プロセッサが、ＦＰＧＡ１５０において実現される（図３Ｂ及び３Ｃを参照）。システムクロック発生器２０（図３Ａを参照）は、ＦＯＳＣ＝２０ＭＨｚ
またはωＯＳＣ＝２π×２０×１０６において発振する。これは、理想的な周波数である。なぜなら、実際のデバイスでは、システムクロック周波数が、必ずしも、２０ＭＨｚに等しくなく、すなわち、
【数２０】
2019194607.tif 000022
【数２１】
2019194607.tif 000023
であるからである。
【００８１】
【数２２】
2019194607.tif 000024
【数２３】
2019194607.tif 000025
【数２４】
2019194607.tif 000026
及び
【数２５】
2019194607.tif 000027
に留意する。
【００８２】
２０ＭＨｚ以外のＦＯＳＣ周波数が、システム性能に何の影響も及ぼさずに使用され得ることに留意されたい。
【００８３】
ユニット（マスタ及びタグ）の電子構成は共に、同一であり、異なる動作モードが、ソフトウェアでプログラム可能である。ベースバンドレンジング信号は、マスタのＦＰＧＡ１５０によってデジタル形態で発生される、ブロック１５５〜１８０（図２Ｂを参照）。それは、異なる周波数の余弦または正弦波の複数の周期をそれぞれ含有する２つの周波数成分から成る。始まりにおいて、ｔ＝０であり、マスタデバイス内のＦＰＧＡ１５０（図３Ｂ）は、デジタルベースバンドレンジング信号をＩ／Ｑ  ＤＡＣ１２０及び１２５経由でそのアップコンバータ５０に出力する。ＦＰＧＡ１５０は、周波数Ｆ１で開始して、時間Ｔ１後に、期間Ｔ２にわたって周波数Ｆ２を発生し始める。
【００８４】
水晶発振器の周波数は、２０ＭＨｚとは異なり得るので、ＦＰＧＡによって発生される実際の周波数はＦ１γＭ及びＦ２γＭになる。また、時間Ｔ１はＴ１βＭになり、Ｔ２はＴ２βＭになる。また、Ｔ１，Ｔ２，Ｆ１，Ｆ２は、Ｆ１γＭ＊Ｔ１βＭ＝Ｆ１Ｔ１及びＦ２γＭ＊Ｔ２βＭ＝Ｆ２Ｔ２であるようなものであり、ここで、Ｆ１Ｔ１及びＦ２Ｔ２の両方が整数であることが仮定される。それは、Ｆ１及びＦ２の初期位相がゼロに等しいことを意味する。
【００８５】
全ての周波数は、システム水晶発振器２０クロックから発生されるので、マスタのベースバンドＩ／Ｑ  ＤＡＣ（複数可）１２０及び１２５の出力は、以下のとおりである。
【数２６】
2019194607.tif 000028
及び
【数２７】
2019194607.tif 000029
ここで、
【数２８】
2019194607.tif 000030
及び
【数２９】
2019194607.tif 000031
は一定の係数である。同様に、周波数合成器２５からの出力周波数ＴＸ＿ＬＯ及びＲＸ＿ＬＯ（ミキサ５０及び８５のためのＬＯ信号）は、一定の係数によって表現され得る。これらの一定の係数は、マスタ（Ｍ）及び応答機（ＡＭ）についても同じであり、違いは、各デバイスのシステム水晶発振器２０のクロック周波数にある。
【００８６】
マスタ（Ｍ）及び応答機（ＡＭ）は、半二重モードで動作する。マスタのＲＦフロントエンドは、マルチパス軽減プロセッサによって発生されたベースバンドレンジング信号を、直交アップコンバータ（すなわち、ミキサ）５０を使用してアップコンバートして、このアップコンバートされた信号を伝送する。ベースバンド信号が伝送された後、マスタは、ＲＦフロントエンドのＴＸ／ＲＸスイッチ１５を使用して、ＴＸからＲＸモードに切り換える。応答機は、信号を受信し、そのＲＦフロントエンドの（第１のＩＦを作り出す）ミキサ８５及び（第２のＩＦを作り出す）ＡＤＣ１４０を使用して受信信号をダウンコンバートし戻す。
【００８７】
その後、この第２のＩＦ信号は、デジタルフィルタ１９０を使用して、応答機ＲＦバックエンドのプロセッサにおいてデジタル式にフィルタリングされて、ＲＦバックエンドの直交ミキサ２００、デジタルＩ／Ｑフィルタ２１０及び２３０、デジタル直交発振器２２０、ならびに加算器２７０を使用してベースバンドレンジング信号に更にダウンコンバートされる。このベースバンドレンジング信号は、ラムデータバスコントローラ１９５及び制御論理１８０を使用して、応答機のメモリ１７０内に記憶される。
【００８８】
その後、応答機は、ＲＦフロントエンドのスイッチ１５を使用してＲＸからＴＸモードに切り換え、一定の遅延ｔＲＴＸ後に、記憶されたベースバンド信号の再送を始める。遅延は、ＡＭ（応答機）システムクロックにおいて測定されることに留意する。それゆえ、
【数３０】
2019194607.tif 000032
である。マスタは、応答機の伝送を受信して、そのＲＦバックエンドの直交ミキサ２００、デジタルＩ及びＱフィルタ２１０ならびに２３０、デジタル直交発振器２２０（図３Ｃを参照）を使用して、受信信号をベースバンド信号にダウンコンバートし戻す。
【００８９】
その後、マスタは、マルチパス軽減プロセッサ逆正接ブロック２５０及び位相比較ブロック２５５を使用して、受信された（すなわち、リカバリされた）ベースバンド信号におけるＦ１及びＦ２間の位相差を計算する。振幅値は、ＲＦバックエンドのＲＳＳＩブロック２４０から導出される。
【００９０】
推定正確性を改良するために、常に、ブロック２４０からの振幅推定及びブロック２５５からの位相差推定のＳＮＲを改良することが望ましい。好ましい実施形態では、マルチパス軽減プロセッサが、レンジング信号周波数成分期間（Ｔｆ）にわたる多くの時間例について振幅及び位相差推定を計算する。これらの値は、平均化されるときに、ＳＮＲを改良する。ＳＮＲの改良は、√Ｎに比例する目的であり得、ここで、Ｎは、振幅及び位相差値が取られた（すなわち、決定された）ときのいくつかの実例である。
【００９１】
ＳＮＲ改良への別のアプローチは、ある期間にわたって適合フィルタ技法を適用することによって振幅及び位相差値を決定することである。更なる別のアプローチは、受信された（すなわち、繰り返された）ベースバンドレンジング信号周波数成分の位相及び振幅を、それをサンプリングして、Ｉ／Ｑ形式における元の（すなわち、マスタ／読み取り機によって送信された）ベースバンドレンジング信号周波数成分に対して周期Ｔ≦Ｔｆにわたって統合することによって、推定することである。統合は、Ｉ／Ｑ形式における振幅及び位相の複数の実例を平均化するという効果がある。その後、位相及び振幅値は、Ｉ／Ｑ形式から
【数３１】
2019194607.tif 000033
及び
【数３２】
2019194607.tif 000034
形式に変換され得る。
【００９２】
ｔ＝０において、マスタのマルチパスプロセッサ制御下で、マスタベースバンドプロセッサ（ＦＰＧＡ１５０における両方）が、ベースバンドレンジングシーケンスを開始することを仮定する。
【００９３】
【数３３】
2019194607.tif 000035
【００９４】
ここで、Ｔｆ≧Ｔ１βＭである。
【００９５】
マスタのＤＡＣ（複数可）１２０及び１２５出力における位相は、以下のとおりである。
【００９６】
【数３４】
2019194607.tif 000036
【００９７】
ＤＡＣ１２０及び１２５は、システムクロックに依存しない内部伝搬遅延
【数３５】
2019194607.tif 000037
を有することに留意する。
【００９８】
同様に、送信機回路構成要素１５、３０、４０、及び５０は、システムクロックに依存しない追加的な遅延
【数３６】
2019194607.tif 000038
をもたらす。
【００９９】
結果として、マスタによって伝送されたＲＦ信号の位相は、以下のように計算される。
【０１００】
【数３７】
2019194607.tif 000039
【０１０１】
マスタ（Ｍ）からのＲＦ信号は、マスタ及びタグ間のマルチパス現象と相関する位相シフトφＭＵＬＴを経験する。
【０１０２】
φＭＵＬＴ値は、伝送される周波数、例えば、Ｆ１及びＦ２に依存する。応答機（ＡＭ）受信機のは、受信機のＲＦ部分の制限された（すなわち、狭い）帯域幅が原因で、各パスを解明することができない。それゆえ、一定時間後、例えば、１マイクロ秒（約３００メートルの飛行に相当）後、全ての反射信号が、受信機アンテナに到着したときに、以下の式を適用する。
【０１０３】
【数３８】
2019194607.tif 000040
【０１０４】
第１のダウンコンバータ、要素８５におけるＡＭ（応答機）受信機において、出力、例えば、第１のＩＦ、信号の位相は、以下のとおりである。
【０１０５】
【数３９】
2019194607.tif 000041
【０１０６】
受信機ＲＦ区分（要素１５及び６０〜８５）における伝搬遅延
【数４０】
2019194607.tif 000042
は、システムクロックに依存しないことに留意する。ＲＦフロントエンドのフィルタ及び増幅器（要素９５〜１１０及び１２５）を通過した後、第１のＩＦ信号は、ＲＦバックエンドのＡＤＣ１４０によってサンプリングされる。ＡＤＣ１４０は、入力信号（例えば、第１のＩＦ）をアンダーサンプリングしていることが仮定される。それゆえ、ＡＤＣはまた、第２のＩＦを作り出すダウンコンバータのように作動する。第１のＩＦフィルタ、増幅器、及びＡＤＣは、伝搬遅延時間を追加する。ＡＤＣ出力（第２のＩＦ）において、
【数４１】
2019194607.tif 000043
である。
【０１０７】
ＦＰＧＡ１５０では、（ＡＤＣ出力からの）第２のＩＦ信号が、ＲＦバックエンドのデジタルフィルタ１９０によってフィルタリングされ、第３のダウンコンバータ（すなわち、直交ミキサ２００、デジタルフィルタ２３０及び２１０、ならびにデジタル直交発振器２２０）によって更にダウンコンバートされてベースバンドレンジング信号に戻され、加算器２７０において加算され、メモリ１７０内に記憶される。第３のダウンコンバータ出力（すなわち、直交ミキサ）において、
【数４２】
2019194607.tif 000044
である。
【０１０８】
ＦＩＲ区分１９０における伝搬遅延
【数４３】
2019194607.tif 000045
は、システムクロックに依存しないことに留意する。
【０１０９】
ＲＸからＴＸの遅延後、（メモリ１７０内に）記憶されたマスタ（Ｍ）からのベースバンドレンジング信号が再送される。ＲＸからのＴＸ遅延
【数４４】
2019194607.tif 000046
に留意する。
【０１１０】
【数４５】
2019194607.tif 000047
【数４６】
2019194607.tif 000048
【０１１１】
応答機からの信号が、マスタ（Ｍ）の受信機アンテナに到着する時までに、応答機（ＡＭ）からのＲＦ信号は、マルチパスと相関する別の位相シフトφＭＵＬＴを経験する。上述したように、この位相シフトは、全ての反射信号がマスタの受信機アンテナに到着したときの一定期間後に起こる。
【０１１２】
【数４７】
2019194607.tif 000049
【数４８】
2019194607.tif 000050
【０１１３】
マスタ受信機において、応答機からの信号は、応答機の受信機におけるものと同じダウンコンバージョンプロセスを経る。その結果は、マスタによって最初に送信されリカバリされたベースバンドレンジング信号である。
【０１１４】
第１の周波数成分Ｆ１について、
【数４９】
2019194607.tif 000051
である。
【０１１５】
第２の周波数成分Ｆ２について、
【数５０】
2019194607.tif 000052
である。
【０１１６】
置換、
【数５１】
2019194607.tif 000053
を行い、ここで、ＴＤ＿Ｍ−ＡＭは、マスタ（Ｍ）及び応答機（ＡＭ）回路を通る伝搬遅延である。
【０１１７】
【数５２】
2019194607.tif 000054
【０１１８】
ここで、φＢＢ＿Ｍ−ＡＭ（０）は、ＡＤＣ（複数可）を含む、マスタ（Ｍ）及び応答機（ＡＭ）周波数ミキサからの、時間ｔ＝０における、ＬＯ位相シフトである。
また、
【数５３】
2019194607.tif 000055
である。
【０１１９】
第１の周波数成分Ｆ１について、
【数５４】
2019194607.tif 000056
である。
【０１２０】
引き続き、第１の周波数成分Ｆ１について、
【数５５】
2019194607.tif 000057
である。
【０１２１】
第２の周波数成分Ｆ２について、
【数５６】
2019194607.tif 000058
である。
【０１２２】
引き続き、第２の周波数成分Ｆ２について、
【数５７】
2019194607.tif 000059
である。
【０１２３】
更に、置換、
【数５８】
2019194607.tif 000060
を行い、ここで、αは一定である。
【０１２４】
最終的な位相式は、
【数５９】
2019194607.tif 000061
（５）
である。
【０１２５】
式（５）から、
【数６０】
2019194607.tif 000062
となり、ここで、ｉ＝２、３、４・・・・・・・・・・・・・・、
【数６１】
2019194607.tif 000063
は、
【数６２】
2019194607.tif 000064
に等しい。
【０１２６】
例えば、時間例ｔ１及びｔ２における差
【数６３】
2019194607.tif 000065
は、
【数６４】
2019194607.tif 000066
となる。
【０１２７】
【数６５】
2019194607.tif 000067
差を求めるために、我々は、ＴＤ＿Ｍ−ＡＭを知る必要がある。すなわち、
【数６６】
2019194607.tif 000068
【０１２８】
ここで、ＴＬＢ＿Ｍ及びＴＬＢ＿ＡＭは、デバイスをループバックモードに置くことによって測定されるマスタ（Ｍ）及び応答機（ＡＭ）ＴＸならびにＲＸ回路を通る伝搬遅延である。マスタ及び応答機デバイスは、ＴＬＢ＿Ｍ及びＴＬＢ＿ＡＭを自動的に測定することができ、我々はまた、ｔＲＴＸ値を知っていることに留意する。
【０１２９】
上記式及びｔＲＴＸ値から、ＴＤ＿Ｍ−ＡＭが決定され得、その結果として、所与のｔ１及びｔ２について
【数６７】
2019194607.tif 000069
値が、以下のように求められ得る。
【０１３０】
【数６８】
2019194607.tif 000070
【数６９】
2019194607.tif 000071
（６）
【０１３１】
または、βＭ＝βＡＭ＝１であることを仮定して、
【数７０】
2019194607.tif 000072
（６Ａ）
となる。
【０１３２】
式（６）から、動作周波数（複数可）レンジング信号（複数可）において、複素振幅値が、戻されたベースバンドレンジング信号を処理することから求められ得ることが結論付けられ得る。
【０１３３】
部分空間アルゴリズムは、一定の位相オフセットに対して敏感ではないので、初期位相値
【数７１】
2019194607.tif 000073
はゼロに等しいことが仮定され得る。必要に応じて、
【数７２】
2019194607.tif 000074
値（位相初期値）は、特許文献１に記載されるような狭帯域幅レンジング信号方法を使用して、ＴＯＡ（到着時間）を決定することによって求められ得、その特許文献１は、その全体が参照によって本明細書に組み込まれる。この方法は、レンジング信号のラウンドトリップ遅延を推定し、それは、
【数７３】
2019194607.tif 000075
に等しく、
【数７４】
2019194607.tif 000076
値が、以下の式から求められ得る。
【０１３４】
【数７５】
2019194607.tif 000077
または、
【数７６】
2019194607.tif 000078
【０１３５】
好ましい実施形態では、戻されたベースバンドレンジング信号位相値
【数７７】
2019194607.tif 000079
が、マルチパスプロセッサの逆正接ブロック２５０によって計算される。ＳＮＲを改良するために、マルチパス軽減プロセッサの位相比較ブロック２５５が、式（６Ａ）を使用して多くの実例ｎ（ｎ＝２、３、４・・・・・・・・・・・・・・・）について、
【数７８】
2019194607.tif 000080
を計算し、次いで、それらを平均して、ＳＮＲを改良する。
【数７９】
2019194607.tif 000081
に留意する。
【０１３６】
式５及び６から、リカバリされた（すなわち、受信された）ベースバンドレンジング信号は、マスタによって送信された元のベースバンド信号と同じ周波数を有することが明白になる。それゆえ、マスタ（Ｍ）及び応答機（ＡＭ）システムクロックが異なり得るという事実に関わらず、周波数変換が存在しない。ベースバンド信号は、いくつかの周波数成分から成るので、各成分は、正弦波の複数の周期から成る。また、受信されたベースバンド信号の個々の周波数成分を、対応する元の（すなわち、マスタによって送信された）ベースバンド信号の個々の周波数成分と共にサンプリングすることによって、及び周期Ｔ≦Ｔｆにわたって結果として生じる信号を統合することによって、受信されたレンジング信号の位相及び振幅を推定することも可能である。
【０１３７】
この動作は、Ｉ／Ｑ形式において受信されたレンジング信号の複素振幅値
【数８０】
2019194607.tif 000082
を生成する。マスタによって送信された各ベースバンド信号の個々の周波数成分は、ＴＤ＿Ｍ−ＡＭの時間だけシフトされる必要があることに留意する。統合動作は、（例えば、ＳＮＲを増大させる）振幅及び位相の複数の実例を平均するという効果をもたらす。位相及び振幅値は、Ｉ／Ｑ形式から
【数８１】
2019194607.tif 000083
及び
【数８２】
2019194607.tif 000084
形式に変換され得ることに留意する。
【０１３８】
サンプリング、Ｔ≦Ｔｆの周期にわたる統合、及びその後の、Ｉ／Ｑ形式から
【数８３】
2019194607.tif 000085
及び
【数８４】
2019194607.tif 000086
形式への変換の本方法は、図３Ｃにおける位相比較ブロック２５５において実現され得る。それゆえ、ブロック２５５の設計及び実現形態に応じて、式（５）に基づく好ましい実施形態の方法か、またはこの欄に記載される代替の方法のいずれかが、使用され得る。
【０１３９】
レンジング信号帯域幅は狭いけれども、周波数差ｆｎ−ｆ１は、比較的大きく、例えば、約数メガヘルツであり得る。結果として、受信機の帯域幅は、ｆ１：ｆｎレンジング信号周波数成分の全てを通過させるのに十分広く保たれる必要がある。この受信機の広帯域幅は、ＳＮＲに影響を及ぼす。受信機の実効帯域幅を減らしてＳＮＲを改良するために、受信されたレンジング信号ベースバンド周波数成分が、受信されたベースバンドレンジング信号の個々の周波数成分について調整されたデジタル狭帯域幅フィルタによって、ＦＰＧＡ１５０内のＲＦバックエンドのプロセッサによってフィルタリングされ得る。しかしながら、この多数のデジタルフィルタ（フィルタの数は、個々の周波数成分の数ｎに等しい）は、ＦＰＧＡリソースへの更なる負担となり、その費用、サイズ、及び電力消費を増大させる。
【０１４０】
好ましい実施形態では、２つの狭帯域幅デジタルフィルタのみが使用される。すなわち、一方のフィルタが、常に、周波数成分ｆ１について調整され、他方のフィルタが、全ての他の周波数成分、すなわちｆ２：ｆｎについて調整され得る。レンジング信号の複数の実例が、マスタによって送信される。各実例は、２つの周波数ｆ１：ｆ２；ｆ１：ｆ３…；ｆ１：ｆｉ；…；ｆ１：ｆｎのみから成る。類似の手法もまた可能である。
【０１４１】
また、ベースバンドレンジング信号成分を、周波数合成器の調整、例えば、ＫＳＹＮの変更によって周波数成分の残りを発生する２つ（または１つ）のみに保つことも完全に可能であることに留意して頂きたい。アップコンバータ及びダウンコンバータミキサについてのＬＯ信号が、直接デジタル合成（ＤＤＳ）技術を使用して発生されることが望ましい。高ＶＨＦ帯域周波数の場合、これは、送受信機／ＦＰＧＡハードウェアへの所望されない負担をもたらし得る。しかしながら、より低い周波数の場合、これは、有用なアプローチである可能性がある。アナログ周波数合成器もまた使用され得るが、周波数が変更された後に安定させるために更なる時間がかかる可能性がある。また、アナログ合成器の場合では、同じ周波数における２つの測定が、アナログ合成器の周波数の変更後に起こり得る位相オフセットを解消するために行われる必要がある。
【０１４２】
上記式において使用される実際のＴＤ＿Ｍ−ＡＭは、マスタ（Ｍ）及び応答機（ＡＭ）システムクロックの両方において測定され、例えば、ＴＬＢ＿ＡＭ及びｔＲＴＸが、応答機（ＡＭ）クロックにおいて計数され、ＴＬＢ＿Ｍが、マスタ（Ｍ）クロックにおいて計数される。しかしながら、
【数８５】
2019194607.tif 000087
が計算されるとき、ＴＬＢ＿ＡＭ及びｔＲＴＸの両方が、マスタ（Ｍ）クロックにおいて測定（計数）される。これは、誤差
【数８６】
2019194607.tif 000088
（７）
をもたらす。
【０１４３】
位相推定誤差（７）は、正確性に影響を及ぼす。したがって、この誤差を最小限にすることが必要である。βＭ＝βＡＭである場合、換言すれば、全てのマスタ（複数可）及び応答機（タグ）システムクロックが同期される場合には、時間ｔＲＴＸからの寄与が除去される。
【０１４４】
好ましい実施形態では、マスタ及び応答機ユニット（デバイス）が、デバイスのいずれかとクロックを同期することができる。例えば、マスタデバイスは、基準として機能することができる。クロック同期は、遠隔制御通信チャネルを使用することによって達成され、それによって、ＦＰＧＡ１５０制御下で、温度補償水晶発振器ＴＣＸＯ２０の周波数が調整される。周波数差は、選択された応答機デバイスが搬送信号を伝送している間に、マスタデバイスの加算器２７０の出力において測定される。
【０１４５】
その後、マスタは、コマンドを応答機に送信して、ＴＣＸＯ周波数を増加／減少させる。この手順は、加算器２７０出力における周波数を最小限にすることによってより優れた正確性を達成するために数回繰り返されてもよい。理想的な場合では、加算器２７０出力における周波数がゼロに等しくなるべきであることに留意して頂きたい。代替の方法は、周波数差を測定して、応答機のＴＣＸＯ周波数を調整することなく、推定された位相を訂正することである。
【０１４６】
βＭ−βＡＭが著しく低減され得るものの、βＭ≠１である場合、位相推定誤差が存在する。この場合では、誤差の限界が、基準デバイス（通常、マスタ（Ｍ））クロック発生器の長期安定性に依存する。加えて、特に、現場の多数のユニットとのクロック同期のプロセスは、かなりの時間を取り得る。同期プロセスの間に、追跡−位置特定システムは、部分的または完全に動作不能になり、それは、システムの準備及び性能に悪影響を及ぼす。この場合では、応答機のＴＣＸＯ周波数調整を要求しない上述の方法が好適である。
【０１４７】
市販の（在庫のある）ＴＣＸＯ構成要素は、高度な正確性及び安定性を有する。具体的に、ＧＰＳ商業用途のためのＴＣＸＯ構成要素は、非常に正確である。これらのデバイスを用いると、位置特定正確性への位相誤差の影響は、頻繁なクロック同期を必要とせずに１メートルよりも少なくすることができる。
【０１４８】
狭帯域幅レンジング信号マルチパス軽減プロセッサが、戻された狭帯域幅レンジング信号複素振幅
【数８７】
2019194607.tif 000089
を取得した後、更なる処理（すなわち、超分解能アルゴリズムの実行）が、ソフトウェアベースの構成要素において実現され、それは、マルチパス軽減プロセッサの一部分である。このソフトウェア構成要素は、ＦＰＧＡ１５０（図示しない）に埋め込まれるマスタ（読み取り機）ホストコンピュータＣＰＵ及び／またはマイクロプロセッサにおいて実現され得る。好ましい実施形態では、マルチパス軽減アルゴリズム（複数可）ソフトウェア構成要素が、マスタホストコンピュータＣＰＵによって実行される。
【０１４９】
超分解能アルゴリズム（複数可）は、（２π×τＫ）「周波数」、例えば、τＫ値の推定を生じさせる。最終ステップにおいて、マルチパス軽減プロセッサは、最小値を有するτ（すなわち、ＤＬＯＳ遅延時間）を選択する。
【０１５０】
レンジング信号狭帯域幅要件がある程度緩和される一定の場合では、ＤＬＯＳパスが、（時間において）連続的なチャープを利用することによってＭＰパスから分離され得る。好ましい実施形態では、この連続的なチャープが、線形周波数変調（ＬＦＭ）である。しかしながら、他のチャープ波形もまた使用されてもよい。
【０１５１】
マルチパス軽減プロセッサ制御下で、Ｂの帯域幅及びＴの期間を有するチャープが伝送されることを仮定する。それは、毎秒
【数８８】
2019194607.tif 000090
ラジアンのチャープレートを与える。複数のチャープが、伝送されて、受信し戻される。チャープ信号は、デジタル式に発生され、各チャープは、同じ位相で開始されることに留意する。
【０１５２】
マルチパスプロセッサにおいて、それぞれの受信された単一チャープは、戻されたチャープが、興味のある領域の中間からになるように位置を調節される。
【０１５３】
チャープ波形式は、
【数８９】
2019194607.tif 000091
であり、ここで、ω０は、０＜ｔ＜Ｔの場合の初期周波数である。
単一遅延ラウンドトリップτ、例えば、マルチパスがない場合、戻された信号（ｃｉｒｐ）は、ｓ（ｔ−τ）である。
【０１５４】
マルチパス軽減プロセッサは、次いで、最初に伝送されたチャープとの複素共役混合の実行によってｓ（ｔ−τ）を「デランプ（ｄｅｒａｍｐ）」する。結果として生じる信号は、複素正弦波
【数９０】
2019194607.tif 000092
（８）
であり、
ここで、ｅｘｐ（−ｉｗ０τｋ）は振幅であり、２βτは周波数であり、０≦ｔ≦Ｔである。最後の項は位相であり、それは無視してよいことに留意する。
【０１５５】
マルチパスの場合では、デランプされた複合信号が、複数の複素正弦波
【数９１】
2019194607.tif 000093
（９）
から成り、ここで、Ｌは、ＤＬＯＳパスを含む、レンジング信号パスの数であり、０≦ｔ≦Ｔである。
【０１５６】
複数のチャープが、伝送され、処理される。各チャープは、上記したように個々に取り扱われる／処理される。その後、マルチパス軽減プロセッサは、個々のチャープ処理の結果を組み立て、
【数９２】
2019194607.tif 000094
（１０）
ここで、Ｎは、チャープの数であり、
【数９３】
2019194607.tif 000095
ρ＝Ｔ＋ｔｄｅａｄ、ｔｄｅａｄは、２つの連続的なチャープ間の不動作時間帯であり、２βτｋは、人工的な遅延「周波数」である。再び、最も興味のあるものは最低「周波数」であり、それは、ＤＬＯＳパス遅延に対応する。
【０１５７】
式（１０）において、
【数９４】
2019194607.tif 000096
は、時間、すなわち、
【数９５】
2019194607.tif 000097
における複素正弦波の合計のＮ個のサンプルとして考えられ得る。それゆえ、サンプルの数は、複数のＮ、例えば、αＮ；α＝１，２，…であり得る。
【０１５８】
式（１０）から、マルチパス軽減プロセッサは、更なる処理（すなわち、超分解能アルゴリズムの実行）において使用される時間領域においてαＮ個の複素振幅サンプルを生み出す。この更なる処理は、ソフトウェア構成要素において実現され、それは、マルチパス軽減プロセッサの一部分である。このソフトウェア構成要素は、マスタ（読み取り機）ホストコンピュータＣＰＵによって、及び／またはＦＰＧＡ１５０（図示しない）内に埋め込まれるマイクロプロセッサによって、あるいはその両方によって実行され得る。好ましい実施形態では、マルチパス軽減アルゴリズム（複数可）ソフトウェアが、マスタホストコンピュータＣＰＵによって実行される。
【０１５９】
超分解能アルゴリズム（複数可）は、２βτｋ「周波数」の推定、例えば、τＫ値を生み出す。最終ステップにおいて、マルチパス軽減プロセッサは、最小値を有するτ、すなわち、ＤＬＯＳ遅延時間を選択する。
【０１６０】
超分解能アルゴリズムに対する代替として機能することができ、「閾値技法」と呼ばれる、特別処理方法の説明がなされる。換言すれば、それは、人工的に発生された合成広帯域幅レンジング信号を使用して、他のＭＰパスからＤＬＯＳパスを区別する際の信頼性及び正確性を強化するために使用される。
【０１６１】
図１及び図１Ａに示される周波数領域ベースバンドレンジング信号は、時間領域ベースバンド信号ｓ（ｔ）、すなわち、
【数９６】
2019194607.tif 000098
（１１）
に変換され得る。ｓ（ｔ）は、周期１／Δｔで周期的であること、及び任意の整数ｋについて、ｓ（ｋ／Δｔ）＝２Ｎ＋１であり、それは信号のピーク値であることが容易に実証される。ここで、図１及び図１Ａにおいて、ｎ＝Ｎである。
【０１６２】
図４は、Ｎ＝１１及びΔｆ＝２５０ｋＨｚである場合のｓ（ｔ）の２つの周期を示す。信号は、１／Δｆ＝４マイクロ秒によって分離された高さ２Ｎ＋１＝２３の一連のパルスとして出現する。パルス間には、可変振幅及び２Ｎ個のゼロを有する正弦波形がある。信号の広帯域幅は、高いパルスの狭さに起因し得る。帯域幅が、ゼロの周波数からＮΔｆ＝２．７５ＭＨｚに及ぶこともまた見られ得る。
【０１６３】
好ましい実施形態に使用される閾値方法の基本的な考え方は、他のＭＰパスからＤＬＯＳパスを区別する際の、人工的に発生された合成広帯域幅レンジングの信頼性及び正確性を強化することである。閾値方法は、広帯域パルスの前縁の開始が受信機に到着したときを検出する。送信機及び受信機におけるフィルタリングが原因で、前縁は、瞬時に立ち上がらないが、滑らかに増加する傾斜で雑音無しで立ち上がる。前縁のＴＯＡは、前縁が所定の閾値Ｔを超えるときを検出することによって測定される。
【０１６４】
小さな閾値が望ましく、なぜなら、それは、より迅速に超えられることになり、パルスの真の開始と閾値超過との間の誤差遅延τが小さいからである。それゆえ、マルチパスに起因して到着する任意のパルス複製は、複製の開始がτよりも大きな遅延を有する場合に影響がない。しかしながら、雑音の存在は、閾値Ｔをどれほど小さくすることができるかについて制限を課す。遅延τを減らす１つの手法は、パルス自体の代わりに、受信されたパルスの導関数を使用することであり、なぜなら、導関数はより速く立ち上がるからである。二次導関数は、更に速い立ち上がりを有する。高次の導関数が使用され得るが、実際には、それらは、雑音レベルを容認できない値まで上げる可能性があり、それゆえ、閾値化された二次導関数が使用される。
【０１６５】
図４に描写される２．７５ＭＨｚの広範囲信号は、かなり広い帯域幅を有するが、それは、上述した方法によって範囲を測定するのに適していない。その方法は、伝送されたパルスがゼロの信号先行波をそれぞれ有することを要求する。しかしながら、パルス間の正弦波形が本質的にキャンセルされるように信号を修正することによってその目的を達成することができる。好ましい実施形態では、それは、高いパルス間の選択された区間上の信号にごく近い波形を構築して、次いで、元の信号からそれを減算することによって行われる。
【０１６６】
その技法は、それを信号に適用することによって、図１に例示され得る。波形上に示される２つの黒点は、第１の２つのパルス間に中心を置かれた区間Ｉの終点である。区間Ｉの左右の終点は、最良の結果をもたらすために実験的に決定されており、それぞれ、以下にある。
【０１６７】
【数９７】
2019194607.tif 000099
（１２）
【０１６８】
この区間上で信号ｓ（ｔ）を本質的にキャンセルするが、区間の外側であまり害を及ぼさない関数ｇ（ｔ）を生成する試みが行われる。式（１１）は、ｓ（ｔ）が１／ｓｉｎπΔｆｔによって変調される正弦波ｓｉｎπ（２Ｎ＋１）Δｆｔであることを示すので、最初に、区間Ｉ上で１／ｓｉｎπΔｆｔにごく近い関数ｈ（ｔ）が見付けられ、次いで、ｇ（ｔ）を積として形成する。
【０１６９】
【数９８】
2019194607.tif 000100
（１３）
【０１７０】
ｈ（ｔ）は、以下の合計によって生成される。
【０１７１】
【数９９】
2019194607.tif 000101
（１４）
【０１７２】
ここで、
2019194607.tif 000102
（１５）
であり、係数ａｋは、区間Ｉ上で、最小二乗誤差を最小限にするように選択される。
【０１７３】
【数１００】
2019194607.tif 000103
（１６）
【０１７４】
解は、ａｋに関して偏導関数Ｊを取ることによって、及びそれらをゼロに等しく設定することによって、容易に取得される。結果は、Ｍ＋１個の線型方程式系である。
【０１７５】
【数１０１】
2019194607.tif 000104
（１７）
【０１７６】
それは、ａｋについて解かれ得、ここで、
【数１０２】
2019194607.tif 000105
（１８）
である。
【０１７７】
次いで、
【数１０３】
2019194607.tif 000106
（１９）
【０１７８】
（１２）によって与えられた関数φｋ（ｔ）の定義を使用して、
【数１０４】
2019194607.tif 000107
（２０）
【０１７９】
ｇ（ｔ）は、関数ｒ（ｔ）を得るようにｓ（ｔ）から減算され、それは、区間Ｉ上でｓ（ｔ）を本質的にキャンセルするべきである。付属物に示されるように、式（２０）における加算についての上限Ｍに適した選択は、Ｍ＝２Ｎ＋１である。この値及び付属物からの結果を使用すると、
【数１０５】
2019194607.tif 000108
（２１）
【０１８０】
ここで、
ｂ０＝１−（１／２）ａ２Ｎ＋１
ｂｋ＝２−（１／２）ａ２（Ｎ−ｋ）＋１  ｋ＝１，２，…，Ｎの場合
ｂｋ＝−（１／２）ａ２（ｋーＮ）−１  ｋ＝Ｎ＋１，Ｎ＋２，…，２Ｎ＋１の場合
ｃ＝−ａ０
（２２）
【０１８１】
式（１７）から、（ゼロの周波数ＤＣ項を含む）２Ｎ＋３の周波数の合計が、所望の信号ｒ（ｔ）を取得するために要求されることが分かる。図５は、図１に示される元の信号ｓ（ｔ）について結果として生じる信号ｒ（ｔ）を示し、ここで、Ｎ＝１１である。この場合では、ｒ（ｔ）の構築が、（ＤＣ項ｂ０を含む）２５個のキャリアを要求する。
【０１８２】
上記に構築されるようなｒ（ｔ）の重要な特徴は、以下のとおりである。
【０１８３】
１．最低周波数は、ゼロＨｚであり、最高周波数は、（１４）から分かるように、（２Ｎ＋１）Δｆ［Ｈｚ］である。それゆえ、総帯域幅は、（２Ｎ＋１）Δｆ［Ｈｚ］である。
【０１８４】
２．全てのキャリアは、周波数（Ｎ＋１／２）Δｆに位置する正弦関数である、１つのキャリアを除いて、Δｆだけ間隔を離された（ＤＣを含む）余弦関数である。
【０１８５】
３．元の信号ｓ（ｔ）は周期１／Δｆを有するが、ｒ（ｔ）は、周期２／Δｆを有する。ｓ（ｔ）の全周期である、ｒ（ｔ）の各周期の前半は、信号のキャンセルされた部分を含み、ｒ（ｔ）の周期の後半は、大振動部分である。それゆえ、先行波のキャンセルは、ｓ（ｔ）の１つおきの周期においてのみ起こる。
【０１８６】
これは、キャンセリング関数ｇ（ｔ）が実際には、１つおきの周期においてｓ（ｔ）を強めるので、起こる。その理由は、ｇ（ｔ）が、ｓ（ｔ）の全てのピークにおいてその極性を逆にするのに対して、ｓ（ｔ）はそうではないことにある。３ｄＢだけ処理利得を増加させるように、ｓ（ｔ）の全ての周期がキャンセルされる部分を含むようにする方法が、以下に記載される。
【０１８７】
４．ｓ（ｔ）のキャンセルされる部分の長さは、１／Δｆの約８０〜９０％である。したがって、Δｆは、この長さを、マルチパスに起因してｒ（ｔ）の前のゼロではない部分から任意の残りの信号を除去するのに十分長くさせるように、十分小さくする必要がある。
【０１８８】
５．ｒ（ｔ）の各ゼロ部分の直後には、振動部分の第１のサイクルがある。好ましい実施形態では、上記したようなＴＯＡ測定方法において、このサイクルの前半が、ＴＯＡ、具体的には、その立ち上がりの始まりを測定するために使用される。（主ピークと呼ばれる）この前半のサイクルのピーク値は、ほぼ同時点に位置するｓ（ｔ）の対応するピークよりもある程度大きいことに注目されたい。前半のサイクルの幅は、ＮΔｆに概ね逆比例する。
【０１８９】
６．大量の処理利得が、以下によって達成され得る。
【０１９０】
（ａ）ｒ（ｔ）は、周期２／Δｆで周期的であるので、信号ｒ（ｔ）の繰返しを使用すること。また、追加的な３ｄＢの処理利得が、後に記載される方法によって可能である。
【０１９１】
（ｂ）狭帯域フィルタリング。２Ｎ＋３のキャリアのそれぞれは、狭帯域信号であるので、信号の占有される帯域幅は、周波数の割り当てられた帯域全体にわたって広がる広帯域信号のものよりもかなり小さい。
【０１９２】
図５に示される信号ｒ（ｔ）について、ここで、Ｎ＝１１かつΔｆ＝２５０ｋＨｚ、ｓ（ｔ）のキャンセルされる部分の長さは、約３．７マイクロ秒または１，１１０メートルである。これは、マルチパスに起因してｒ（ｔ）の前のゼロではない部分から残りの信号を除去するのに十分過ぎる。主ピークは、約３５の値を有し、先行波（すなわち、キャンセル）領域における最大の大きさは、約０．０２であり、それは、主ピークの６５ｄＢ下である。これは、上記したようなＴＯＡ測定閾値技法を使用して良好な性能を得るために望ましい。
【０１９３】
より少数のキャリアの使用が図６に描写され、それは、全部で２Ｎ＋３＝９のキャリアのみについて、Δｆ＝８５０ｋＨｚ、Ｎ＝３、及びＭ＝２Ｎ＋１＝７を使用して発生される信号を例示する。この場合では、信号の周期は、周期が８マイクロ秒である、図５における信号と比較すると２／Δｆ≒２．３５マイクロ秒だけである。この実施例は、単位時間毎により多くの周期を有するので、より多くの処理利得が達成され得ることが予想され得る。
【０１９４】
しかしながら、より少数のキャリアが使用されるので、主ピークの振幅は、前の大きさの約１／３であり、それは、予想された余分な処理利得を解消する傾向がある。また、ゼロの信号先行波区分の長さは、より短い、約０．８マイクロ秒または２４０メートルである。これは、依然として、マルチパスに起因してｒ（ｔ）の前のゼロではない部分から残りの信号を除去するのに十分なはずである。（２Ｎ＋１）Δｆ＝５．９５ＭＨｚの総帯域幅は、前とほぼ同じであることと、主ピークの半分のサイクルの幅もまた、概ね同じであることと、に留意する。より少数のキャリアが使用されるので、各キャリアが受信機において狭帯域フィルタリングされるときに、いくつかの余分な処理利得が存在するはずである。その上、先行波（すなわち、キャンセル）領域における最大の大きさは、この際、主ピークの約７５ｄＢ下になり、前の実施例から１０ｄＢの改良となる。
【０１９５】
ＲＦ周波数における伝送。ここまで、ｒ（ｔ）が、簡潔さの目的のために、ベースバンド信号として記載されている。しかしながら、それは、最大ＲＦまで変換され得、伝送され得、受信され得、次いで、受信機においてベースバンド信号として再構成され得る。例示するために、添え字ｊを有するマルチパス伝搬パスのうちの１つを経由して移動するベースバンド信号ｒ（ｔ）における周波数成分ωｋのうちの１つに何が起こるかを考える（ラジアン／秒の周波数が、表記上の簡潔さのために使用される）。
【０１９６】
ｂｋｃｏｓωｋｔ  （送信機内のベースバントにおけるもの）
ｂｋｃｏｓ（ω＋ωｋ）ｔ  （最大ＲＦまでの周波数ωだけ変換されたもの）
ａｊｂｋｃｏｓ［（ω＋ωｋ）（ｔ−τｊ）＋φｊ］  （受信機アンテナにおけるもの）
ａｊｂｋｃｏｓ［ωｋ（ｔ−τｊ）＋φｊ＋θ］  （ベースバンドまで周波数−ωだけ変換されたもの）
（２３）
【０１９７】
ここで、送信機及び受信機が周波数同期されることが仮定される。パラメータｂｋは、ｒ（ｔ）についての式（２１）におけるｋ番目の係数である。パラメータτｊ及びφｊは、それぞれ、ｊ番目の伝搬パスの（反射器の誘電特性に起因する）パス遅延及び位相シフトである。パラメータθは、受信機においてベースバンドへのダウンコンバートの際に起こる位相シフトである。類似の関数列が、式（２１）の正弦成分について表わされ得る。
【０１９８】
ｒ（ｔ）におけるゼロの信号先行波が、最大の著しい伝搬遅延よりも十分に大きい長さを有する限り、式（２０）における最終ベースバンド信号は、依然として、ゼロの信号先行波を有することに留意するのが重要である。勿論、全てのパス（添え字ｊ）上の全ての周波数成分（添え字ｋ）が結合されるとき、受信機におけるベースバンド信号は、全ての位相シフトを含む、ｒ（ｔ）の歪んだ形になる。
【０１９９】
連続的なキャリア伝送及び信号再構築が、図１及び図１Ａに例示される。送信機及び受信機が時間及び周波数同期され、２Ｎ＋３の伝送されたキャリアが同時に伝送される必要はないことが仮定される。実施例として、そのベースバンド表現が図１Ａ及び図６のものである信号の伝送を考える。
【０２００】
図６において、Ｎ＝３であり、１ミリ秒について９個の周波数成分のそれぞれが連続的に伝送されると想定する。各周波数伝送についての開始及び終了時間は、受信機において既知であり、それゆえ、それは、各周波数成分のその受信を、それらのそれぞれの時間において連続的に開始及び終了することができる。信号伝搬時間は、１ミリ秒と比較して非常に短い（それは、通常、意図された用途において数マイクロ秒よりも少ない）ので、それぞれの受信された周波数成分の小さな部分は無視されるべきであり、受信機は、容易にそれを抜かすことができる。
【０２０１】
９個の周波数成分を受信するプロセス全体が、処理利得を増大させるために追加的な受信の９ミリ秒のブロックにおいて繰り返され得る。１秒の総受信時間では、処理利得のために利用可能な約１１１のかかる９ミリ秒のブロックが存在することになる。加えて、各ブロック内には、０．００９／（２／Δｆ）≒３８３の主ピークから利用可能な追加的な処理利得が存在することになる。
【０２０２】
一般に、信号再構築は、非常に効率的に行われ得、全ての可能な処理利得を本質的に許可することは注目に値する。２Ｎ＋３の受信された周波数のそれぞれについて、
１．その周波数に対応する一連の記憶されたベクトル（フェーザ）を形成するように、その周波数の各１ミリ秒の受信の位相及び振幅を測定する。
２．その周波数について記憶されたベクトルを平均する。
３．最終的に、２Ｎ＋３の周波数について２Ｎ＋３のベクトル平均を使用して、期間２／Δｆを有するベースバンド信号の１周期を再構築し、その再構築を使用して、信号ＴＯＡを推定する。
【０２０３】
この方法は、１ミリ秒の伝送に限定されず、伝送の長さは、増加または減少されてもよい。しかしながら、全伝送についての合計時間は、受信機または送信機の任意の動きを止めるのに十分に短くなくてはならない。
【０２０４】
キャンセリング関数ｇ（ｔ）の極性を単に逆にすることによって、ｒ（ｔ）の交互の半分のサイクル上でキャンセルを得て、ｒ（ｔ）が以前に振動性であった場合にｓ（ｔ）のピーク間のキャンセルが可能である。しかしながら、ｓ（ｔ）の全てのピーク間のキャンセルを得るために、関数ｇ（ｔ）及びその極性を逆にしたものが、受信機に適用される必要があり、これは、受信機における係数重み付けを含む。
【０２０５】
受信機における係数重み付け。所望される場合、式（２１）における係数ｂｋが、送信機におけるｒ（ｔ）の構築のために使用され、その代わりに、受信機において導入されてもよい。これは、式（２０）において信号のシーケンスを考えることによって容易に分かり、それにおいて、ｂｋが最初における代わりに最後のステップにおいて導入される場合、最終信号が同じである。雑音を無視すると、値は、以下のとおりである。
【０２０６】
ｃｏｓωｋｔ  （送信機内のベースバントにおけるもの）
ｃｏｓ（ω＋ωｋ）ｔ  （最大ＲＦまでの周波数ωだけ変換されたもの）
ａｊｃｏｓ［（ω＋ωｋ）（ｔ−τｊ）＋φｊ］  （受信機アンテナにおけるもの）
ａｊｃｏｓ［ωｋ（ｔ−τｊ）＋φｊ＋θ］  （ベースバンドまで周波数−ωだけ変換されたもの）
ａｊｂｋｃｏｓ［ωｋ（ｔ−τｊ）＋φｊ＋θ］  （ベースバンドにおいて係数ｂｋだけ重み付けされたもの）
（２４）
【０２０７】
送信機は、次いで、同じ振幅で全ての周波数を伝送することができ、それは、その設計を単純にする。この方法はまた、各周波数において雑音を重み付け、その影響が考慮されるべきであることに留意されたい。係数重み付けが、使用可能な主ピークの２倍を得るようにｇ（ｔ）の極性逆転をもたらすために、受信機において行われるべきであることにもまた留意されたい。
【０２０８】
チャネル内の中心周波数へのΔｆのスケーリング。ＶＨＦまたはより低い周波数におけるＦＣＣ要件を満たすために、一定のチャネル間隔を有するチャネル化伝送が要求される。ＶＨＦ及びより低い周波数帯域（複数可）についての場合である、全体的な割り当てられた帯域と比較して小さい一定のチャネル間隔を有するチャネル化伝送帯域では、Δｆへの小さな調整が、必要に応じて、元の設計値からの性能を実質的に変更せずに、全ての伝送される周波数がチャネル中心にあることを可能にする。前に提示されたベースバンド信号の２つの実施例では、全ての周波数成分が、複数のΔｆ／２であり、それゆえ、チャネル間隔がΔｆ／２を分割する場合、最低のＲＦ伝送される周波数が、１つのチャネル内に中心を置かれ得、１つおきの周波数が、それらのチャネルの中心に位置し得る。
【０２０９】
いくつかの無線周波数（ＲＦ）ベースの識別では、追跡及び位置特定システムが、距離測定機能を行うことに加えて、マスタユニット及びタグユニットの両方がまた、音声、データ、及び制御通信機能を行う。同様に、好ましい実施形態では、マスタユニット及びタグの両方が、距離測定機能に加えて、音声、データ、及び制御通信機能を行う。
【０２１０】
好ましい実施形態によれば、レンジング信号（複数可）は、マルチパス軽減を含む、幅広い高度な信号処理技法に従う。しかしながら、これらの技法は、音声、データ、及び制御信号に適していない可能性がある。結果として、提案されるシステム（ならびに他の既存のシステム）の動作範囲は、確実に及び正確に距離を測定するその能力によってではなくて、音声及び／またはデータならびに／あるいは制御通信の間の範囲外であることによって、制限され得る。
【０２１１】
他の無線周波数（ＲＦ）ベースの識別、追跡、及び位置特定システムでは、距離測定機能が、音声、データ、及び制御通信機能から分離される。これらのシステムにおいて、別個のＲＦ送受信機が、音声、データ、及び制御通信機能を行うために使用される。このアプローチの欠点は、システムの費用、複雑性、サイズ等の増加である。
【０２１２】
上述した欠点を回避するために、好ましい実施形態では、狭帯域幅レンジング信号またはベースバンド狭帯域幅レンジング信号のいくつかの個々の周波数成分が、同一のデータ／制御信号を用いて及び音声の場合ではデジタル化された音声パケットデータを用いて変調される。受信機において、最高信号強度を有する個々の周波数成分が復調され、取得された情報信頼性が、情報冗長性を利用する「票決（ｖｏｔｉｎｇ」」または他の信号処理技法を行うことによって更に強化され得る。
【０２１３】
この方法は、複数のパスから入って来るＲＦ信号が、ＤＬＯＳパス及び互いと破壊的に結合され、それゆえ、受信信号強度及びそれと関連付けられたＳＮＲを著しく低減する、「ヌル（ｎｕｌｌ）」現象を回避することを可能にする。その上、かかる方法は、１組の周波数であって、その周波数において、複数のパスから入って来る信号が、ＤＬＯＳパス及び互いと破壊的に結合され、それゆえ、受信信号強度及びそれと関連付けられたＳＮＲを増大させる、周波数を見付けることを可能にする。
【０２１４】
前述したように、スペクトル推定ベースの超分解能アルゴリズムは、一般に、同じモデル、すなわち、周波数の複素指数及びそれらの複素振幅の一次結合を使用する。この複素振幅は、上記式３によって与えられる。
【０２１５】
スペクトル推定ベースの超分解能アルゴリズムの全ては、複素指数の数、すなわち、マルチパスのパス数の事前知識を要求する。複素指数のこの数は、モデルサイズと呼ばれ、式１〜３に示されるようにマルチパス成分Ｌの数によって決定される。しかしながら、ＲＦ追跡−位置特定用途についての場合である、パス遅延を推定するとき、この情報は利用可能ではない。これは、別の次元、すなわち、モデルサイズの推定を、超分解能アルゴリズムによってスペクトル推定プロセスに追加する。
【０２１６】
モデルサイズの過小推定の場合では、周波数推定の正確性が影響を受け、モデルサイズが過大推定される場合、アルゴリズムは、不要な、例えば、存在しない周波数を発生することが示されている（非特許文献３）。モデルサイズ推定の既存の方法、例えば、ＡＩＣ（赤池情報量基準）、ＭＤＬ（最小記述長）等は、信号（複素指数）間の相関関係に対して高い感度を有する。しかしながら、ＲＦマルチパスの場合では、これは常である。更に、例えば、前向き−後向き平滑化アルゴリズムが適用された後、常に、相関関係の残量が存在する。
【０２１７】
非特許文献３の文書には、過大推定されたモデルを使用して、これらの信号電力（振幅）を推定することによって不要な周波数（信号）から実際の周波数（信号）を区別し、次いで、非常に低い電力を有する信号を拒否することが提案されている。この方法は、既存の方法を改良したものであるが、保証されない。発明者らは、非特許文献３の方法を実施して、より大きなモデルサイズを伴うより複雑な場合についてシミュレーションを行った。いくつかの場合では、不要な信号が、実際の信号振幅に非常に近い振幅を有し得ることが観測された。
【０２１８】
スペクトル推定ベースの超分解能アルゴリズムの全ては、入って来る信号の複素振幅データを２つの部分空間、すなわち、雑音部分空間及び信号部分空間に分けることによって機能する。これらの部分空間が適切に定義される（分離される）場合には、モデルサイズは、信号部分空間サイズ（寸法）に等しい。
【０２１９】
一実施形態では、モデルサイズ推定が、「Ｆ」統計を使用して達成される。例えば、ＥＳＰＲＩＴアルゴリズムの場合、（前向き／後向きの相関関係平滑化を用いて）共分散行列の推定の特異値分解が、昇順に並べられる。その後、分割が行われ、それによって、（ｎ＋１）の固有値が、ｎ番目の固有値によって分割される。この率は、「Ｆ」確率変数である。最悪の場合は、（１，１）の自由度の「Ｆ」確率変数である。（１，１）の自由度を伴う「Ｆ」確率変数についての９５％の信頼区間は、１６１である。その値を閾値として設定することは、モデルサイズを決定する。また、雑音部分空間について、固有値は、雑音電力の推定を表現することにも留意する。
【０２２０】
「Ｆ」統計を固有値の率に適用するこの方法は、モデルサイズのより正確な推定方法である。「Ｆ」統計における他の自由度もまた、閾値計算及びその結果としてモデルサイズ推定のために使用され得ることに留意されたい。
【０２２１】
それにも関わらず、いくつかの場合では、２つ以上の（時間において）非常に近くに間隔を置かれた信号が、実世界の測定不完全性が原因で、１つの信号に縮退し得る。結果として、上述した方法は、信号の数、すなわち、モデルサイズを過小推定する。モデルサイズの過小推定は、周波数推定の正確性を減らすので、一定の数を追加することによってモデルサイズを増加させることが賢明である。この数は、実験的に及び／またはシミュレーションから決定され得る。しかしながら、信号が近くに間隔を置かれないとき、モデルサイズは、過大推定される。
【０２２２】
かかる場合では、不要な、すなわち、存在しない周波数が出現し得る。前述したように、不要な信号検出のために信号振幅を使用することが、必ずしも機能するとは限らない。なぜなら、いくつかの場合では、不要な信号（複数可）が、実際の信号（複数可）振幅に非常に近い振幅を有することが観測されたからである。したがって、振幅弁別に加えて、フィルタが、不要な周波数を除去する可能性を改良するために実現され得る。
【０２２３】
超分解能アルゴリズムによって推定される周波数は、人工的な周波数（式２）である。実際、これらの周波数は、マルチパス環境の個々のパス遅延である。結果として、負の周波数は存在しないはずであり、超分解能アルゴリズムによって作り出される全ての負の周波数は、拒否される不要な周波数である。
【０２２４】
なおその上に、ＤＬＯＳ距離範囲は、超分解能方法とは異なる方法を使用して、測定の間に取得される複素振幅
【数１０６】
2019194607.tif 000109
値から推定され得る。これらの方法は、より低い正確性を有するものの、このアプローチは、遅延、すなわち周波数を弁別するために使用される範囲を確立する。例えば、信号振幅
【数１０７】
2019194607.tif 000110
が最大に近い、すなわち、ヌルを避ける、Δｆ間隔における
【数１０８】
2019194607.tif 000111
の率は、ＤＬＯＳ遅延範囲を提供する。実際のＤＬＯＳ遅延は、２時間以上またはそれ以下までであり得るが、これは、不要な結果を拒否するのに役立つ範囲を定義する。
【０２２５】
実施形態では、レンジング信号が、ラウンドトリップを行う。換言すれば、それは、両方向に移動する、すなわち、マスタ／読み取り機から対象／スレーブに及び対象／スレーブからマスタ／読み取り機に戻る。
【０２２６】
マスタは、音、すなわち、α×ｅ−ｊωｔを伝送する。ここで、ωは、動作帯域における動作周波数であり、αは、音信号振幅である。
【０２２７】
対象の受信機において、受信信号（一方向）は、以下のとおりである。
【０２２８】
【数１０９】
2019194607.tif 000112
（２５）
【０２２９】
ここで、Ｎは、マルチパス環境における信号パスの数であり、Ｋ０及びτ０は、ＤＬＯＳ信号の振幅及び飛行時間であり、｜Ｋ０｜＝１、Ｋ０＞０、｜Ｋｍ≠０｜≦１であり、Ｋｍ≠０は、正または負であり得る。
【０２３０】
【数１１０】
2019194607.tif 000113
（２６）
【０２３１】
ここで、
【数１１１】
2019194607.tif 000114
は、周波数領域における一方向マルチパスＲＦチャネル伝達関数であり、Ａ（ω）≧０である。
【０２３２】
対象は、受信信号を再送する。
【０２３３】
【数１１２】
2019194607.tif 000115
（２７）
【０２３４】
マスタ受信機において、ラウンドトリップ信号は、
【数１１３】
2019194607.tif 000116
または、
【数１１４】
2019194607.tif 000117
（２８）
である。
【０２３５】
一方、式（２６）及び（２８）から、
【数１１５】
2019194607.tif 000118
（２９）
【０２３６】
ここで、
【数１１６】
2019194607.tif 000119
は、周波数領域におけるラウンドトリップマルチパスＲＦチャネル伝達関数である。
【０２３７】
式２９から、ラウンドトリップマルチパスチャネルは、一方向チャネルマルチパスよりも多くの数のパスを有する。なぜなら、τ０÷τＮパス遅延に加えて式
【数１１７】
2019194607.tif 000120
は、これらのパス遅延の組み合わせ、例えば、τ０＋τ１、τ０＋τ２…、τ１＋τ２、τ１＋τ３，…等を含むからである。
【０２３８】
これらの組み合わせは、信号（複素指数）の数を劇的に増大させる。これゆえ、（時間において）非常に近くに間隔を置かれた信号の確率もまた、増大し、モデルサイズの著しい過小推定をもたらし得る。それゆえ、一方向マルチパスＲＦチャネル伝達関数を取得することが望ましい。
【０２３９】
好ましい実施形態では、一方向振幅値
【数１１８】
2019194607.tif 000121
が、対象／スレーブデバイスから直接的に取得可能である。しかしながら、一方向位相値
【数１１９】
2019194607.tif 000122
は、直接的に測定されることができない。ラウンドトリップ位相測定観測から一方向の位相を決定することが可能であり、すなわち、
【数１２０】
2019194607.tif 000123
及び
【数１２１】
2019194607.tif 000124
である。
【０２４０】
しかしながら、ωの各値について、
【数１２２】
2019194607.tif 000125
であるように、位相α（ω）の２つの値が存在する。
【０２４１】
この不明確さを解消する発明を実施するための形態は、以下に示される。レンジング信号の異なる周波数成分が互いに近い場合には、大部分について、一方向位相は、ラウンドトリップ位相を２で割ることによって見付けられ得る。例外は、位相は、小さな周波数ステップでさえも著しい変化を受け得る「ヌル」に近い領域を含む。「ヌル」現象は、複数のパスから入って来るＲＦ信号が、ＤＬＯＳパス及び互いと破壊的に結合している場合であり、それゆえ、受信信号強度及びそれと関連付けられたＳＮＲを著しく低減することに留意する。
【０２４２】
ｈ（ｔ）を通信チャネルの一方向インパルス応答とする。周波数領域における対応する伝達関数は、
【数１２３】
2019194607.tif 000126
（３０）
であり、
ここで、Ａ（ω）≧０は大きさであり、α（ω）は、伝達関数の位相である。一方向インパルス応答が、それが受信されるのと同じチャネルを通して再送されて戻される場合、結果として生じる二方向伝達関数は、
【数１２４】
2019194607.tif 000127
（３１）
であり、
ここで、Ｂ（ω）≧０である。二方向伝達関数Ｇ（ω）は、いくつかの開いた周波数区間（ω１，ω２）内の全てのωについて、既知であると想定する。ｇ（ω）を生成した（ω１，ω２）上で定義される一方向伝達関数Ｈ（ω）を決定することが可能である？
【０２４３】
二方向伝達関数の大きさは、一方向の大きさの二乗であるので、
【数１２５】
2019194607.tif 000128
（３２）
であることは明確である。
【０２４４】
しかしながら、Ｇ（ω）の観測から一方向伝達関数の位相を見出す試みにおいて、状況は、より把握し難い。ωの各値について、
【数１２６】
2019194607.tif 000129
（３３）
であるように、位相α（ω）の２つの値が存在する。
【０２４５】
多数の異なる解が、それぞれの異なる周波数ωについて、２つの可能な位相値のうちの１つを選択することによって独立して生成され得る。
【０２４６】
任意の一方向伝達関数が全ての周波数において連続的であることを仮定する、以下の定理は、この状況を解消するのに役立つ。
【０２４７】
定理１  Ｉを、二方向伝達関数
【数１２７】
2019194607.tif 000130
のゼロを含まない周波数ωの開いた区間とする。
【数１２８】
2019194607.tif 000131
をＩ上の連続関数とし、ここで、β（ω）＝２γ（ω）である。次いで、Ｊ（ω）及び−Ｊ（ω）は、Ｉ上でＧ（ω）を生成する一方向伝達関数であり、他は存在しない。
【０２４８】
証明  一方向伝達関数についての解の１つは、関数
【数１２９】
2019194607.tif 000132
であり、それは、Ｉ上で可微分であるので、Ｉ上で連続的であり、ここでβ（ω）＝２α（ω）である。Ｉ上でＧ（ω）≠０であるので、Ｈ（ω）及びＪ（ω）は、Ｉ上でゼロではない。次いで、
【数１３０】
2019194607.tif 000133
（３４）
【０２４９】
Ｈ（ω）及びＪ（ω）は、Ｉ上で連続的であり、かつゼロではないので、それらの比率は、Ｉ上で連続的であり、それゆえ、（３４）の右辺は、Ｉ上で連続的である。条件β（ω）＝２α（ω）＝２γ（ω）は、各ω∈Ｉについて、α（ω）−γ（ω）が、０またはπのいずれかであることを暗示する。しかしながら、α（ω）−γ（ω）は、（３４）の右辺に不連続性をもたらさずに、これらの２つの値間で転換することができない。それゆえ、全てのω∈Ｉについて、α（ω）−γ（ω）＝０、または全てのω∈Ｉについて、α（ω）−γ（ω）＝πのいずれかとなる。第１の場合では、Ｊ（ω）＝Ｈ（ω）を得て、第２の場合では、Ｊ（ω）＝−Ｈ（ω）を得る。
【０２５０】
この定理は、伝達関数
【数１３１】
2019194607.tif 000134
のゼロを含まない任意の開いた区間Ｉ上で一方向解を得ることを証明する。我々は、関数
【数１３２】
2019194607.tif 000135
を形成し、Ｊ（ω）を連続的にさせるようにβ（ω）＝２γ（ω）を満たすγ（ω）の値を選択する。この特性を有する解、すなわち、Ｈ（ω）が存在することが知られているので、これを行うことは常に可能である。
【０２５１】
一方向解を見付けるための代替の手順は、以下の定理に基づく。
【０２５２】
定理２  
【数１３３】
2019194607.tif 000136
を一方向伝達関数とし、ＩをＨ（ω）のゼロを含まない周波数ωの開いた区間とする。次いで、Ｈ（ω）の位相関数α（ω）は、Ｉ上で連続的である必要がある。
【０２５３】
証明  ω０を区間Ｉ内の周波数とする。図７において、複素値Ｈ（ω０）が、複素平面におけるある点として、及びＨ（ω０）≠０という仮説によって、プロットされている。ε＞０を任意の小さな実数とし、図７に示される２つの角度ε、ならびに２つの線ＯＡ及びＯＢにおいて中心を置かれると共にそれらに接する円を考える。仮定によって、Ｈ（ω）は、全てのωについて連続的である。それゆえ、ωがω０に十分に近い場合、複素値Ｈ（ω）は円内にあり、
【数１３４】
2019194607.tif 000137
であることが分かる。ε＞０が任意に選択されたので、我々は、位相関数α（ω）がω０において連続的であるように、ω→ω０の際にα（ω）→α（ω０）であると結論付ける。
【０２５４】
定理３  Ｉを、二方向伝達関数
【数１３５】
2019194607.tif 000138
のゼロを含まない周波数ωの開いた区間とする。
【数１３６】
2019194607.tif 000139
をＩ上の関数とし、ここで、β（ω）＝２γ（ω）であり、γ（ω）はＩ上で連続的である。次いで、Ｊ（ω）及び−Ｊ（ω）は、Ｉ上でＧ（ω）を生成する一方向伝達関数であり、他は存在しない。
【０２５５】
証明  この証明は、定理１の証明に類似する。我々は、一方向伝達関数についての解の１つは、関数
【数１３７】
2019194607.tif 000140
であることを知っており、ここで、β（ω）＝２α（ω）である。Ｉ上でＧ（ω）≠０であるので、Ｈ（ω）及びＪ（ω）は、Ｉ上でゼロではない。次いで、
【数１３８】
2019194607.tif 000141
（３５）
【０２５６】
仮説によって、γ（ω）はＩ上で連続的であり、定理２によって、α（ω）もまた、Ｉ上で連続的である。それゆえ、α（ω）−γ（ω）は、Ｉ上で連続的である。条件β（ω）＝２α（ω）＝２γα（ω）は、各ω∈Ｉについて、α（ω）−γ（ω）が、０またはπのいずれかであることを暗示する。しかしながら、α（ω）−γ（ω）は、Ｉ上で不連続的にならずに、これらの２つの値間で転換することができない。それゆえ、全てのω∈Ｉについて、α（ω）−γ（ω）＝０であるか、または全てのω∈Ｉについて、α（ω）−γ（ω）＝πのいずれかとなる。第１の場合では、Ｊ（ω）＝Ｈ（ω）を得て、第２の場合では、Ｊ（ω）＝−Ｈ（ω）を得る。
【０２５７】
定理３は、伝達関数
【数１３９】
2019194607.tif 000142
のゼロを含まない任意の開いた区間Ｉ上で一方向解を得ることを我々に示し、我々は、単純に関数
【数１４０】
2019194607.tif 000143
を形成し、位相関数γ（ω）を連続的にさせるようにβ（ω）＝２γα（ω）を満たすγ（ω）の値を選択する。この特性を有する解、すなわちＨ（ω）が存在することが知られているので、常に、これを行うことが可能である。
【０２５８】
上記定理は、二方向関数Ｇ（ω）を発生させる２つの一方向伝達関数をどのように再構築するかを示すが、それらは、Ｇ（ω）のゼロを含まない周波数区間Ｉ上のみにおいて有用である。一般に、Ｇ（ω）は、ゼロを含み得る周波数区間（ω１，ω２）上で観測される。以下は、この問題を回避し得る方法であり、（ω１，ω２）においてＧ（ω）の有限数のゼロのみが存在すること、かつ一方向伝達関数が、（ω１，ω２）上の全ての次数の導関数を有し、それらの全てが、任意の所与の周波数ωにおいてゼロになるとは限らないことを仮定する。
【０２５９】
Ｈ（ω）を区間（ω１，ω２）上でＧ（ω）を生成する一方向関数とし、Ｇ（ω）は、（ω１，ω２）上で少なくとも１つのゼロを有することを仮定する。Ｇ（ω）のゼロは、（ω１，ω２）を有限数の開いた隣接周波数区間Ｊ１，Ｊ２，・・・，Ｊｎに分離する。かかる各区間上で、解Ｈ（ω）または−Ｈ（ω）が、定理１または定理３のいずれかを使用して見付けられる。転換された解が（ω１，ω２）の全てにわたってＨ（ω）または−Ｈ（ω）のいずれかであるように、これらの解を「共に転換」する必要がある。これを行うために、我々は、サブ区間から次のサブ区間へと移動する際に、Ｈ（ω）から−Ｈ（ω）または−Ｈ（ω）からＨ（ω）に転換しないように、２つの隣接サブ区間内の解をどのように対にするかを知る必要がある。
【０２６０】
第１の２つの開いた隣接サブ区間Ｊ１及びＪ２で開始する転換手順を例示する。これらのサブ区間は、Ｇ（ω）のゼロである周波数ω１において隣接する（勿論、ω１は、いずれのサブ区間内にも含まれない）。一方向伝達関数の特性に関する我々の上記仮定によって、Ｈ（ｎ）（ω１）≠０であるように最小の正の整数ｎが存在する必要があり、ここで、上付き文字（ｎ）は、ｎ次導関数を示す。次いで、左からω→ω１としてＪ１内の我々の一方向解のｎ次導関数の極限値は、Ｊ１内の我々の解がＨ（ω）または−Ｈ（ω）であるかどうかに従って、Ｈ（ｎ）（ω１）または−Ｈ（ｎ）（ω１）のいずれかになる。同様に、右からω→ω１として、Ｊ２内の我々の一方向解のｎ次導関数の極限値は、Ｊ２内の我々の解が、−Ｈ（ω）または−Ｈ（ω）であるかどうかに従って、Ｈ（ｎ）（ω１）または−Ｈ（ｎ）（ω１）のいずれかになる。Ｈ（ｎ）（ω１）≠０であるので、２つの極限値は、Ｊ１及びＪ２における解が共にＨ（ω）または共に−Ｈ（ω）である場合かつそうである場合にのみ、等しくなる。左及び右側の極限値が等しくない場合、我々は、サブ区間Ｊ２内の解を反転する。そうではない場合には、反転しない。
【０２６１】
（必要に応じて）サブ区間Ｊ２内の解を反転した後、我々は、サブ区間Ｊ２及びＪ３について同一の手順を行い、（必要に応じて）サブ区間Ｊ３内の解を反転する。このように続けると、我々は、区間（ω１，ω２）上で完全解を最終的に構築する。
【０２６２】
Ｈ（ω）の高次導関数が、上記再構築手順において要求されないことが望ましいであろう。なぜなら、それらは、雑音の存在下で正確にコンピュータ計算することが困難であるからである。この問題が起こる可能性は低い。なぜなら、Ｇ（ω）の任意のゼロにおいて、Ｈ（ω）の一次導関数はゼロではない可能性が非常に高く、そうでない場合、二次導関数がゼロではない可能性が非常に高いように考えられるからである。
【０２６３】
実用的な方式では、二方向伝達関数Ｇ（ω）が、不連続周波数において測定され、その周波数は、Ｇ（ω）のゼロに近い導関数のかなり正確なコンピュータ計算を可能にするために共に十分に近い必要がある。
【０２６４】
ＲＦベースの距離測定の場合、事前に知られた形状を有するレンジング信号の、近くに間隔を置かれた、重複する、及び雑音の入った未知数の反響を解消する必要がある。レンジング信号が狭帯域であることを仮定すると、周波数領域では、このＲＦ現象は、各マルチパス成分毎の、ならびにパスの複素減衰及び伝搬遅延をそれぞれ伴う、いくつかの正弦波の合計として説明（モデル化）され得る。
【０２６５】
上述した合計のフーリエ変換を行うことは、時間領域においてこのマルチパスモデルを表現する。この時間領域表現における時間及び周波数変数の役割を交換すると、このマルチパスモデルは、高調波信号スペクトルになり、それにおいて、パスの遅延伝搬が、高調波信号に変換される。
【０２６６】
超（高）分解能スペクトル推定方法は、スペクトル内の近くに位置する周波数を区別するように設計され、複数の高調波信号の個々の周波数、例えば、パス遅延を推定するために使用される。結果として、パス遅延が、正確に推定され得る。
【０２６７】
超分解能スペクトル推定は、ベースバンドレンジング信号サンプルの共分散行列の固有構造及び共分散行列の固有特性を使用して、個々の周波数、例えば、パス遅延の根本的な推定に対する解決策を提供する。固有構造特性のうちの１つは、固有値が、結合され得、その結果として、直交雑音及び信号固有ベクトル、別名、部分空間に分割され得ることである。別の固有構造特性は、回転不変信号部分空間特性である。
【０２６８】
部分空間分解技術（ＭＵＳＩＣ、ｒｏｏｔＭＵＳＩＣ、ＥＳＰＲＩＴ等）は、観測されたデータの推定される共分散行列を２つの直交部分空間、雑音部分空間、及び信号部分空間に分けることに依存する。部分空間分解方法論の裏にある理論は、雑音部分空間上への可観測量の投影が雑音のみから成り、かつ信号部分空間上への可観測量の投影が信号のみから成ることである。
【０２６９】
スペクトル推定方法は、信号が狭帯域であり、高調波信号の数もまた既知であり、すなわち、信号部分空間のサイズが既知である必要があることを仮定する。信号部分空間のサイズは、モデルサイズとして呼ばれる。一般に、それは、詳しく知られることができず、環境が変化する際に、特に屋内で、急速に変化する可能性がある。任意の部分空間分解アルゴリズムを適用するときに最も困難な及び難解な問題のうちの１つは、存在する周波数成分の数として見なされ得る信号部分空間の次元であり、それは、直接パスを足したマルチパス反射数である。実世界の測定不完全性が原因で、常に、モデルサイズ推定における誤差が存在し、それは、次いで、周波数推定、すなわち、距離の正確性を損なうことを結果としてもたらす。
【０２７０】
距離測定の正確性を改良するために、一実施形態は、部分空間分解高分解能推定の先端技術の方法論を発展させる６つの特徴を含む。遅延パス決定の不明確さを更に減らす異なる固有構造特性を使用することによって、個々の周波数を推定する２つ以上のアルゴリズムを組み合わせることが、含まれる。
【０２７１】
Ｒｏｏｔ  Ｍｕｓｉｃは、可観測量が雑音部分空間上へ投影されるときに、投影のエネルギーを最小限にする個々の周波数を見付ける。ＥＳＰＲＩＴアルゴリズムは、回転演算子から個々の周波数を決定する。その上、多くの点で、この演算は、可観測量が信号部分空間上へ投影されるときに、投影のエネルギーを最大限にする周波数を見付けるという点で、Ｍｕｓｉｃの共役である。
【０２７２】
モデルサイズは、これらのアルゴリズムの両方への鍵であり、実際には、例えば、屋内のレンジングなどにおいて見られるような、複素信号環境では、Ｍｕｓｉｃ及びＥＳＰＲＩＴに最良の性能を提供するモデルサイズが、以下に記述される理由のために、一般に等しくない。
【０２７３】
Ｍｕｓｉｃの場合、「信号固有値」（第１種過誤）として分解の基本要素を識別し過ぎるくらい識別することが望ましい。これは、雑音部分空間上へ投影される信号エネルギーの量を最小限にして、正確性を改良する。ＥＳＰＲＩＴの場合、逆が真であり、すなわち、「雑音固有値」として分解の基本要素を識別し過ぎるくらい識別することが望ましい。これは、再び、第１種過誤である。これは、信号部分空間上へ投影されるエネルギーへの雑音の影響を最小限にする。したがって、Ｍｕｓｉｃの場合のモデルサイズは、一般に、ＥＳＰＲＩＴの場合よりもある程度大きい。
【０２７４】
第二に、複素信号環境では、強い反射、及び直接パスが実際にマルチパス反射のうちのいくつかよりもかなり弱い可能性のせいで、モデルサイズが、十分な統計的信頼性を持って推定することが困難である場合が生じる。この問題は、Ｍｕｓｉｃ及びＥＳＰＲＩＴの両方について「ベース」モデルサイズを推定することによって、ならびにそれぞれについてベースモデルサイズによって定義されたモデルサイズの窓内でＭｕｓｉｃ及びＥＳＰＲＩＴを使用して可観測データを処理することによって対処される。これは、各測定についての複数の測定を結果としてもたらす。
【０２７５】
実施形態の第１の特徴は、モデルサイズを推定するためのＦ統計量の使用である（上記を参照）。第２の特徴は、Ｍｕｓｉｃ及びＥＳＰＲＩＴについてのＦ統計量における異なる第１種過誤確率の使用である。これは、上述されるようにＭｕｓｉｃ及びＥＳＰＲＩＴ間の第１種過誤差を実現する。第３の特徴は、直接パスを検出する確率を最大限にするためのベースモデルサイズ及び窓の使用である。
【０２７６】
潜在的に急速に変化する物理的及び電子環境が原因で、全ての測定が、確固たる解答を提供するとは限らない。これは、確固たる範囲推定を提供するために複数の測定へのクラスタ分析を使用することによって対処される。実施形態の第４の特徴は、複数の測定の使用である。
【０２７７】
複数の信号が存在するので、Ｍｕｓｉｃ及びＥＳＰＲＩＴ実現形態の両方から複数のモデルサイズをそれぞれ使用して、複数の測定から結果として生じる複数の解答の確率分布は、多モードである。従来のクラスタ分析は、この適用に十分ではない。第５の特徴は、直接範囲及び反射されたマルチパス成分の同等範囲を推定するための多モードのクラスタ分析の展開である。第６の特徴は、クラスタ分析（範囲及び標準偏差、ならびに統計的に同一であるそれらの推定の組み合わせによって提供される範囲推定の統計量の分析である。これは、より正確な範囲推定を結果としてもたらす。
【０２７８】
上述した方法はまた、広帯域幅レンジング信号場所発見システムにおいて使用され得る。
【０２７９】
式（２０）を用いて開始する、閾値方法におけるｒ（ｔ）の導出のために、我々は、
【数１４１】
2019194607.tif 000144
（Ａ１）
を取得する。
【０２８０】
ここで、三角関数恒等式
【数１４２】
2019194607.tif 000145
が使用される。
【０２８１】
ａ０を除外して、係数ａｋは、偶数ｋの場合にゼロである。この理由は、区間Ｉ上で、我々が、ｈ（ｔ）で近似することを試みている関数１／ｓｉｎπΔｆｔは、Ｉの中心について偶数であるが、奇数ｋ、ｋ≠０の場合、基底関数ｓｉｎｋπΔｆｔは、Ｉの中心について奇数であり、それゆえ、Ｉ上で１／ｓｉｎπΔｆｔに直交であることである。それゆえ、我々は、ｋ＝２ｎ＋１の置換を行うことができ、Ｍを奇数の正の整数とする。実際には、我々は、Ｍ＝２Ｎ＋１とする。この選択は、区間Ｉ内の振動のキャンセルの相当量を提供するために実験的に決定されている。
【０２８２】
【数１４３】
2019194607.tif 000146
（Ａ２）
【０２８３】
ここで、我々は、第１の加算において置換ｋ＝Ｎ−ｎ及び第２の加算において置換ｋ＝Ｎ＋ｎ＋１を行い、
【数１４４】
2019194607.tif 000147
（Ａ３）
を取得する。
【０２８４】
ｓ（ｔ）からｇ（ｔ）の減算は、
【数１４５】
2019194607.tif 000148
（Ａ４）
を結果としてもたらす。
【０２８５】
ここで、
ｂ０＝１−（１／２）ａ２Ｎ＋１
ｂｋ＝２−（１／２）ａ２（Ｎ−ｋ）＋１  ｋ＝１，２，…，Ｎの場合
ｂｋ＝−（１／２）ａ２（ｋーＮ）−１  ｋ＝Ｎ＋１，Ｎ＋２，…，２Ｎ＋１の場合
ｃ＝−ａ０
（Ａ５）
とする。
【０２８６】
次いで、（Ａ４）は、
【数１４６】
2019194607.tif 000149
（Ａ６）
として書かれ得る。
【０２８７】
本実施形態は、関連技術の欠点のうちの１つ以上を実質的に取り除く無線通信及び他の無線ネットワークにおける測位／位置特定方法に関する。本実施形態は、有利に、特許文献３に記載されるマルチパス軽減プロセス、技法、及びアルゴリズムを利用することによって、複数の種類の無線ネットワークにおける追跡及び位置特定機能の正確性を改良する。これらの無線ネットワークは、無線パーソナルエリアネットワーク（ＷＰＧＡＮ）、例えばＺｉｇＢｅｅ及びＢｌｕｅ  Ｔｏｏｔｈ（登録商標）など、無線ローカルエリアネットワーク（ＷＬＡＮ）、例えばＷｉＦｉ及びＵＷＢなど、典型的には複数のＷＬＡＮからなる無線メトロポリタンエリアネットワーク（ＷＭＡＮ）、主な実施例であるＷｉＭａｘ、無線ワイドエリアネットワーク（ＷＡＮ）、例えばホワイトスペースＴＶ帯域など、ならびに典型的には音声及びデータを伝送するために使用されるモバイルデバイスネットワーク（ＭＤＮ）を含む。ＭＤＮは、典型的には、グローバルなモバイル通信システム（ＧＳＭ（登録商標））及び個人通信サービス（ＰＣＳ）規格に基づく。直近のＭＤＮは、ロングタームエボリューション（ＬＴＥ）規格に基づく。これらの無線ネットワークは、典型的には、基地局、デスクトップ、タブレット及びラップトップコンピュータ、ハンドセット、スマートホン、アクチュエータ、専用タグ、センサ、ならびに他の通信及びデータデバイス（一般に、これらのデバイスの全ては、「無線ネットワークデバイス」として称される）を含む、デバイスの組み合わせから成る。
【０２８８】
既存の位置特定及び測位情報の解決策は、ＧＰＳ、ＡＧＰＳ、携帯電話タワー三角測量、及びＷｉ−Ｆｉを含む、複数の技術ならびにネットワークを使用する。この位置特定情報を導出するために使用される方法のうちのいくつかは、ＲＦ指紋採取、ＲＳＳＩ、及びＴＤＯＡを含む。現在のＥ９１１要件に許容可能であるが、既存の位置特定及びレンジング方法は、来たるべきＥ９１１要件ならびにＬＢＳ及び／またはＲＴＬＳ適用要件、特に屋内及び都市環境を支援するために要求される信頼性ならびに正確性を有さない。
【０２８９】
特許文献３に記載された方法は、単一無線ネットワークまたは複数の無線ネットワークの組み合わせ内で対象デバイスを正確に位置特定及び追跡する能力を著しく改良する。実施形態は、ＤＬ−ＯＴＤＯＡ（ダウンリンクＯＴＤＯＡ）、Ｕ−ＴＤＯＡ、ＵＬ−ＴＤＯＡ及び他のものを含む、強化型セル−ＩＤならびにＯＴＤＯＡ（観測される到着時間差）を使用する無線ネットワークによって使用される追跡及び場所特定方法の既存の実現形態に対する著しい改良である。
【０２９０】
セルＩＤ場所技法は、特定のセクタカバレッジ範囲の正確性を伴うユーザ（ＵＥ−ユーザ機器）の位置の推定を可能にする。それゆえ、達成可能な正確性は、セル（基地局）セクタ化方式及びアンテナビーム幅に依存する。正確性を改良するために、強化型セルＩＤ技法は、ｅＮＢからのＲＴＴ（ラウンドトリップ時間）測定を加える。ここで、ＲＴＴは、ダウンリンクＤＰＣＨ−専用物理チャネル、（ＤＰＤＣＨ）／ＤＰＣＣＨ：専用物理データチャネル／専用物理制御チャネル）フレームの伝送と、対応するアップリンク物理フレームの開始との間の差を構成することに留意する。この実例では、上述したフレーム（複数可）が、レンジング信号として機能する。この信号がｅＮＢからＵＥまでどのくらい伝搬するかという情報に基づいて、ｅＮＢからの距離が計算され得る（図１０を参照）。
【０２９１】
観測される到着時間差（ＯＴＤＯＡ）技法では、近隣基地局（ｅＮＢ）から来る信号の到着時間が計算される。ＵＥ位置は、３つの基地局から信号が一旦受信されると、ハンドセット（ＵＥベースの方法）においてまたはネットワーク（ＮＴベースのＵＥ支援型方法）において推定され得る。測定される信号は、ＣＰＩＣＨ（共通パイロットチャネル）である。信号の伝搬時間は、局所的に発生される複製に相関している。相関のピークは、測定された信号の伝搬の観測された時間を示す。２つの基地局間の到着時間差値は、双曲線を決定する。少なくとも３つの基準点が、２つの双曲線を定義するために必要である。ＵＥの場所は、これらの２つの双曲線の交点にある（図１１を参照）。
【０２９２】
非活動（ｉｄｌｅ）期間ダウンリンク（ＩＰＤＬ）は、ＯＴＤＯＡを更に強化する。ＯＴＤＯＡ−ＩＰＤＬ技法は、通常のＯＴＤＯＡ時間測定が非活動期間に行われるのと同じ測定に基づき、それにおいて、サービングｅＮＢは、その伝送を終えて、このセルのカバレッジ内のＵＥが、遠方のｅＮＢ（複数可）から来るパイロットを聴くことを可能にする。サービングｅＮＢは、連続またはバーストモードにおいて非活動期間を提供する。連続モードでは、１つの非活動期間が、ダウンリンク物理フレーム（１０ミリ秒）毎に挿入される。バーストモードでは、非活動期間が、擬似ランダムに発生する。更なる改良が、時間整合ＩＰＤＬ（ＴＡ−ＩＰＤＬ）によって取得される。時間整合は、共通非活動期間を作り出し、その間に、各基地局が、その伝送を終えるか、または共通パイロットを伝送する。パイロット信号測定は、非活動期間において行われる。ＤＬ  ＯＴＤＯＡ−ＩＰＤＬ方法を更に強化し得るいくつかの他の技法、例えば、累積仮想ブランキング（Ｃｕｍｕｌａｔｉｖｅ  Ｖｉｒｔｕａｌ  Ｂｌａｎｋｉｎｇ）、ＵＴＤＯＡ（アップリンクＴＤＯＡ）等が存在する。これらの技法の全ては、他の（非サービング）ｅＮＢ（複数可）を聴く能力を改良する。
【０２９３】
ＯＴＤＯＡベースの技法の１つの著しい欠点は、この方法が実行可能であるために、基地局タイミング関係が既知であるまたは測定（同期）される必要があることである。非同期型ＵＭＴＳネットワークについて、３ＧＰＰ規格は、このタイミングがどのようにリカバリされ得るかを提案する。しかしながら、ネットワークオペレータは、かかる解決策を実施していない。結果として、ＣＰＩＣＨ信号測定の代わりにＲＴＴ測定を使用する代替案が提案された（特許文献４、Ｊｏｈｎ  Ｃａｒｌｓｏｎ  ｅｔ  ａｌ．、ＳＹＳＴＥＭ  ＡＮＤ  ＭＥＴＨＯＤ  ＦＯＲ  ＮＥＴＷＯＲＫ  ＴＩＭＩＮＧ  ＲＥＣＯＶＥＲＹ  ＩＮ  ＣＯＭＭＵＮＩＣＡＴＩＯＮＳ  ＮＥＴＷＯＲＫＳを参照）。
【０２９４】
上述した方法／技法の全ては、地上波信号到着時間及び／または到着時間差測定（ＲＴＴ、ＣＰＩＣＨ等）に基づく。かかる測定に関する問題は、これらが、マルチパスによって激しく影響を及ぼされることである。これは、次いで、上述した方法／技法の位置特定／追跡正確性を著しく低下させる（非特許文献４を参照）。
【０２９５】
１つのマルチパス軽減技法は、ｅＮＢ（複数可）または無線基地局（ＲＢＳ）の超過数からの検出／測定を使用する。最小数は３であるが、マルチパス軽減の場合、要求されるＲＢＳの数は、少なくとも６〜８にある（特許文献５、ＭＥＴＨＯＤ  ＡＮＤ  ＡＲＲＡＮＧＥＭＥＮＴ  ＦＯＲ  ＤＬ−ＯＴＤＯＡ  （ＤＯＷＮＬＩＮＫ  ＯＢＳＥＲＶＥＤ  ＴＩＭＥ  ＤＩＦＦＥＲＥＮＣＥ  ＯＦ  ＡＲＲＩＶＡＬ）ＰＯＳＩＴＩＯＮＩＮＧ  ＩＮ  Ａ  ＬＴＥ（ＬＯＮＧ  ＴＥＲＭ  ＥＶＯＬＵＴＩＯＮ）ＷＩＲＥＬＥＳＳ  ＣＯＭＭＵＮＩＣＡＴＩＯＮＳ  ＳＹＳＴＥＭを参照）。しかしながら、ＵＥがこの多数のｅＮＢ（複数可）から聴く確率は、３つのｅＮＢ（複数可）からよりもかなり低い。これは、多数のＲＢＳ（ｅＮＢ）を用いると、ＵＥから遠く離れたいくつかのものが存在し、これらのＲＢＳ（複数可）からの受信信号が、ＵＥ受信機感度レベルを下回り得るか、または受信信号が、低いＳＮＲを有するからである。
【０２９６】
ＲＦ反射（例えば、マルチパス）の場合では、様々な遅延時間を有するＲＦ信号の複数の複製が、ＤＬＯＳ（直接見通し線）信号の上に重畳させられる。ＲＴＴ測定を含む、様々なセルＩＤ及びＯＴＤＯＡ方法／技法に使用されるＣＰＩＣＨ、アップリンクＤＰＣＣＨ／ＤＰＤＣＨ、及び他の信号は、限定された帯域幅のものであるので、ＤＬＯＳ信号及び反射信号は、適切なマルチパス処理／軽減無しで区別されることができず、その上、このマルチパス処理無しでは、これらの反射信号は、ＲＴＴ測定を含む、推定される到着時間差（ＴＤＯＡ）及び到着時間（ＴＯＡ）測定において誤差を誘発する。
【０２９７】
例えば、３Ｇ  ＴＳ２５．５１５ｖ．３．０．０（１９９−１０）規格は、ＲＴＴを「…ダウンリンクＤＰＣＨフレーム（信号）の伝送と、ＵＥからの対応するアップリンクＤＰＣＣＨ／ＤＰＤＣＨフレーム（信号）の開始（第１の有意のパス）の受信との間の差」として定義する。規格は、何がこの「第１の有意のパス」を構成するかを定義していない。規格は、「第１の有意のパスの定義が、更なる推敲を必要とする」ことを注記し続ける。例えば、厳しいマルチパス環境では、それは、一般的な出来事であり、それによって、第１の有意のパスであるＤＬＯＳ信号が、１つ以上の反射信号（複数可）と比較して激しく減衰される（１０ｄＢ〜２０ｄＢ）。「第１の有意のパス」が、信号強度の測定によって決定される場合、それは、反射信号（複数可）のうちの１つであり得、ＤＬＯＳ信号ではない可能性がある。これは、誤ったＴＯＡ／ＤＴＯＡ／ＲＴＴ測定（複数可）及び位置特定正確性を損なうことを結果としてもたらす。
【０２９８】
従来の無線ネットワーク世代では、位置特定正確性がまた、位置特定方法によって使用されるフレーム（信号）、すなわち、ＲＴＴ、ＣＰＣＩＨ、及び他の信号の低いサンプリングレートによって影響を受けていた。現在の第３の及び以下の無線ネットワーク世代は、かなり高いサンプリングレートを有する。結果として、これらのネットワークでは、位置特定正確性の現実の影響は、地上波ＲＦ伝搬現象（マルチパス）に由来する。
【０２９９】
実施形態は、単信、半二重、及び全二重動作モードを含む、基準及び／もしくはパイロット信号、ならびに／または同期信号を利用する全ての無線ネットワークにおいて使用され得る。例えば、実施形態は、ＯＦＤＭ変調及び／またはその導関数を利用する無線ネットワークを用いて動作する。それゆえ、実施形態は、ＬＴＥネットワークを用いて動作する。
【０３００】
それは、ＷｉＭａｘ、ＷｉＦｉ、及びホワイトスペースを含む、他の無線ネットワークにもまた適用可能である。基準及び／もしくはパイロットまたは同期信号を使用しない他の無線ネットワークは、特許文献３に記載されるような以下の種類の代替の変調実施形態、すなわち、１）特許文献３に記載されるようにフレームの一部分が、レンジング信号／レンジング信号要素の専用である場合、２）レンジング信号要素（特許文献３）が伝送／受信信号フレーム（複数可）に埋め込まれる場合、及び３）（特許文献３に記載された）レンジング信号要素が、データと共に埋め込まれる場合のうちの１つ以上を利用してもよい。
【０３０１】
これらの代替の実施形態は、特許文献３に記載されたマルチパス軽減プロセッサ及びマルチパス軽減技法／アルゴリズムを利用し、単信、半二重、及び全二重の全動作モードにおいて使用され得る。
【０３０２】
また、複数の無線ネットワークが、同時に、好適な及び／または代替の実施形態を利用する可能性もある。実施例として、スマートホンが、複数のネットワーク上で同時に動作する能力を有するブルートゥース（登録商標）、ＷｉＦｉ、ＧＳＭ（登録商標）、及びＬＴＥ機能を有し得る。アプリケーション要求及び／またはネットワーク利用可能性に依存して、異なる無線ネットワークが、測位／位置特定情報を提供するために利用され得る。
【０３０３】
提案される実施形態方法及びシステムは、無線ネットワーク基準／パイロット及び／または同期信号を活用する。なおその上に、基準／パイロット信号／同期信号測定は、ＲＴＴ（ラウンドトリップ時間）測定またはシステムタイミングと組み合わされてもよい。ある実施形態によれば、ＲＦベースの追跡及び位置特定が、３ＧＰＰ  ＬＴＥセルラー式ネットワーク上で実現されるが、他の無線ネットワーク、例えば、種々の信号技法を利用するＷｉＭａｘ、Ｗｉ−Ｆｉ、ＬＴＥ、センサネットワーク上などでもまた実現され得る。例示的な実施形態及び上述した代替の実施形態の両方が、特許文献３に記載されるマルチパス軽減方法／技法及びアルゴリズムを利用する。提案されるシステムは、ソフトウェアで実現されるデジタル信号処理を使用することができる。
【０３０４】
実施形態のシステムは、ユーザ機器（ＵＥ）、例えば、携帯電話またはスマートホン、ハードウェア／ソフトウェアのみならず、基地局（ノードＢ）／強化型基地局（ｅＮＢ）ハードウェア／ソフトウェアを活用する。基地局は、一般に、供給線によってアンテナに接続される小屋またはキャビネット内の送信機及び受信機から成る。これらの基地局は、マイクロセル、ピコセル、マクロセル、アンブレラセル、携帯電話タワー、ルータ、及びフェムトセルを含む。結果として、ＵＥデバイス及びシステム全体に対してわずかな増分費用が存在するかまたは増分費用が存在しない。同時に、位置特定正確性が、著しく改良される。
【０３０５】
正確性の改良は、本実施形態及び特許文献３によって提供されるマルチパス軽減から生じる。実施形態は、マルチパス軽減アルゴリズム、ネットワーク基準／パイロット及び／または同期信号、ならびにネットワークノード（ｅＮＢ）を使用する。これらには、ＲＴＴ（ラウンド時間トリップ）測定が補足され得る。マルチパス軽減アルゴリズムは、ＵＥ及び／もしくは基地局（ｅＮＢ）、またはＵＥ及びｅＮＢの両方において実現される。
【０３０６】
実施形態は、１つ以上の反射信号と比較してＤＬＯＳ信号が著しく減衰される（１０ｄＢ〜２０ｄＢより低い）ときでさえも、ＤＬＯＳ信号及び反射信号の分離を可能にするマルチパス軽減プロセッサ／アルゴリズム（特許文献３を参照）を有利に使用する。それゆえ、実施形態は、推定されたレンジング信号ＤＬＯＳ飛行時間、ならびにその結果としてＴＯＡ、ＲＴＴ、及びＤＴＯＡ測定における誤差を著しく低減する。提案されるマルチパス軽減及びＤＬＯＳ区別（認識）方法は、全てのＲＦ帯域及び無線システム／ネットワーク上で使用され得る。更に、それは、スペクトル拡散技法、例えば、ＤＳＳ（直接スペクトル拡散：Ｄｉｒｅｃｔ  Ｓｐｒｅａｄ  Ｓｐｅｃｔｒｕｍ）及びＦＨ（周波数ホッピング）などを含む、様々な変調／復調技法を支援することができる。
【０３０７】
それに加えて、雑音低減方法は、方法の正確性を更に改良するために適用され得る。これらの雑音低減方法は、限定されるものではないが、可干渉性加算、非干渉性加算、適合フィルタリング、時間ダイバーシティ技法等を含むことができる。マルチパス干渉誤差の残りは、後処理技法、例えば、最尤推定（例えば、ビタビアルゴリズム）、最小分散推定（カルマンフィルタ）等を適用することによって、更に低減され得る。
【０３０８】
本実施形態では、マルチパス軽減プロセッサ及びマルチパス軽減技法／アルゴリズムが、ＲＴＴ、ＣＰＣＩＨ、及び他の信号及び／またはフレームを変えない。本実施形態は、チャネル応答／推定を取得するために使用される無線ネットワーク基準、パイロット、及び／または同期信号を活用する。発明は、ＵＥ及び／またはｅＮＢによって生じられるチャネル推定統計量を使用する（特許文献６及び特許文献７、Ｉｗａｍａｔｓｕ  ｅｔ  ａｌ．、ＡＰＰＡＲＡＴＵＳ  ＦＯＲ  ＥＳＴＩＭＡＴＩＮＧ  ＰＲＯＰＡＧＡＴＩＯＮ  ＰＡＴＨ  ＣＨＡＲＡＣＴＥＲＩＳＴＩＣＳを参照）。
【０３０９】
ＬＴＥネットワークは、あらゆるダウンリンク及びアップリンクサブフレームにおいて伝送される特有の（非データ）基準／パイロット及び／または同期ｓ信号（既知の信号）を使用し、セル帯域幅全体に及び得る。簡潔さのために、以後、基準／パイロット及び同期信号を基準信号と称する。ＬＴＥ基準信号の実施例は、図９にある（これらの信号は、ＬＴＥリソース要素の間に点在している）。図２から、基準信号（シンボル）が、６個のサブキャリア置きに伝送される。更に、基準信号（シンボル）は、時間及び周波数の両方においてずらされる。全体で、基準信号は、３個のサブキャリア置きにカバーしている。
【０３１０】
これらの基準信号は、ＵＥによる初期セル検索、ダウンリンク信号強度測定、スケジューリング、及びハンドオーバ等において使用される。可干渉性復調用のチャネル推定（応答決定）のためのＵＥに特有の基準信号が、基準信号に含まれる。ＵＥに特有の基準信号に加えて、他の基準信号もまた、チャネル推定目的のために使用され得る（Ｃｈｅｎ  ｅｔ  ａｌ．、特許文献８を参照）。
【０３１１】
ＬＴＥは、ＯＦＤＭ（直交周波数分割多重）変調（技法）を利用する。ＬＴＥでは、マルチパスによって引き起こされるＩＳＩ（符号間干渉）が、各ＯＦＤＭシンボルの始まりにおいてサイクリックプレフィックス（ＣＰ）の挿入によって対処される。ＣＰは、前のＯＦＤＭシンボルの遅延された反射信号が、次のＯＦＤＭシンボルに到達する前に消滅するように十分な遅延をもたらす。
【０３１２】
ＯＦＤＭシンボルは、複数の非常に密接に間隔を置かれたサブキャリアから成る。ＯＦＤＭシンボルの内側では（マルチパスによって引き起こされる）現在のシンボルの時間をずらされた複製が、キャリア間干渉（ＩＣＩ）を結果としてもたらす。ＬＴＥでは、ＩＣＩが、マルチパスチャネル応答の決定によって、及び受信機におけるチャネル応答の訂正によって対処（軽減）される。
【０３１３】
ＬＴＥでは、マルチパスチャネル応答（推定）が、基準シンボルを運ぶサブキャリアから受信機においてコンピュータ計算される。補間法が、残りのサブキャリア上のチャネル応答を推定するために使用される。チャネル応答は、チャネル振幅及び位相の形態で計算（推定）される。チャネル応答が（既知の基準信号の周期的な伝送によって）一旦決定されると、マルチパスによって引き起こされるチャネル歪みが、サブキャリア単位で振幅及び位相シフトを適用することによって軽減される（非特許文献５を参照）。
【０３１４】
ＬＴＥマルチパス軽減は、（サイクリックプレフィックスの挿入によって）ＩＳＩ及びＩＣＩを除去するように、ただし、反射信号からＤＬＯＳ信号を分離しないように設計される。例えば、現在のシンボルの時間をずらされた複製は、それぞれの変調されたサブキャリア信号をやがて拡散させ、それゆえ、ＩＣＩを引き起こす。上述したＬＴＥ技法を使用するマルチパスチャネル応答の訂正は、変調されたサブキャリア信号をやがて減らすが、この種の訂正は、（ＯＦＤＭシンボルの内側に）結果として生じる変調されたサブキャリア信号がＤＬＯＳ信号であることを保証しない。ＤＬＯＳ変調されたサブキャリア信号が、遅延された反射信号（複数可）と比較して著しく減衰される場合、結果として生じる出力信号は、遅延された反射信号（複数可）となり、ＤＬＯＳ信号が失われる。
【０３１５】
ＬＴＥに準拠した受信機では、更なる信号処理が、ＤＦＴ（デジタルフーリエ変換）を含む。ＤＦＴ技法（複数可）は、信号及び／またはチャネル帯域幅に反比例する時間よりも長いあるいはそれに等しい時間について遅延される信号（複数可）の複製のみを解消（除去）することができることは周知である。この方法の正確性は、効率的なデータ転送に適している可能性があるが、厳しいマルチパス環境における精密な距離測定のために十分に正確ではない。例えば、３０メートルの正確性を達成するために、信号及び受信機チャネル帯域幅は、十メガヘルツ（１／１０ＭＨｚ＝１００ｎｓ）よりも大きくまたはそれに等しくするべきである。より良い正確性のために、信号及び受信機チャネル帯域幅は、３メートルの場合、より広範囲の、百メガヘルツであるべきである。
【０３１６】
しかしながら、ＲＴＴ測定を含む、様々なセルＩＤ及びＯＴＤＯＡ方法／技法において使用されるＣＰＩＣＨ、アップリンクＤＰＣＣＨ／ＤＰＤＣＨ、及び他の信号、ならびにＬＴＥ受信信号サブキャリアは、十メガヘルツよりも著しく低い帯域幅を有する。結果として、（ＬＴＥにおいて）現在利用される方法／技法は、１００メートルの範囲において位置特定誤差を生じる。
【０３１７】
上記制限を克服するために、実施形態は、部分空間分解高分解能スペクトル推定方法論及び多モードのクラスタ分析の実現形態の固有の組み合わせを使用する。特許文献３に記載されるこの分析ならびに関連したマルチパス軽減方法／技法及びアルゴリズムは、他の反射信号パスからのＤＬＯＳパスの信頼できる及び正確な分離を可能にする。
【０３１８】
ＬＴＥに使用される方法／技法と比較して、厳しいマルチパス環境では、この方法／技法及びアルゴリズム（特許文献３）は、他のマルチパス（ＭＰ）のパスからのＤＬＯＳパスの信頼できる及び正確な分離によって、距離測定において２０倍〜５０倍の正確性の改良を達成する。
【０３１９】
特許文献３に記載される方法／技法及びアルゴリズムは、レンジング信号複素振幅推定を要求する。したがって、チャネル推定（応答決定）のために使用されるＬＴＥ基準信号ならびに（パイロット及び／または同期信号を含む他の基準信号はまた、特許文献３に記載される方法／技法及びアルゴリズムにおいてレンジング信号として解釈され得る。この場合では、レンジング信号複素振幅が、振幅及び位相の形態でＬＴＥ受信機によって計算（推定）されるチャネル応答である。換言すれば、ＬＴＥ受信機によって計算（推定）されるチャネル応答統計量は、特許文献３に記載される方法／技法及びアルゴリズムによって要求される複素振幅情報を提供することができる。
【０３２０】
マルチパスを伴わない理想的な開放空間ＲＦ伝搬環境では、受信信号（レンジング信号）の位相変化、例えば、チャネル応答位相が、信号の周波数に正比例する（直線）。かかる環境におけるＲＦ信号飛行時間（伝搬遅延）は、周波数に対する位相依存性の一次導関数をコンピュータ計算することによって、周波数に対する位相依存性から直接的にコンピュータ計算され得る。結果は、伝搬遅延定数である。
【０３２１】
この理想的な環境では、初期（または任意の）周波数における絶対位相値は重要ではなく、なぜなら、導関数は、位相絶対値によって影響を受けないからである。
【０３２２】
厳しいマルチパス環境では、受信信号の周波数に対する位相変化が、複雑な曲線（非直線）であり、一次導関数は、他の反射信号パスからのＤＬＯＳパスの正確な分離のために使用され得る情報を提供しない。これは、特許文献３に記載されるマルチパス軽減プロセッサ及び方法（複数可）／技法ならびにアルゴリズムを利用する理由である。
【０３２３】
所与の無線ネットワーク／システムにおいて達成される位相及び周波数同期（位相可干渉性）が非常に良好である場合には、特許文献３に記載されるマルチパス軽減プロセッサ及び方法（複数可）／技法ならびにアルゴリズムは、他の反射信号パスからＤＬＯＳパスを正確に分離して、このＤＬＯＳパス長（飛行時間）を決定する。
【０３２４】
この位相可干渉性ネットワーク／システムでは、追加測定が要求されない。換言すれば、一方向レンジング（単信レンジング）が実現され得る。
【０３２５】
しかしながら、所与の無線ネットワーク／システムにおいて達成される同期（位相可干渉性）の度合いが十分に正確ではない場合には、厳しいマルチパス環境において、受信信号の周波数に対する位相及び振幅変化が、２つ以上の異なる場所（距離）において行われる測定に非常に類似し得る。この現象は、受信信号のＤＬＯＳ距離（飛行時間）決定における不明確さへと導き得る。
【０３２６】
この不明確さを解消するために、少なくとも１つの周波数について実際の（絶対）位相値を知ることが必要である。
【０３２７】
しかしながら、ＬＴＥ受信機によってコンピュータ計算される周波数に対する振幅及び位相依存性は、実際の位相値を含まない。なぜなら、全ての振幅及び位相値は、例えば、互いに対して、ダウンリンク／アップリンク基準信号からコンピュータ計算されるからである。それゆえ、ＬＴＥ受信機によって計算（推定）されるチャネル応答の振幅及び位相は、少なくとも１つの周波数（サブキャリア周波数）における実際の位相値を必要とする。
【０３２８】
ＬＴＥでは、この実際の位相値が、１つ以上のＲＴＴ測定（複数可）、ＴＯＡ測定から、または、１つ以上の受信された基準信号のタイムスタンピングから、但し、１）ｅＮＢによってこれらの信号を伝送するこれらのタイムスタンプがまた、受信機において既知であり（または逆もまた同じであり）、２）受信機及びｅＮＢクロックが、時間内にうまく同期され、及び／または３）多辺測量技法を使用することによって、決定され得る。
【０３２９】
上記方法の全ては、１つ以上の基準信号の飛行時間値を提供する。これらの基準信号の飛行時間値及び周波数から、１つ以上の周波数における実際の位相値が計算され得る。
【０３３０】
本実施形態は、特許文献３に記載されるマルチパス軽減プロセッサ、方法（複数可）／技法、及びアルゴリズムを、１）ＬＴＥ  ＵＥ及び／もしくはｅＮＢ受信機によってコンピュータ計算される周波数に対する振幅及び位相依存性、または２）ＬＴＥ  ＵＥ及び／もしくはｅＮＢ受信機によってコンピュータ計算される周波数に対する振幅及び位相依存性と、ＲＴＴ及び／もしくはＴＯＡを経て取得される１つ以上の周波数についての実際の位相値（複数可）の組み合わせ、ならびに／あるいはタイムスタンピング測定と組み合わせることによって、厳しいマルチパス環境における高度に正確なＤＬＯＳ距離決定／位置特定を達成する。
【０３３１】
これらの場合では、実際の位相値（複数可）が、マルチパスによって影響を受ける。しかしながら、これは、特許文献３に記載される方法／技法及びアルゴリズムの性能に影響を及ぼさない。
【０３３２】
ＤＬ−ＯＴＤＯＡ、Ｕ−ＴＤＯＡ、ＵＬ−ＴＤＯＡ等を含む、ＬＴＥ  ＲＴＴ／ＴＯＡ／ＴＤＯＡ／ＯＴＤＯＡでは、測定が、５メートルの分解能で実行され得る。ＲＴＴ測定は、専用の接続の間に実行される。それゆえ、複数の同時測定が、ＵＥがハンドオーバ状態にあるとき、及びＵＥが測定を周期的に収集してＵＥに報告し戻す時に可能であり、その間に、ＤＰＣＨフレームが、ＵＥ及び異なるネットワーク（基地局）間で交換される。ＲＴＴに類似して、ＴＯＡ測定は、信号の飛行時間（伝搬遅延）を提供するが、ＴＯＡ測定は、同時に行われることができない（非特許文献４）。
【０３３３】
平面上のＵＥを位置特定するために、ＤＬＯＳ距離が、少なくとも３つのｅＮＢ（複数可）から／に対して決定される必要がある。三次元空間においてＵＥを位置特定するために、４つのｅＮＢ（複数可）から／に対して最低でも４つのＤＬＯＳ距離が、（少なくとも１つのｅＮＢが同一平面上にないことを仮定して）決定される必要がある。
【０３３４】
ＵＥ測位方法の実施例は、図１に示される。
【０３３５】
非常に良好な同期の場合では、ＲＴＴ測定が要求されない。
【０３３６】
同期の度合いが十分に正確ではない場合には、ＯＴＤＯＡ、セルＩＤ＋ＲＴＴ、及び他のもの、例えば、ＡＯＡ（到着角）及び他の方法とのその組み合わせのような方法が、ＵＥ位置特定のために使用され得る。
【０３３７】
セルＩＤ＋ＲＴＴ追跡−位置特定方法の正確性は、マルチパス（ＲＴＴ測定）及びｅＮＢ（基地局）アンテナビーム幅によって影響を受ける。基地局のアンテナビーム幅は、３３〜６５度にある。これらの広いビーム幅は、都市圏において５０〜１５０メートルの位置特定誤差を結果としてもたらす（非特許文献４）。厳しいマルチパス環境において、現在のＬＴＥ  ＲＴＴ距離測定平均誤差が約１００メートルであることを考えると、ＬＴＥセルＩＤ＋ＲＴＴ方法によって現在利用される全予想平均位置特定誤差は、約１５０メートルである。
【０３３８】
実施形態のうちの１つは、ＡＯＡ方法に基づくＵＥ位置特定であり、それによって、ＵＥからの１つ以上の基準信号が、ＵＥ位置特定目的のために使用される。それは、ＤＬＯＳ  ＡＯＡを決定するためのＡＯＡ決定デバイス場所を含む。デバイスは、基地局と共に位置し得る及び／または基地局場所から独立した別の１つ以上の場所に設置され得る。これらの場所の座標は、推定上、既知である。変更は、ＵＥ側で要求されない。
【０３３９】
このデバイスは、小さなアンテナアレイを含み、特許文献３に記載される同じマルチパス軽減プロセッサ、方法（複数可）／技法、及びアルゴリズムの変形に基づく。この１つの可能な実施形態は、ＵＥユニットからのＤＬＯＳ  ＲＦエネルギーのＡＯＡの精密な決定（非常に狭いビーム幅）という利点を有する。
【０３４０】
１つの他の選択肢では、この追加されるデバイスは、受信専用デバイスである。結果として、そのサイズ／重量及び費用は、非常に低い。
【０３４１】
正確なＤＬＯＳ距離測定が取得される実施形態と、正確なＤＬＯＳ  ＡＯＡ決定が行われ得る実施形態との組み合わせは、セルＩＤ＋ＲＴＴ追跡−位置特定方法精度を大幅に、１０倍以上改良する。このアプローチの別の利点は、ＵＥ場所が、単一タワーを用いていつでも決定され得ることである（ＵＥをソフトハンドオーバモードに置くことを要求しない）。正確な場所の確定は、単一タワーを用いて取得され得るので、複数のセルタワーを同期する必要性がない。ＤＬＯＳ  ＡＯＡを決定する別の選択肢は、既存のｅＮＢアンテナアレイ及びｅＮＢ機器を使用することである。この選択肢は、改良されたセルＩＤ＋ＲＴＴ方法の実現形態の費用を更に低くし得る。しかしながら、ｅＮＢアンテナは、位置特定用途のために設計されないので、測位正確性は、低下させられる可能性がある。また、ネットワークオペレータは、基地局（ソフトウェア／ハードウェア）において要求された変更を実施しようとしない可能性がある。
【０３４２】
ＬＴＥ（進化型ユニバーサル地上波無線通信アクセス（Ｅ−ＵＴＲＡ）、物理チャネル及び変調、３ＧＰＰ  ＴＳ３６．２１１リリース９技術仕様）では、測位基準信号（ＰＲＳ）が追加された。これらの信号は、ＤＬ−ＯＴＤＡ（ダウンリンクＯＴＤＯＡ）測位のためにＵＥによって使用される。また、このリリース９は、ｅＮＢ（複数可）が同期されることを要求する。それゆえ、ＯＴＤＯＡ方法についての最後の障害を取り除く（上記段落２７４を参照）。ＰＲＳは、複数のｅＮＢのＵＥにおけるＵＥの可聴性を改良する。リリース９は、ｅＮＢ同期正確性を指定しなかったことに留意する（いくつかの提案では、１００ｎｓ）。
【０３４３】
Ｕ−ＴＤＯＡ／ＵＬ−ＴＤＯＡは、研究段階にあり、２０１１に規格化される。
【０３４４】
（リリース９における）ＤＬ−ＯＴＤＯＡ方法は、特許文献９（Ｍｅｔｈｏｄ  ａｎｄ  Ａｐｐａｒａｔｕｓ  ｆｏｒ  ＵＥ  ｐｏｓｉｔｉｏｎｉｎｇ  ｉｎ  ＬＴＥ  ｎｅｔｗｏｒｋｓ、Ｃｈｅｎ，ａｔ  ａｌ．）に詳述されている。リリース９ＤＬ−ＯＴＤＯＡは、マルチパスに悩まされる。マルチパス軽減のうちのいくつかは、ＰＲＳ信号帯域幅の増大によって達成され得る。しかしながら、その代償は、スケジューリング複雑性の増大及びＵＥ位置確定間のより長い時間である。その上、限定された動作帯域幅、例えば１０ＭＨｚを用いるネットワークの場合、最良の可能な正確性は１００メートルであり、Ｃｈｅｎ、表１を参照。
【０３４５】
上記数字は最良の可能な場合である。他の場合、特に、反射信号（複数可）強度と比較してＤＬＯＳ信号強度が著しく低い（１０〜２０ｄＢ）ときに、著しく大きな（２倍〜４倍の）上述した位置特定／レンジング誤差を結果としてもたらす。
【０３４６】
本明細書に記載される実施形態は、背景技術の欄に記載されたＣｈｅｎ  ｅｔ  ａｌ．のリリース９ＤＬ−ＯＴＤＯＡ方法及びＵＬ−ＰＲＳ方法によって達成される性能を超える、所与の信号帯域幅について最大５０倍までのレンジング／位置特定正確性の改良を可能にする。それゆえ、本明細書に記載される方法の実施形態をリリース９ＰＲＳ処理に適用することは、全ての可能な場合の９５％において３メートルまたはそれよりも良い方に至るまで位置特定誤差を低減させる。加えて、この正確性の増加は、スケジューリング複雑性及びＵＥ位置確定間の時間を減らす。
【０３４７】
本明細書に記載される実施形態を用いると、ＯＴＤＯＡ方法のための更なる改良が可能である。例えば、サービングセルに対するレンジングが、他のサービングセルの信号から決定され得、それゆえ、近隣セルの可聴性を改良し、ＵＥ位置確定間の時間を含むスケジューリング複雑性を減らす。
【０３４８】
実施形態はまた、（背景技術に記載される）Ｃｈｅｎ  ｅｔ  ａｌ．からＵ−ＴＤＯＡ方法及びＵＬ−ＴＤＯＡの正確性が、最大５０時間まで改良されることを可能にする。実施形態をＣｈｅｎのＵＬ−ＴＤＯＡの変形に適用すると、全ての可能な場合の９５％において３メートルまたはそれよりも良い方に至るまで位置特定誤差を低減する。その上、この正確性の増加は、スケジューリング複雑性及びＵＥ位置確定間の時間を更に減らす。
【０３４９】
再度、本実施形態を用いると、ＣｈｅｎのＵＬ−ＴＤＯＡ方法の正確性が、最大５０倍まで改良され得る。それゆえ、本実施形態をＣｈｅｎのＵ−ＴＤＯＡ変形に適用することは、位置特定誤差を全ての可能な場合の９５％における３メートルまたはそれよりも良い方に至るまで低減する。その上、この正確性の増加は、スケジューリング複雑性及びＵＥ位置確定間の時間を更に減らす。
【０３５０】
上述したＤＬ−ＴＤＯＡ及びＵ−ＴＤＯＡ／ＵＬ−ＴＤＯＡ方法は、一方向測定（レンジング）に頼る。本実施形態及び事実上全ての他のレンジング技術は、一方向レンジングのプロセスに使用されるＰＲＳ及び／または他の信号が、周波数及び位相可干渉性であることを要求する。ＬＴＥのようなＯＦＤＭベースのシステムは、周波数可干渉性である。しかしながら、ＵＥユニット及びｅＮＢ（複数可）は、数ナノ秒に対して、ＵＴＣのような共通ソースによって位相または時間同期されず、例えば、ランダム位相加算器が存在する。
【０３５１】
レンジング正確性に影響を及ぼす位相可干渉性を回避するために、マルチパスプロセッサの実施形態は、レンジング信号（複数可）間の異なる位相、例えば、基準信号、個々の成分（サブキャリア）を計算する。これは、ランダム位相項加算器を除去する。
【０３５２】
Ｃｈｅｎ  ｅｔ  ａｌ．の考察において上記で特定されたように、本明細書に記載される実施形態の適用は、Ｃｈｅｎ  ｅｔ  ａｌ．によって達成される性能と比較して屋内環境における著しい正確性の改良を結果としてもたらす。例えば、Ｃｈｅｎ、ｅｔ  ａｌ．によれば、ＤＬ−ＯＴＤＯＡ及び／またはＵ−ＴＤＯＡ／ＵＬ−ＴＤＯＡは、主として屋外環境用であり、屋内（建物、構内等）では、ＤＬ−ＯＴＤＯＡ及びＵ−ＴＤＯＡ技術は、うまく動作しない可能性がある。屋内で普通に利用される分散型アンテナシステム（ＤＡＳ）を含み、それによって、各アンテナが固有ＩＤを有さない、いくつかの理由が記される（Ｃｈｅｎ、＃１６１〜１６４を参照）。］
【０３５３】
以下に記載される実施形態は、ＯＦＤＭ変調及び／またはその導関数、ならびに基準／パイロット／及びまたは同期信号を利用する無線ネットワークを用いて動作する。それゆえ、以下に記載される実施形態は、ＬＴＥネットワークを用いて動作し、それはまた、基準／パイロット／及び／または同期信号を用いるあるいは用いない、他の種類の変調を含む、他の無線システムならびに他の無線ネットワークに適用可能である。
【０３５４】
本明細書に記載されるアプローチはまた、ＷｉＭａｘ、ＷｉＦｉ、及びホワイトスペースを含む、他の無線ネットワークに適用可能である。基準／パイロット及び／または同期信号を使用しない他の無線ネットワークは、特許文献３に記載されるような以下の種類の代替の変調実施形態、すなわち、１）フレームの一部分が、レンジング信号／レンジング信号要素の専用である場合、２）レンジング信号要素が、伝送／受信信号フレーム（複数可）に埋め込まれる場合、及び３）レンジング信号要素が、データと共に埋め込まれる場合のうちの１つ以上を利用し得る。
【０３５５】
本明細書に記載される（また、特許文献１０及び特許文献１１に記載される）マルチパス軽減範囲推定アルゴリズムの実施形態は、マルチパス反射に信号の直接パス（ＤＬＯＳ）を足したものから構成された集合で範囲の推定を提供することによって機能する。
【０３５６】
ＬＴＥ  ＤＡＳシステムは、モバイル受信機（ＵＥ）に対する様々な時間オフセットにおいて見られる同じ信号の複数の複製を作り出す。遅延は、アンテナ及びモバイル受信機の幾何学的関係を一意的に決定するために使用される。受信機によって見られる信号は、複数のＤＡＳアンテナからのオフセット信号の合計からの主「マルチパス」成分結果を除いて、マルチパス環境によって見られるものに類似する。
【０３５７】
受信機によって見られる信号集合は、この場合では、主マルチパス成分が伝統的なマルチパスではないことを除いて、利用するように設計される信号集合実施形態の種類と同一である。本マルチパス軽減プロセッサ（アルゴリズム）は、ＤＬＯＳ及び各パス、例えば、反射（式１〜３及び関連記載を参照）の減衰ならびに伝搬遅延を決定することができる。マルチパスは、分散的なＲＦチャネル（環境）が原因で存在し得るが、この信号集合における主マルチパス成分は、複数のアンテナからの伝送と関連付けられる。本マルチパスアルゴリズムの実施形態は、これらのマルチパス成分を推定し、受信機に対するＤＡＳアンテナの範囲を分離し、及び範囲データを（ソフトウェアにおいて実現される）位置特定プロセッサに提供することができる。アンテナ配置の幾何学的配列に依存して、この解決策は、Ｘ、Ｙ及びＸ、Ｙ、Ｚの両方の場所座標を提供することができる。
【０３５８】
結果として、本実施形態は、ハードウェア及び／または新たなネットワーク信号（複数可）の追加を要求しない。その上、測位正確性が、１）マルチパスを軽減すること、及び２）アクティブＤＡＳの場合では、測位誤差の下限が、劇的に低減され得、例えば、約５０メートルから約３メートルに削減することなどによって、著しく改良され得る。
【０３５９】
ＤＡＳの各アンテナの位置（場所）が既知であることが仮定される。各アンテナの（または他のアンテナに対する）信号伝搬遅延がまた、決定される（既知である）必要がある。
【０３６０】
アクティブＤＡＳシステムの場合、信号伝搬遅延は、折返し技法を使用して、自動的に決定され得、それによって、既知の信号がラウンドトリップに送られ、このラウンドトリップ時間が測定される。この折返し技法はまた、温度、経時的等による信号伝搬遅延変化（ドリフト）を除去する。
【０３６１】
複数のマクロセル及び関連アンテナを使用して、ピコセル及びマイクロセルは、追加基準点を提供することによって分解能を更に強化する。複数のアンテナからの複数の複製の信号集合における個々の範囲推定の上記した実施形態は、以下の２つの手法での信号伝送構造への変更によって更に強化され得る。第１に、各アンテナからの伝送を時間多重化することである。第２のアプローチは、アンテナのそれぞれについて周波数多重化することである。両方の強化を使用すると、時間及び周波数多重化が、同時に、システムのレンジング及び位置特定の正確性を更に改良する。別のアプローチは、伝搬遅延を各アンテナに追加することである。遅延値は、特定のＤＡＳ環境（チャネル）において遅延拡散を超えるほど十分長いように選択されるが、更なる遅延によって引き起こされるマルチパスが、ＩＳＩ（符号間干渉）を結果としてもたらさないように、サイクリックプレフィックス（ＣＰ）長よりも小さい。
【０３６２】
各アンテナについての固有ＩＤまたは固有識別子の追加は、結果として生じる解決策の効率を上げる。例えば、それは、プロセッサが、アンテナのそれぞれからの信号から範囲の全てを推定する必要性を無くす。
【０３６３】
ＬＴＥダウンリンクを利用する一実施形態では、パイロット及びまたは同期信号（複数可）サブキャリアを含む、１つ以上の基準信号（複数可）サブキャリアが、サブキャリア位相及び振幅を決定するために使用され、そのキャリア位相及び振幅は、次いで、マルチパス干渉軽減と、範囲ベースの場所可観測量ならびに的外れな点を編集して削除するための多辺測量及び場所整合性アルゴリズムを使用する位置特定推定の発生のために、マルチパスプロセッサに適用される。
【０３６４】
別の実施形態は、ＬＴＥアップリンク信号がまた、ベースに対するモバイルデバイス、基準信号を含み、それはまた、基準サブキャリアを含むという事実を活用する。事実、周波数帯域をアップリンクデバイスに割り当てるためにネットワークによって使用される全面的な探測モードから、基準サブキャリアが、チャネルインパルス応答を発生し、アップリンク信号等の復調を助けるために使用されるモードまでのこれらのサブキャリアを含む、２つ以上のモードが存在する。また、リリース９に追加されるＤＬ  ＰＲＳと同様に、追加のＵＬ基準信号が、来たるべき及び将来の標準的なリリースにおいて追加され得る。この実施形態では、アップリンク信号が、位相に対する同じ範囲、範囲に関連した可観測量を発生させるためのマルチパス軽減処理を使用して複数のベースユニット（ｅＮＢ）によって処理される。この実施形態では、場所整合性アルゴリズムが、的外れな可観測点を編集して位置特定推定を発生させるために、多辺測量アルゴリズムによって確立されるように使用される。
【０３６５】
更に別の実施形態、ＬＴＥダウンリンク及びＬＴＥアップリンクの両方の（パイロット及び／または同期を含む）関連する１つ以上の基準サブキャリアが収集され、位相マッピングに対する範囲が適用され、マルチパス軽減が適用され、範囲に関連付けられた可観測量が推定される。これらのデータは、次いで、多辺測量アルゴリズム及び場所整合性アルゴリズムを使用して場所についてのより確固たる組の可観測量を提供するような手法で合わされる。利点は、ダウンリンク及びアップリンクの２つの異なる周波数帯域の故に、またはシステム可干渉性を改良するＴＤＤ（時間分割二重化）の場合では、正確性の改良を結果としてもたらす冗長性になる。
【０３６６】
複数のアンテナがマイクロセルから同じダウンリンク信号を伝送するＤＡＳ（分散型アンテナシステム）環境では、場所整合性アルゴリズム（複数可）が、（パイロット及び／または同期を含む）基準信号（複数可）サブキャリアからマルチパス軽減処理によって発生された可観測量からＤＡＳアンテナの範囲を分離するように、ならびに複数のＤＡＳエミッタ（アンテナ）範囲から場所推定を取得するように、拡張される。
【０３６７】
ＤＡＳシステム（環境）では、正確な場所推定を取得することが、個々のアンテナからの信号パスが高い正確性で解明され得る場合にのみ可能であり、それによって、パス誤差が、アンテナ間の距離のごくわずかのみ（１０メートルのまたはそれより良い正確性）となる。全ての既存の技法／方法は、厳しいマルチパス環境においてかかる正確性を提供することができない（複数のＤＡＳアンテナからの信号が、誘発された厳しいマルチパスとして出現する）ので、既存の技法／方法は、ＤＡＳ環境において場所整合性アルゴリズム（複数可）及びこの位置特定方法／技法の上述した拡張をうまく利用することができない。
【０３６８】
特許文献３に記載される、物体識別及び場所発見のための不可視性追跡（ＩｎｖｉｓｉＴｒａｃｋ）マルチパス軽減方法ならびにシステムが、信号位相マッピングに対する範囲、マルチパス干渉軽減、及びプロセスに適用され、ＬＴＥダウンリンク、アップリンク、及び／またはその両方（ダウンリンクとアップリンク）の１つ以上の基準信号（複数可）サブキャリアを利用して、かつ場所推定を発生させるために多辺測量及び場所整合性を使用して、範囲ベースの場所可観測量を発生させる。
【０３６９】
上記実施形態の全てにおいて、三辺測量測位アルゴリズムがまた、利用されてもよい。
【０３７０】
ＤＬ−ＯＴＤＯＡ位置特定が、ＬＴＥリリース９、すなわち、進化型ユニバーサル地上波無線通信アクセス（Ｅ−ＵＴＲＡ）、物理チャネル及び変調、３ＧＰＰ  ＴＳ３６．２１１リリース９技術仕様に指定された。しかしながら、それは、無線オペレータ（キャリア）によって実施されていない。その一方で、ダウンリンク位置特定は、既存の物理層測定操作（複数可）を使用することによって、現在の、例えば、未修正の、ＬＴＥネットワーク環境内で実現され得る。
【０３７１】
ＬＴＥでは、ＵＥ及びｅＮＢが、無線通信特徴の物理層測定を行うことを要求される。測定定義は、３ＧＰＰ  ＴＳ３６．２１４に指定されている。これらの測定は、周期的に行われ、上位層に報告され、同一周波数内及び異周波数間ハンドオーバ、異なる無線通信間アクセス技術（インターＲＡＴ）ハンドオーバ、タイミング測定を含む、種々の目的、ならびにＲＲＭ（無線通信リソース管理）の支援における他の目的のために使用される。
【０３７２】
例えば、ＲＳＲＰ（基準信号受信電力）は、セル特有の基準信号を全帯域幅上で運ぶ全てのリソース要素の電力の平均である。
【０３７３】
別の実施例は、追加情報を提供するＲＳＲＱ（基準信号受信品質）測定である（ＲＳＲＱは、信号強度のみならず干渉レベルを組み合わせる）。
【０３７４】
ＬＴＥネットワークは、ＵＥに（サービングｅＮＢに対する）ｅＮＢ近隣リストを提供する。ネットワーク知識構成に基づいて、（サービング）ｅＮｏｄｅ（ノード）Ｂは、ＵＥに近隣ｅＮＢの識別子等を提供する。ＵＥは、次いで、それが受信することができる近隣の信号品質を測定する。ＵＥは、ｅＮｏｄｅＢに結果を報告し戻す。ＵＥはまた、サービングｅＮＢの信号品質も測定することに留意する。
【０３７５】
仕様によれば、ＲＳＲＰは、考慮される測定周波数帯域幅内でセル特有の基準信号を運ぶリソース要素の電力寄与（単位［Ｗ］）についての線形平均として定義される。ＲＳＲＰを決定するためにＵＥによって使用される測定帯域幅は、対応する測定正確性要件が満たされる必要があるという制限を伴うＵＥ実現形態に委ねられる。
【０３７６】
測定帯域幅正確性要件を考慮すると、この帯域幅は、かなり大きく、ＲＳＲＰ測定において使用されるセル特有の基準信号は、これらの基準信号サブキャリア位相及び振幅を決定するために更に処理され得、その位相及び振幅は、次いで、マルチパス干渉軽減及び範囲ベースの場所可観測量の発生のためにマルチパスプロセッサに適用される。加えて、ＲＳＲＰ測定において使用される他の基準信号、例えばＳＳＳ（二次同期信号）もまた使用され得る。
【０３７７】
その後、３つ以上のセルからの範囲可観測量に基づいて、場所確定が、多辺測量及び場所整合性アルゴリズムを使用して推定され得る。
【０３７８】
前述したように、ＲＦ指紋採取データベース不安定性のいくつかの原因が存在するが、主な原因のうちの１つは、マルチパスである（ＲＦ署名は、マルチパスに対して非常に敏感である）。結果として、ＲＦ指紋採取方法（複数可）／技術の位置特定正確性は、垂直方向の不確定性、すなわち、デバイスのＺ−高さ及び／またはアンテナ配向に依存する１００％未満の変動性を含む、マルチパス動力学、すなわち、経時的な変化、環境（例えば天候）、人間及び／または物体の動きによって大きく影響を受ける（非特許文献６を参照）。
【０３７９】
本実施形態は、著しく減衰されたＤＬＯＳを含む、個々のパスを見付ける及び特徴付ける機能（マルチパスプロセッサ）という理由で、ＲＦ指紋採取の位置特定正確性を著しく改良することができる。結果として、場所確定についてのＲＦ指紋採取決定には、実時間マルチパス分布情報が補足され得る。
【０３８０】
上述したように、位置特定確定は、時間における位置基準同期を要求する。無線ネットワークでは、これらの位置基準は、アクセス点、マクロ／ミニ／ピコ及びフェムトセルのみならず、いわゆるスモールセル（ｅＮＢ）を含んでもよい。しかしながら、無線オペレータは、正確な位置確定に必要とされる同期正確性を実施しない。例えば、ＬＴＥの場合では、規格は、ＦＤＤ（周波数分割二重化）ネットワークのためにｅＮＢ（複数可）間の時間同期を要求しない。ＬＴＥ  ＴＤＤ（時間分割二重化）の場合、この時間同期正確性は、＋／−１．５マイクロ秒の限界値にある。これは、４００以上メートルの位置特定不確定性に等しい。要求されないものの、ＬＴＥ  ＦＤＤネットワークもまた同期されるが、（１．５マイクロ秒よりも）更に長い限界値を使用する。
【０３８１】
無線ＬＴＥオペレータは、周波数及び時間においてｅＮＢ（複数可）を同期するためにＧＰＳ／ＧＮＳＳ信号を使用している。ＬＴＥｅＮＢは、非常に正確なキャリア周波数、すなわち、マクロ／ミニセルの場合、０．０５ｐｐｍ、他の種類のセルの場合、わずかに正確性の低い（０．１〜０．２５ｐｐｍ）を維持する必要があることに留意する。ＧＰＳ／ＧＮＳＳ信号はまた、（位置特定のために）要求された時間同期の正確性を１０ナノ秒よりも良くすることができ得る。しかしながら、ネットワークオペレータ及びネットワーク機器製造業者は、パケット移送／、例えば、ＮＴＰ（ネットワーク時間プロトコル）及び／またはＰＴＰ（高精度時間プロトコル）、例えばＩＥＥＥ１５８８ｖ２ＰＴＰを利用することによるインターネット／イーサネット（登録商標）のネットワーキング時間同期を好んで、ＧＰＳ／ＧＮＳＳユニットと関連付けられた費用を削減することを試みている。
【０３８２】
ＩＰネットワークベースの同期は、最低限の周波数及び時間要件を満たす可能性を有するが、位置確定のために必要とされるＧＰＳ／ＧＮＳＳ精度に欠ける。
【０３８３】
本明細書に記載されるアプローチは、ＧＰＳ／ＧＮＳＳ信号と、ｅＮＢ及び／もしくはＡＰ、または他の無線ネットワーク機器によって発生された信号と、に基づく。それはまた、ＩＰネットワーキング同期信号及びプロトコルと、ｅＮＢ及び／もしくはＡＰ、または他の無線ネットワーク機器によって発生された信号と、に基づき得る。このアプローチはまた、ＷｉＭａｘ、ＷｉＦｉ、及びホワイトスペースを含む、他の無線ネットワークに適用可能である。
【０３８４】
ｅＮＢ信号は、オペレータのｅＮＢ設備（図１２）に設置された時間観測ユニット（ＴＭＯ）によって受信される。ＴＭＯはまた、外部同期源入力を含む。
【０３８５】
ｅＮＢ信号は、ＴＭＯによって処理され、外部同期源入力と同期されるクロックを使用してタイムスタンプされる。
【０３８６】
外部同期源は、ＧＰＳ／ＧＮＳＳ及び／またはインターネット／イーサネット（登録商標）ネットワーキング、例えばＰＴＰもしくはＮＴＰ等からであり得る。
【０３８７】
タイムスタンプされた処理信号、例えば、ＬＴＥフレーム開始（特に他のネットワークでは、他の信号であり得る）はまた、全てのｅＮＢのデータベースを生成、維持、及び更新する中央ＴＭＯサーバに対するインターネット／イーサネット（登録商標）バックホール経由で送信される、ｅＮＢ（セル）場所及び／またはセルＩＤも含む。
【０３８８】
場所確定をレンジング及び取得するプロセスに関係のあるＵＥ及び／またはｅＮＢ（複数可）は、ＴＭＯサーバにクワイヤし、サーバは、関係のあるｅＮＢ（複数可）間の時間同期オフセットを戻す。これらの時間同期オフセットは、場所確定を取得して場所確定を調整するプロセスに関係のあるＵＥ及び／またはｅＮＢ（複数可）によって使用される。
【０３８９】
その代わりに、場所確定計算及び調整は、レンジングするプロセスに関係のあるＵＥ及び／またはｅＮＢ（複数可）がまた、取得されたレンジング情報をＴＭＯサーバに供給するときに、ＴＭＯサーバによって実行されてもよい。ＴＭＯサーバは、次いで、正確な（調整された）位置（場所決定）確定を戻す。
【０３９０】
２つ以上のセルｅＮＢ機器が共に位置する場合、単一ＴＭＯが、全てのｅＮＢ（複数可）からの信号を処理してタイムスタンプすることができる。
【０３９１】
ＲＴＴ（ラウンド時間トリップ）測定（レンジング）は、位置特定のために使用され得る。欠点は、ＲＴＴレンジングが、位置特定正確性に劇的に影響を及ぼすマルチパスにさらされることである。
【０３９２】
一方、ＲＴＴ位置特定は、一般に、（時間における）位置基準同期、及びＬＴＥの場合では特にｅＮＢを要求しない。
【０３９３】
同時に、無線ネットワークのパイロット基準及び／または他の信号を用いで動作するときに、特許文献３に記載されるマルチパス軽減プロセッサ、方法（複数可）／技法、及びアルゴリズムは、ＲＴＴ信号（複数可）のためにチャネル応答を決定すること、例えば、ＲＴＴ信号（複数可）が通過しているマルチパスチャネルを識別することができる。これは、実際のＤＬＯＳ時間が決定されるようなＲＴＴ測定の訂正を可能にする。
【０３９４】
既知のＤＬＯＳ時間を用いると、ｅＮＢまたは時間における位置基準同期の必要性無しに、三辺測量及び／または類似の位置特定方法を使用して場所確定を取得することが可能になる。
【０３９５】
適所にあるＴＭＯ及びＴＭＯサーバにも関わらず、不可視性追跡の技術統合は、マクロ／ミニ／ピコ及びスモールセルならびに／またはＵＥ（携帯電話）の変更を要求する。これらの変更は、ＳＷ／ＦＷ（ソフトウェア／ファームウェア）に対してのみ限定されるが、それは、既存のインフラストラクチャを改造するために多くの労力を要する。また、いくつかの場合では、ネットワークオペレータ及び／またはＵＥ／携帯電話製造業者／供給業者が、機器修正に反抗する。ＵＥは、無線ネットワークユーザ機器であることに留意する。
【０３９６】
このＳＷ／ＦＷ変更は、ＴＭＯ及びＴＭＯサーバ機能が不可視性追跡の位置特定技術を支援するように拡張される場合、完全に回避され得る。換言すれば、以下に記載される別の実施形態は、無線ネットワーク信号を用いて動作するが、無線ネットワーク機器／インフラストラクチャの修正を要求しない。それゆえ、以下に記載される実施形態は、ＬＴＥネットワークを用いて動作し、それはまた、Ｗｉ−Ｆｉを含む、他の無線システム／ネットワークにも適用可能である。
【０３９７】
本質的に、この実施形態は、場所確定を取得するために無線ネットワーク信号を使用する並列無線位置特定インフラストラクチャを作り出す。
【０３９８】
ＴＭＯ及びＴＭＯサーバと同様に、不可視性追跡の位置特定インフラストラクチャは、１つ以上の無線ネットワーク信号取得ユニット（ＮＳＡＵ）と、ＮＳＡＵ（複数可）からデータを収集してそれを分析し、範囲及び場所を決定し、それを例えば電話／ＵＥ  ＩＤ及び場所の表に瞬時に変換する、１つ以上の位置特定サーバユニット（ＬＳＵ）と、から成る。ＬＳＵは、ネットワークのＡＰＩ経由で無線ネットワークに対してインターフェースを取る。
【０３９９】
複数のこれらのユニットは、大型インフラストラクチャ内の様々な場所に配備され得る。ＮＳＡＵ（複数可）が可干渉性タイミングを有する場合、より良好な正確性を与える全てについての結果が使用され得る。
【０４００】
可干渉性タイミングは、ＧＰＳクロック及び／または他の安定したクロック源から得られ得る。
【０４０１】
ＮＳＡＵは、ＬＡＮ（ローカルエリアネットワーク）、メトロエリアネットワーク（ＭＡＮ）、及び／またはインターネット経由でＬＳＵと通信する。
【０４０２】
いくつかの設置／実例では、ＮＳＡＵ及びＬＳＵが、単一ユニットに結合／一体化され得る。
【０４０３】
ＬＴＥまたは他の無線ネットワークを使用して位置特定サービスを支援するために、送信機は、厳しい許容差内で同期されるクロック及び事象であることを要求される。通常、これは、ＧＰＳの１ＰＰＳ信号に固定することによって達成される。これは、３ナノ秒１シグマ内までのローカルエリアにおけるタイミング同期を結果としてもたらす。
【０４０４】
しかしながら、この種の同期が実用的ではない場合の多くの実例が存在する。この本実施形態は、遅延補償値を位置特定プロセスに提供するために、ダウンリンク送信機間の時間オフセット推定及び時間オフセットの追跡を提供し、それゆえ、あたかも送信機が同期されたクロック及び事象であるかのように、位置特定プロセスが処理され得る。これは、既知の先験的なアンテナ場所を有する（任意の位置特定サービスのために要求される）伝送アンテナ及び受信機の事前知識によって達成される。同期ユニットと呼ばれるこの受信機は、ダウンリンク送信機の全てからのデータ及び所与の場所のその知識を収集し、事前に選択されたベースアンテナからオフセットタイミングを計算する。これらのオフセットは、ダウンリンク送信機にクロックドリフトを補償する追跡アルゴリズムの使用を通して、システムによって追跡される。受信データから擬似範囲を導出する処理は、（特許文献３に記載される）不可視性追跡マルチパス軽減アルゴリズムを利用することに留意する。それゆえ、同期は、マルチパスによって影響を受けない。
【０４０５】
これらのオフセットデータは、各ダウンリンク送信機からのデータを適切に整合させるために位置特定プロセッサ（位置特定サーバ、ＬＳＵ）によって使用され、その結果、それは、同期された送信機によって発生されているように見える。時間正確性は、最良の１−ＰＰＳ追跡と互換性があり、３メートルの場所正確性（１シグマ）をサポートする。
【０４０６】
同期受信機及び／または受信機のアンテナは、最良性能のために最適なＧＤＯＰに基づいて位置付けられる。大型設置では、複数の同期受信機が、ネットワーク全体を通して同等の３ｎｓ１シグマ同期オフセットを提供するために利用され得る。同期受信機（複数可）を利用することによって、ダウンリンク送信機の同期のための要件が省かれる。
【０４０７】
同期受信機ユニットは、ＮＳＡＵ及び／またはＬＳＵと通信する独立型ユニットとすることができる。その代わりに、この同期受信機は、ＮＳＡＵと一体化されてもよい。
【０４０８】
例示的な無線ネットワーク位置特定機器図が、図１３に描写される。
【０４０９】
ＬＴＥ信号を利用する、顧客ネットワーク投資ではない、完全に自律型のシステムの実施形態は、以下のモードにおいて動作する。
１．アップリンクモードは、位置特定の目的のために無線ネットワークアップリンク（ＵＬ）信号を使用する（図１６及び１７）。
２．ダウンリンクモードは、位置特定の目的のために無線ネットワークダウンリンク（ＤＬ）信号を使用する（図１４及び１５）。
３．二方向モード−は、位置特定のためにＵＬ及びＤＬ信号の両方を使用する。
アップリンクモードでは、複数のアンテナが、１つ以上のＮＳＡＵに接続される。これらのアンテナ場所は、無線ネットワークアンテナから独立しており、ＮＳＡＵ（複数可）アンテナ場所が、ＧＤＯＰ（幾何学的な精度の低下）を最小限にするように選択される。
【０４１０】
ＵＥ／携帯電話デバイスからのネットワークのＲＦ信号は、ＮＳＡＵ（複数可）アンテナによって収集され、ＮＳＡＵ（複数可）によって処理され、興味のある全ての信号のうちの１つ以上の実例の捕獲に適している時間間隔の間に処理されたネットワークのＲＦ信号のタイムスタンプされたサンプルを作り出す。
【０４１１】
任意選択的に、ＮＳＡＵはまた、追加情報を取得するために、例えばＵＥ／電話ＩＤ等を決定するために、ダウンリンク信号のプロセス及びタイムスタンプされたサンプルを受信する。
【０４１２】
捕獲されたタイムスタンプされたサンプルから、各ＵＥ／携帯電話ＩＤ（複数可）と関連付けられた興味のあるタイムスタンプされた無線ネットワーク信号と共に、ＵＥ／携帯電話デバイス識別番号（ＩＤ）が決定（取得）される。この動作は、ＮＳＡＵまたはＬＳＵのいずれかによって行われ得る。
【０４１３】
ＮＳＡＵは、データをＬＳＵに周期的に供給する。スケジュールされていないデータが１つ以上のＵＥ／携帯電話ＩＤ（複数可）に必要とされる場合には、ＬＳＵは、追加データを要求する。
【０４１４】
変更／修正は、ＵＬモード動作の場合、無線ネットワークインフラストラクチャ及び／または既存のＵＥ／携帯電話において必要とされない。
【０４１５】
ダウンリンク（ＤＬ）モードでは、不可視性追跡を使用可能なＵＥが要求される。また、携帯電話ＦＷは、電話が場所確定を取得するために使用される場合、修正される必要がある。
【０４１６】
いくつかの実例では、オペレータが、ベースバンド信号をＢＢＵ（複数可）（ベースバンドユニット）から利用可能にさせ得る。かかる場合では、ＮＳＡＵ（複数可）はまた、ＲＦ無線ネットワーク信号の代わりに、これらの利用可能なベースバンド無線ネットワーク信号を処理することができる。
【０４１７】
ＤＬモードでは、ＵＥ／携帯電話ＩＤを１つ以上の無線ネットワーク信号と関連付ける必要性はない。なぜなら、これらの信号はＵＥ／携帯電話において処理されるか、またはＵＥ／携帯電話が、処理されたネットワークのＲＦ信号のタイムスタンプされたサンプルを周期的に生成し、これらをＬＳＵに送信し、ＬＳＵが、結果（複数可）をＵＥ／携帯電話に送信し戻すからである。
【０４１８】
ＤＬモードでは、ＮＳＡＵは、処理されたＲＦまたはベースバンド（利用可能な場合）無線ネットワーク信号を処理してタイムスタンプする。捕獲されたタイムスタンプされたサンプルから、ネットワークアンテナと関連付けられた無線ネットワーク信号ＤＬフレーム開始が、決定（取得）され、これらのフレーム開始間の差（オフセット）が計算される。この動作は、ＮＳＡＵまたはＬＳＵのいずれかによって実行され得る。ネットワークアンテナについてのフレーム開始オフセットは、ＬＳＵ上に記憶される。
【０４１９】
ＤＬモードでは、デバイスが不可視性追跡技術を使用してそれ自体の場所確定を処理／決定する場合には、ネットワークアンテナのフレーム開始オフセットが、ＬＳＵからＵＥ／電話デバイスに送信される。そうではなくて、ＵＥ／携帯電話デバイスが、処理されネットワークのＲＦ信号のタイムスタンプされたサンプルをＬＳＵに周期的に送信するとき、ＬＳＵは、デバイスの場所確定を決定し、場所確定データをデバイスに送信し戻す。
【０４２０】
ＤＬモードでは、無線ネットワークＲＦ信号が、１つ以上の無線ネットワークアンテナから来る。結果の正確性に影響を及ぼすマルチパスを回避するために、ＲＦ信号が、アンテナまたは無線ネットワーク機器へのアンテナ接続から見付け出されなくてはならない。
【０４２１】
二方向モードは、ＵＬ及びＤＬ動作の両方からの場所確定の決定を包含する。これは、位置特定正確性の更なる改良を可能にする。
【０４２２】
いくつかの企業セットアップは、１つ以上の遠隔無線通信ヘッド（ＲＲＨ）を供給する１つ以上のＢＢＵであって、各ＲＲＨが、次いで、複数のアンテナに同じＩＤを供給する、１つ以上のＢＢＵを使用する。かかる環境では、無線ネットワーク構成に依存して、ネットワークアンテナのＤＬモードフレーム開始オフセットの決定が、要求されない可能性がある。これは、単一ＢＢＵセットアップのみならず複数のＢＢＵを含み、それによって、各ＢＢＵのアンテナが、一定のゾーンに割り当てられ、隣接ゾーンのカバレッジが、重複している。
【０４２３】
一方、構成であって、それによって、複数のＢＢＵから供給されるアンテナが同じゾーン内でインターリーブされる構成は、ネットワークアンテナのＤＬモードフレーム開始オフセットの決定を要求する。
【０４２４】
ＤＡＳ環境におけるＤＬ動作モードでは、複数のアンテナが、同じＩＤを共有してもよい。
【０４２５】
本実施形態では、場所整合性アルゴリズム（複数可）が、（パイロット及び／または同期を含む）基準信号（複数可）サブキャリアからのマルチパス軽減処理によって発生された可観測量からＤＡＳアンテナの範囲を分離するように、ならびに複数のＤＡＳエミッタ（アンテナ）範囲から場所推定を取得するように、拡張／開発される。
【０４２６】
しかしながら、これらの整合性アルゴリズムは、同じＩＤを発するアンテナの数に限界がある。以下によって、同じＩＤを発するアンテナの数を削減することができる。
１．所与のカバレッジゾーンインターリーブの場合、セクタ化されたＢＢＵの異なるセクタから供給されるアンテナ（ＢＢＵは、最大６つまでのセクタをサポートすることができる）
２．所与のカバレッジゾーンインターリーブの場合、セクタ化されたＢＢＵの異なるセクタから供給されるアンテナ及び異なるＢＢＵから供給されるアンテナ
３．伝搬遅延要素を各アンテナに追加すること。遅延値は、特定のＤＡＳ環境（チャネル）において遅延拡散を超えるのに十分大きいように、ただし、追加遅延によって引き起こされるマルチパスがＩＳＩ（符号間干渉）を結果としてもたらさないように、サイクリックプレフィックス（ＣＰ）長よりも小さいように選択される。１つ以上のアンテナのための固有遅延ＩＤの追加は、同じＩＤを発するアンテナの数を更に削減する。
【０４２７】
ある実施形態では、顧客ネットワーク投資を伴わない自律型システムが提案され得る。そのような実施形態では、システムが、ＬＴＥ帯域以外の帯域上で動作することができる。例えば、ＩＳＭ（産業科学及び医療用）帯域ならびに／またはホワイトスペース帯域は、ＬＴＥサービスが利用可能ではない場所において使用され得る。
【０４２８】
実施形態はまた、マクロ／ミニ／ピコ／フェムトステーション（複数可）及び／またはＵＥ（携帯電話）機器と一体化され得る。一体化は、顧客ネットワーク投資を要求し得るが、それは、諸経費を削減することができ、かつＴＣＯ（総所有コスト）を劇的に改善することができる。
【０４２９】
本明細書に上述したように、ＰＲＳは、ダウンリンクで観測される到着時間差（ＤＬ−ＯＴＤＯＡ）測位のためにＵＥによって使用され得る。近隣基地局（ｅＮＢ）の同期に関して、３ＧＰＰ  ＴＳ３６．３０５（Ｅ−ＵＴＲＡＮにおけるユーザ機器（ＵＥ）測位のステージ（Ｓｔａｇｅ）２機能的仕様）が、ＵＥに対する転送タイミングを規定し、そのタイミングは、候補セル（例えば、近隣セル）のｅノードＢサービスに関連する。３ＧＰＰ  ＴＳ３６．３０５はまた、測定目的のために候補セルの物理セルＩＤ（ＰＣＩ）及びグローバルセルＩＤ（ＧＣＩ）を規定する。
【０４３０】
３ＧＰＰ  ＴＳ３６．３０５によれば、この情報は、Ｅ−ＭＬＣ（強化型サービングモバイル位置特定センター）サーバから届けられる。ＴＳ３６．３０５は、上述したタイミング正確性を規定していないことに留意する。
【０４３１】
更に、３ＧＰＰ  ＴＳ３６．３０５は、ＵＥが、基準信号時間差（ＲＳＴＤ）測定を含むダウンリンク測定をＥ−ＭＬＣに戻すものとすることを規定する。
【０４３２】
ＲＳＴＤは、一対のｅＮＢ間で行われる測定である（ＴＳ３６．２１４進化型ユニバーサル地上波無線通信アクセス（Ｅ−ＵＴＲＡ）、物理層測定、リリース９を参照）。測定は、近隣セルｊから受信されたサブフレーム及びサービングセルｉの対応するサブフレーム間の相対的タイミング差として定義される。測位基準信号が、これらの測定を行うために使用される。結果は、位置を計算する位置特定サーバに報告し戻される。
【０４３３】
ある実施形態では、ハイブリッド方法が、新たに導入されたＰＲＳ及び既存の基準信号の両方に適応するように定義され得る。換言すれば、ハイブリッド方法は、ＰＲＳと共に、他の基準信号（例えば、セルもしくはノードに特有の基準信号（ＣＲＳ））と共に、または両方の信号の種類と共に、使用／動作することができる。
【０４３４】
かかるハイブリッド方法は、ネットワークオペレータ（複数可）が、状況またはネットワークパラメータに依存して動作モードを動的に選択することを可能にするという利点をもたらす。例えば、ＰＲＳは、ＣＲＳより良好な可聴性を有するが、データスループットにおいて最大７％までの低減を結果としてもたらし得る。一方、ＣＲＳ信号は、少しのスループット低減ももたらさない。それに加えて、ＣＲＳ信号は、全ての以前のＬＴＥリリース、例えばリリース８以下と後方互換性がある。そのように、ハイブリッド方法は、ネットワークオペレータに可聴性、スループット、及び互換性間でトレードオフするまたはバランスを取る能力を提供する。
【０４３５】
ロングタームエボリューション（ＬＴＥ）実現形態では、（セルまたは無線ノードによって発生され、本明細書において「ノード」と称される）ＬＴＥダウンリンクベースバンド信号が、一般に、ダウンリンクフレームに結合される。かかる信号を検出及び受信するための受信機は、複数の（２つ以上の）セルまたはノードからダウンリンクフレームを検出し得る。各ダウンリンクフレームは、複数のＣＲＳまたは基準信号を含む。ダウンリンク（ＤＬ）フレームでは、これらの基準信号が、時間及び周波数において事前に決定された位置を有し、例えば、所与のフレームにおけるフレーム開始及び各ＣＲＳ間に決定論的な時間オフセットが存在する。
【０４３６】
更に、各ＣＲＳは、特殊符号を用いて変調される。変調及び符号もまた事前に決定される。ＣＲＳ変調は、全ノードについて同じであるが、符号（シード：ｓｅｅｄ）は、ノードのＩＤ（識別）番号によって決定される。
【０４３７】
結果として、ノードＩＤ（複数可）を知ることによって、基準信号のスペクトルにおいて、各ノード（セル）から各フレームについてのフレーム開始時間の経過場所を推定することができる。そうするために、異なるノードから全ＤＬ信号についてフレーム開始時間またはフレーム開始をまず決定することが必要である。例えば、ある実施形態では、受信されたＤＬベースバンド信号を、（検出器及び／またはマルチパス軽減プロセッサによって内部に発生された）符号変調されたＣＲＳの既知の複製と相関付けることによって、様々なノードから全ＣＲＳシーケンスまたは他の基準信号を見付けることができ、更に、この情報を用いて、全ての観測可能なノードの粗い場所フレーム開始を見付けることができる。ある実施形態では、検出器がまた、ＣＲＳを復調／復号し、次いで、復調／復号されたＣＲＳをＣＲＳに割り当てられるベースバンドサブキャリアと相関付けてもよい。
【０４３８】
同時に、ある実施形態では、ＣＲＳがまた、マルチパス軽減プロセッサによってレンジング信号として使用されてもよい。したがって、粗いフレーム開始を見付けることに加えて、検出器の相関付けプロセスがまた、フレーム内の他の信号（例えばペイロードなど）から、それらの信号を変調するために使用された符号を使用して、ＣＲＳを分離することができる。その後、これらの分離されたＣＲＳ、及び関連付けられたフレーム開始が、レンジングのためにマルチパス軽減プロセッサに転送される。
【０４３９】
類似のアプローチが、アップリンクモードにおいて使用され得、それによって、異なるノード受信機間のタイミングオフセットが決定され得る。
【０４４０】
ダウンリンク実施形態では、ネットワークと通信する１つ以上の無線ネットワークデバイスを追跡及び位置特定するためのシステムが、ネットワークと通信する２つ以上のノードから複数の信号を受信するように構成されたユーザ機器受信機であって、複数の信号が、複数の信号を伝送する２つ以上のノードの各ノードの識別によって決定された符号を用いて変調され、ユーザ機器受信機が、識別に基づいて複数の信号から基準信号を検出及び分離するように構成された検出器を含む、ユーザ機器受信機と、１つ以上の無線ネットワークデバイスを追跡及び位置特定するために各ノードからのレンジング信号として基準信号を使用するように構成されたプロセッサと、を備える。
【０４４１】
実施形態では、２つ以上のノードの各ノードからの複数の信号が、基準信号を含むフレームに結合され、検出器が、各ノードからフレーム開始の経過場所を推定するように更に構成される。
【０４４２】
実施形態では、検出器が、基準信号をかかる基準信号の既知の複製と相関付けることによって、経過場所を推定するように更に構成される。
【０４４３】
実施形態では、検出器が、フレーム内の任意の他の信号から基準信号を分離するように更に構成され、検出器が、２つ以上のノードの各ノードについて基準信号を分離するように更に構成される。
【０４４４】
実施形態では、プロセッサが、少なくとも１つのマルチパス軽減プロセッサであり、マルチパス軽減プロセッサが、経過場所及び分離された基準信号を受信して、各ノードからのレンジング信号の相対的到着時間を推定するように構成される。
【０４４５】
実施形態では、プロセッサが、少なくとも１つのマルチパス軽減プロセッサである。
【０４４６】
実施形態では、２つ以上のノードの各ノードからの複数の信号が、あるフレーム内にあり、検出器が、各ノードからのフレーム開始の経過場所を推定するように更に構成され、検出器が、フレーム内の任意の他の信号から基準信号を分離するように構成され、検出器が、２つ以上のノードの各ノードについて基準信号を分離するように更に構成され、検出器が、各ノードについての経過場所及び分離された基準信号をマルチパス軽減プロセッサに渡すように構成され、マルチパス軽減プロセッサが、経過場所及び分離された基準信号を受信して、各ノードからのレンジング信号の相対的到着時間を推定するように構成される。
【０４４７】
実施形態では、システムは、ノード受信機が１つ以上の無線ネットワークデバイスからデバイス信号を受信するように構成されたアップリンク実施形態を更に備え、デバイス信号が、デバイス信号を伝送する１つ以上の無線ネットワークデバイスの各無線ネットワークデバイスのデバイス識別によって決定されたデバイス符号を用いて変調され、ノード受信機が、デバイス識別に基づいてデバイス信号からデバイス基準信号を検出及び分離するように構成されたデバイス検出器を含み、第２のプロセッサが、１つ以上の無線ネットワークデバイスを追跡及び位置特定するために各無線ネットワークデバイスからデバイス基準信号をレンジング信号として使用するように構成される。
【０４４８】
ある実施形態では、ネットワークと通信する１つ以上の無線ネットワークデバイスを追跡及び位置特定するためのシステムが、ネットワークと通信する２つ以上のノードから複数の信号を受信するように構成されたユーザ機器受信機であって、複数の信号が、複数の信号を伝送する２つ以上のノードの各ノードの識別によって決定された符号を用いて変調される、ユーザ機器受信機と、識別に基づいて複数の信号から基準信号を検出及び分離するように、ならびに１つ以上の無線ネットワークデバイスを追跡及び位置特定するために各ノードからのレンジング信号として基準信号を使用するように構成されたプロセッサと、を備える。
【０４４９】
実施形態では、２つ以上のノードの各ノードからの複数の信号が、基準信号を含むフレームに結合され、プロセッサが、各ノードからフレーム開始の経過場所を推定するように更に構成される。
【０４５０】
実施形態では、プロセッサが、基準信号をその基準信号の既知の複製と相関付けることによって経過場所を推定するように更に構成される。
【０４５１】
実施形態では、プロセッサが、経過場所及び分離された基準信号に基づいて、各ノードからレンジング信号の相対的到着時間を推定するように更に構成される。
【０４５２】
実施形態では、プロセッサが、フレーム内の任意の他の信号から基準信号を分離するように更に構成され、プロセッサが、２つ以上のノードの各ノードについて基準信号を分離するように更に構成される。
【０４５３】
実施形態では、２つ以上のノードの各ノードからの複数の信号が、あるフレーム内にあり、プロセッサが、基準信号をその基準信号の既知の複製と相関付けることによって、各ノードからフレーム開始の経過場所を推定するように更に構成され、プロセッサが、フレーム内の任意の他の信号から基準信号を分離するように、及び２つ以上のノードの各ノードについて基準信号を分離するように更に構成され、プロセッサが、経過場所及び分離された基準信号に基づいて、各ノードからレンジング信号の相対的到着時間を推定するように更に構成される。
【０４５４】
ある実施形態では、ネットワークと通信する１つ以上の無線ネットワークデバイスの追跡及び位置特定のためのシステムが、ネットワークと通信する２つ以上のノードから複数の信号を受信するように構成された検出器であって、複数の信号が、複数の信号を伝送する２つ以上のノードの各ノードの識別によって決定された符号を用いて変調され、識別に基づいて複数の信号から基準信号を検出及び分離するように構成された、検出器と、１つ以上の無線ネットワークデバイスを追跡及び位置特定するために各ノードからのレンジング信号として基準信号を使用するように構成されたプロセッサと、を備える。
【０４５５】
実施形態では、２つ以上のノードの各ノードからの複数の信号が、基準信号を含むフレームに結合され、検出器が、各ノードからフレーム開始の経過場所を推定するように更に構成される。
【０４５６】
実施形態では、検出器が、基準信号をかかる基準信号の既知の複製と相関付けることによって経過場所を推定するように更に構成される。
【０４５７】
実施形態では、検出器が、フレーム内の任意の他の信号から基準信号を分離するように更に構成され、検出器が、２つ以上のノードの各ノードについて基準信号を分離するように更に構成される。
【０４５８】
実施形態では、プロセッサが、少なくとも１つのマルチパス軽減プロセッサであり、マルチパス軽減プロセッサが、経過場所及び分離された基準信号を受信して、各ノードからのレンジング信号の相対的到着時間を推定するように構成される。
【０４５９】
実施形態では、プロセッサが、少なくとも１つのマルチパス軽減プロセッサである。
【０４６０】
実施形態では、２つ以上のノードの各ノードからの複数の信号が、あるフレーム内にあり、検出器が、各ノードからのフレーム開始の経過場所を推定するように更に構成され、検出器が、フレーム内の任意の他の信号から基準信号を分離するように構成され、検出器が、２つ以上のノードの各ノードについて基準信号を分離するように更に構成され、検出器が、各ノードについての経過場所及び分離された基準信号をマルチパス軽減プロセッサに渡すように構成され、マルチパス軽減プロセッサが、経過場所及び分離された基準信号を受信して、各ノードからのレンジング信号の相対的到着時間を推定するように構成される。
【０４６１】
ある実施形態では、ネットワークと通信する１つ以上の無線デバイスを追跡及び位置特定するためのシステムが、１つ以上の無線ネットワークデバイスからデバイス信号を受信するように構成されたノード受信機であって、デバイス信号が、デバイス信号を伝送する１つ以上の無線ネットワークデバイスの各無線ネットワークデバイスのデバイス識別によって決定されたデバイス符号を用いて変調され、ノード受信機が、デバイス識別に基づいてデバイス信号からデバイス基準信号を検出及び分離するように構成されたデバイス検出器を含む、ノード受信機と、１つ以上の無線ネットワークデバイスを追跡及び位置特定するために、各無線ネットワークデバイスからのレンジング信号としてデバイス基準信号を使用するように構成されたプロセッサと、を備える。
【０４６２】
なおその上に、ハイブリッド方法は、ＬＴＥ  ＵＥ測位アーキテクチャに対して透過的であり得る。例えば、ハイブリッド方法は、３ＧＰＰ  ＴＳ３６．３０５フレームワークにおいて動作することができる。
【０４６３】
ある実施形態では、ＲＳＴＤが測定され得、３ＧＰＰ  ＴＳ３６．３０５に従って、ＵＥからＥ−ＳＭＬＣに転送され得る。
【０４６４】
ＵＬ−ＴＤＯＡ（Ｕ−ＴＤＯＡ）は、現在、研究段階にあり、来たるべきリリース１１に規格化されることが予想される。
【０４６５】
ＵＬ−ＴＤＯＡ（アップリンク）の実施形態が、本明細書に上記され、また図１６及び１７に示される。本明細書において以下に記載される図１８及び１９は、ＵＬ−ＴＤＯＡの代替の実施形態例を提供する。
【０４６６】
図１８は、１つ以上のＤＡＳ及び／またはフェムト／スモールセルアンテナを含み得る環境を表わす。この実施形態例では、各ＮＳＡＵが、単一アンテナを装備している。描写されるように、少なくとも３つのＮＳＡＵが要求される。しかしながら、各ＵＥは、少なくとも３つのＮＳＡＵによって「聴かれる」必要があるので、追加のＮＳＡＵが、可聴性を改良するために追加され得る。
【０４６７】
なおその上に、ＮＳＡＵ（複数可）は、受信機として構成され得る。例えば、各ＮＳＡＵは、無線で情報を受信するが、その情報を伝送しない。動作中、各ＮＳＡＵは、ＵＥから無線アップリンクネットワーク信号をリッスンすることができる。ＵＥのそれぞれは、携帯電話、タグ、及び／または別のＵＥデバイスであり得る。
【０４６８】
その上、ＮＳＡＵは、インターフェース、例えば、有線サービスまたはＬＡＮなど上で位置特定サーバユニット（ＬＳＵ）と通信するように構成され得る。次いで、ＬＳＵは、無線またはＬＴＥネットワークと通信することができる。通信は、ネットワークＡＰＩ経由であり得、ここで、ＬＳＵは、例えば、ＬＴＥネットワークのＥ−ＳＭＬＣと通信することができ、有線サービス、例えばＬＡＮ及び／またはＷＡＮなどを使用することができる。
【０４６９】
任意選択的に、ＬＳＵはまた、ＤＡＳ基地局（複数可）及び／またはフェムト／スモールセルと直接的に通信してもよい。この通信は、同じまたは修正されたネットワークＡＰＩを使用することができる。
【０４７０】
この実施形態では、サウンディング（Ｓｏｕｎｄｉｎｇ）基準信号（ＳＲＳ）が、位置特定目的のために使用され得る。しかしながら、他の信号もまた、利用されてもよい。
【０４７１】
ＮＳＡＵは、ＵＥアップリンク伝送信号をデジタル形態、例えばＩ／Ｑサンプルに変換することができ、いくつかの変換された信号を、タイムスタンプを用いてＬＳＵに周期的に送信することができる。
【０４７２】
ＤＡＳ基地局（複数可）及び／またはフェムト／スモールセルは、以下のデータのうちの１つまたは全てをＬＳＵに渡すことができる。
１）ＳＲＳ、Ｉ／Ｑサンプル、及びタイムスタンプ、
２）供給されたＵＥのＩＤのリスト、ならびに
３）ＵＥのＩＤを有するＵＥ毎のＳＲＳスケジュールであって、ＳＲＳスケジューリング要求コンフィグ（Ｃｏｎｆｉｇ）情報及びＳＲＳ−ＵＬ−コンフィグ情報を含む、ＳＲＳスケジュール。
【０４７３】
ＬＳＵに渡される情報は、上述の情報によって限定されない可能性がある。それは、各ＵＥデバイスアップリンク信号、例えばＵＥ  ＳＲＳなどを各ＵＥのＩＤと相関付けるのに必要な任意の情報を含むことができる。
【０４７４】
ＬＳＵ機能は、レンジング計算及びＵＥの場所確定の取得を含み得る。これらの決定／計算は、ＮＳＡＵ、ＤＡＳベースステーション、及び／またはフェムト／スモールセルからＬＳＵに渡される情報に基づき得る。
【０４７５】
ＬＳＵはまた、ＮＳＡＵからＬＳＵに渡される利用可能なダウンリンク伝送情報からタイミングオフセットを決定してもよい。
【０４７６】
次いで、ＬＳＵは、無線またはＬＴＥネットワークにＵＥ場所確定ならびに他の計算及びデータを提供することができる。かかる情報は、ネットワークＡＰＩ経由で通信され得る。
【０４７７】
同期目的のために、各ＮＳＡＵは、ダウンリンク信号のサンプルを受信、処理、及びタイムスタンプしてもよい。各ＮＳＡＵはまた、タイムスタンプ（複数可）を含む、いくつかのかかるサンプルをＬＳＵに周期的に送信してもよい。
【０４７８】
更に、各ＮＳＡＵは、外部信号（複数可）との同期のために構成された入力を含んでもよい。
【０４７９】
図１９は、ＵＬ−ＴＤＯＡの別の実施形態を描写する。図１８の下で描写される構成要素に加えて、この実施形態の環境は、ＤＡＳ基地局及び／またはフェムト／スモールセルの代わりに使用され得る１つ以上のセルタワーを含み得る。１つ以上のセルタワーからのデータは、ＵＥの場所確定を取得するために使用され得る。
【０４８０】
そのように、この実施形態の利点は、単一セルタワー（ｅＮＢ）のみを用いる場所確定を取得することを含む。加えて、この実施形態は、１つ以上のｅＮＢがＤＡＳ基地局及び／またはフェムト／スモールセルと交換できることを除いて、図１８の下で記載されたものと類似の様態で動作するように構成され得る。
【０４８１】
ＵＥのアップリンク位置特定の１つの方法は、セル識別方法（ＣＩＤ）である。基本的なＣＩＤ方法では、ＵＥ位置が、セルレベルで決定され得る。この方法は、純粋にネットワークベースのものである。結果として、ＵＥ、例えば、ハンドセットは、それが追跡されているという事実に気付かない。これは比較的単純な方法であるが、位置特定の不確定性がセル直径に等しいので、それは正確性に欠ける。例えば、図２０に例示されるように、サービングセルタワー２００４のセル直径２００２内のハンドセット２０００のいずれも、それらが同じ場所にないにも関わらず、実質的に同じ場所を有する。ＣＩＤ方法の正確性は、サービングセクタ識別（セクタＩＤ）知識と組み合わされるときに改良され得る。例えば、図２１に例示されるように、セクタＩＤ２１００は、セル直径２００２の他のセクタにおける他のハンドセット２０００とは異なる場所を有することが知られているいくつかのハンドセット２１０４を含むセル直径２００２内の区分２１０２を識別する。
【０４８２】
ＣＩＤ方法に対する更なる強化は、強化型セルＩＤ（Ｅ−ＣＩＤ）方法を通して可能であり得、それは、更なる改善点を上記した基本的なＣＩＤ方法に提供する。１つの強化は、どのくらいＵＥがｅＮＢ（ネットワークノード）から遠く離れているかを計算するためにタイミング測定を使用する。この距離は、ラウンドトリップ時間（ＲＴＴ）の半分、またはＬＴＥにおけるタイミングアドバンス（ＴＡ）（ＬＴＥ  ＴＡ）に光速を掛けたものとして計算され得る。ＵＥが接続される場合には、ＲＴＴまたはＴＡが、距離推定のために使用され得る。この場合では、（サービングｅＮＢコマンド直後に）サービングセルタワーまたはセクタ及びＵＥの両方が、Ｒｘサブフレーム及びＴｘサブフレーム間のタイミング差を測定する。ＵＥは、その測定をｅＮＢに（また、ｅＮＢ制御下で）報告する。ＬＴＥリリース９は、ランダムアクセス手順の間にＰＲＡＣＨプリアンブルを受信することから推定されるタイミングアドバンスに頼るＴＡタイプ２測定を追加することに留意されたい。ＰＲＡＣＨ（物理／パケットランダムアクセスチャネル）プリアンブルは、追跡されているＵＥから応答が受信されないときに、１つのＰＲＡＣＨランピング（ｒａｍｐｉｎｇ）サイクルの間に送信されるプリアンブルの最大数を規定する。ＬＴＥタイプ１ＴＡ測定は、以下のように、ＲＴＴ測定に等しい。
ＲＴＴ＝ＴＡ（タイプ１）＝ｅＮＢ（Ｒｘ−Ｔｘ）＋ＵＥ（Ｒｘ−Ｔｘ）
ｅＮＢの座標及びサービングセルタワーアンテナの高さの知識を用いて、ＵＥの位置が、ネットワークによって計算され得る。
【０４８３】
しかしながら、一次元では、位置特定正確性が、セクタ幅及びサービングセルタワーからの距離に依存し、他の次元では、誤差が、ＴＡ（ＲＴＴ）測定正確性に依存するので、Ｅ−ＣＩＤ位置特定方法は、依然として限定される。セクタ幅は、ネットワークトポロジと共に変動し、伝搬現象、具体的にはマルチパスによって影響を受ける。セクタ正確性推定は、２００メートルから５００メートルを超えて変動する。ＬＴＥ  ＴＡ測定分解能は４Ｔｓであり、それは、３９メートルの最大誤差に相当する。しかしながら、ＬＴＥ  ＴＡ測定における実際の誤差は、較正不正確及び伝搬現象（マルチパス）に起因して更に大きく、２００メートルほどに達し得る。
【０４８４】
図２２に例示されるように、Ｅ−ＣＩＤ方法は、到着角（ＡｏＡ）として既知の特徴の追加を用いて更に改良され得る。ＥＮＢは、方向であって、その方向からＵＥが、均等に間隔を置かれたアンテナ要素２２００の線形アレイを使用して伝送している方向を推定する。典型的には、基準信号がＡｏＡ決定のために使用される。基準信号が、２つの隣接アンテナ要素２２００においてＵＥから受信されるとき、基準信号が、図２３に示されるように、ＡｏＡ、キャリア周波数、及び要素間隔に依存する量だけ、相回転され得る。ＡｏＡは、各ｅＮＢがアンテナアレイ／適応アンテナを装備することを要求する。それはまた、マルチパス及びトポロジ変動にさらされる。それにも関わらず、精巧なアンテナアレイは、セクタ２１００の幅２２０２を著しく削減することができ、それは、良好な位置特定正確性へと導き得る。その上、図２３に例示されるように、２つ以上のサービングセルタワー２３００（方向性アンテナアレイを装備するｅＮＢの基地局）が、ハンドセットＡｏＡ決定を行うために使用され得る場合には、正確性が大幅に改良され得る。そのような場合では、正確性は、依然として、マルチパス／伝搬現象にさらされる。
【０４８５】
アンテナアレイ／適応アンテナを複数のＬＴＥ帯域上でネットワーク全体にわたって配備することは、資本、時間、保守等の観点から途方もない努力を要求する。結果として、アンテナアレイ／適応アンテナは、ＵＥ位置特定の目的のために配備されていない。他のアプローチ、例えば、信号強度に基づく方法などは、大幅な正確性の改良をもたらさない。１つのかかる信号強度アプローチは指紋採取であり、それは、膨大で、（時間において）連続的に変化する指紋採取データベース、例えば、大資本を生成して連続的に更新すること、及び大幅な正確性の改良なしで出費を再発生させることを要求する。その上、指紋採取は、ＵＥに基づく技術であり、それによって、ＵＥ位置は、ＵＥアプリケーションレベルでのＵＥの支援なしで決定されることができない。
【０４８６】
他のアップリンク位置特定方法の限定に対する解決策は、アンテナアレイ／適応アンテナの必要性なしでのＡｏＡ機能の使用を含む。かかる実施形態は、ＡｏＡ決定のためにＴＤＯＡ（到着時間差）位置特定技法を利用してもよく、それは、複数の受信機におけるソースからの信号の到着時間における差の推定に基づき得る。時間差推定の個々の値は、ＵＥと通信する２つの受信機間の双曲線を定義する。受信アンテナ間の距離がエミッタ（ハンドセット）が位置している距離に対して小さいときには、ＴＤＯＡが、センサ（受信機のアンテナ）の基線及びエミッタからの入射ＲＦエネルギー間の角度に等しい。基線及び真北間の角度が既知である場合には、方位線（ＬＯＢ）及び／またはＡｏＡが決定され得る。
【０４８７】
ＴＤＯＡまたはＬＯＢ（ＡｏＡとしても既知である）のいずれかを使用する一般的な位置特定方法は既知であるが、ＴＤＯＡ基準点は、かかる技法の正確性を許容可能にさせるには互いに近すぎるので、ＴＤＯＡ位置特定方法は、ＬＯＢを決定するために使用されていない。むしろ、ＬＯＢは、通常、方向性アンテナ及び／またはビームフォーミングアンテナを使用して決定される。しかしながら、本明細書に記載される超分解能方法は、ＬＯＢ決定のためにＴＤＯＡを使用する一方で、劇的に正確性を改良することを可能にする。更に、本明細書に記載される基準信号処理技法を用いないと、例えば、非サービングセクタ及び／またはアンテナによって、サービングセクタの外側のＵＥから来る基準信号を「聴く」こと、例えば、検出することができない可能性がある。本明細書に記載される分解能及び処理機能を用いないと、少なくとも２つの基準点、例えば、２つ以上のセクタ及び／またはアンテナ）が必要とされるので、ＬＯＢ決定のためにＴＤＯＡを利用することができない可能性がある。同様に、ＵＥは、サービングセクタ以外から、例えば、非サービングセクタ及び／またはアンテナからＵＥに来る基準信号を検出することができない可能性がある。
【０４８８】
例えば、図２４には、２つのアンテナ分離シナリオ、すなわち、大きく開いた分離及び近い（小さな）分離が例示される。両シナリオにおいて、双曲線２４００及び入射線２４０２は、ハンドセット２０００の場所において交差しているが、アンテナ２４０４分離が大きく開いている場合には、これは、より急な角度で発生し、それは、次いで、位置特定誤差を実質的に低減する。同時に、アンテナ２４０４が互いに近い場合には、双曲線２４００が、ＲＦエネルギーの入射線２４０２またはＬＯＢ／ＡｏＡと交換可能になる。
【０４８９】
以下に規定される式は、エミッタからの入射ＲＦエネルギーを決定するために使用され得、ここで、２つのアンテナ（センサ）間のＲＦエネルギーの到着時間における時間差は、
【数１４７】
2019194607.tif 000150
によって与えられ、
ここで、
Δｔは、秒単位の、時間差であり、
ｘは、メートル単位の、２つのセンサ間の距離であり、
Θは、度単位の、センサの基線及び入射ＲＦ波間の角度であり、
ｃは、光速である。
【０４９０】
いくつかの位置特定手法は、（１）２つ以上のサービングセル間のＴＤＯＡ測定（多辺測量）が利用可能である、例えば、大きく開いた分離であるとき、（２）ＴＤＯＡ測定が、１つ以上のサービングセルにおける２つ以上のセクタのみから、例えば、小さなアンテナ分離、かかるＬＯＢ／ＡｏＡのみからであるとき、（３）手法（２）及び（３）の組み合わせ、ならびに（４）ＴＡ測定及び手法（１）〜（３）の組み合わせ、例えば、改良されＥ−ＣＩＤを含む、ＴＤＯＡ位置特定実施形態の使用を通して利用可能である。
【０４９１】
以下に更に説明されるように、近くに位置付けられたアンテナの場合では、ＴＤＯＡ位置特定実施形態は、２つ以上のアンテナからの信号が同じセルタワーからのものであるときに、方位線を使用し得る。これらの信号は、受信された複合信号において検出され得る。各セクタ及び／またはアンテナのタワーの場所ならびに方位角を知ることによって、方位線及び／またはＡｏＡが、位置特定プロセスにおいて計算及び利用され得る。ＬＯＢ／ＡｏＡ正確性は、マルチパス、雑音（ＳＮＲ）等によって影響を受け得る。しかしながら、この影響は、上記した進歩的な信号処理及びマルチパス軽減処理技法によって軽減され得、それは、超分解能技術に基づき得る。かかる進歩的な信号処理は、限定されるものではないが、信号相関／相関付け、フィルタリング、平均化、同期平均化、及び他の方法／技法を含む。
【０４９２】
サービングセルタワー２５００は、典型的には、図２５に例示されるように、複数のセクタから成り、それらは、３つのセクタ（セクタＡ、セクタＢ、及びセクタＣ）構成を示す。例示される３つのセクタ配備は、セクタ毎に１つ以上のアンテナ２５０２を含み得る。単一セクタ、例えば、セクタＡなどは、ハンドセット伝送がセクタＡの主ローブ内にある（主ローブの中心は、セクタ方位角と合致する）ので、ＵＥ（ハンドセット）の管理下にあり得る。同時に、ハンドセット伝送は、セクタＢ及びＣの主ローブの外側、例えば、アンテナの副ローブの中に属する。それゆえ、ハンドセット信号は、依然として、セクタＢ及びＣの出力信号スペクトルに存在するが、セクタＢまたはセクタＣの主ローブに位置する他のハンドセット（複数可）からの信号に対して著しく減衰される。それにも関わらず、上記及び下記のように、進歩した信号処理の使用を通して、レンジング信号上で十分な処理利得を取得し、それらを近隣セクタの副ローブ、例えば、セクタＢ及びセクタＣの副ローブなどから検出可能にさせることができる。ネットワークベースの位置特定目的のために、ＬＴＥアップリンクＳＲＳ（サウンディング基準信号）が、レンジング信号として利用されてもよい。
【０４９３】
換言すれば、ＵＥアップリンク基準信号は、近隣セクタ（複数可）アンテナの副ローブ内にあり得るが、本明細書に記載される基準信号処理方法による処理利得は、２つ（またはそれ以上）のセクタアンテナ間のＴＤＯＡの計算を可能にするのに十分であり得る。この実施形態の正確性は、上記したマルチパス軽減処理アルゴリズムによって著しく強化され得る。それゆえ、ＬＴＥ  ＴＡタイミングによって計算される環状部と交差するＬＯＢ／ＡＯＡは、約２０メートル×１００メートルの誤差楕円内までＵＥ場所を提供し得る。
【０４９４】
更なる位置特定誤差低減は、ＵＥが２つ以上のＬＴＥタワーによって聴かれ得るときに達成され得、それは、上記した処理利得及びマルチパス軽減技術を用いる可能性が極めて高い。かかる場合では、ＴＤＯＡ双曲線及び１つ以上のＬＯＢ／ＡｏＡ線の交差が、（２つのセクタセルタワーの場合）３０×２０メートルの誤差楕円を結果としてもたらし得る。各セルタワーが３つ以上のセクタをサポートする場合には、誤差楕円は、１０〜１５メートルに至るまで更に減らされ得る。ＵＥが３つ以上のｅＮＢの（セルタワー）によって聴かれる場合には、５〜１０メートルの正確性が達成され得る。高価値エリア、例えば、モール、オフィスパーク、及び同様の場所などでは、追加的なスモールセルまたはパッシブリスニングデバイスが、必要なカバレッジを生み出すために使用されてもよい。
【０４９５】
前述したように、セルタワー２５００の上記各セクタは、１つ以上のアンテナ２５０２を含み得る。典型的な設置では、所与のセクタについて、各アンテナからの信号が、セクタの受信機入力において結合される。結果として、位置特定目的のために、２つ以上のセクタアンテナが、複合方向性パターン、方位角、及び高度を有する単一アンテナとして見られ得る。仮想アンテナ複合方向性ならびにその（主ローブの）方位角及び高度がまた、セクタ自体に割り当てられ得る。
【０４９６】
ある実施形態では、各サービングセルタワー及び近隣サービングセルタワーの全てのセクタからの（デジタル形式にある）受信信号が、場所決定のために位置特定サーバユニット（ＬＳＵ）に送信される。また、それぞれの供給されたＵＥ毎のＳＲＳスケジュール及びＴＡ測定が、各サービングセルタワーから各サービングセクタによってＬＳＵに提供される。各サービングセルタワー及び各近隣セルタワー場の所座標、各仮想（複合）セクタアンテナの方位角及び高度を有するタワー毎のセクタの数、ならびにセルタワーにおける各セクタ位置が既知であると仮定して、ＬＳＵは、サービングセルタワー及び／または近隣セルタワーに対する各ＵＥ位置を決定し得る。上述した情報の全ては、１つ以上の規格化またはプロプライエタリインターフェースを使用して、有線ネットワーク、例えばＬＡＮ、ＷＡＮ等を通して送信され得る。ＬＳＵはまた、規格化インターフェース及び／またはネットワークキャリアの定義されたインターフェース／ＡＰＩを使用して無線ネットワークインフラストラクチャとインターフェースを取ってもよい。場所決定はまた、ネットワークノード及びＬＳＵ間で分配されてもよいし、またはネットワークノードにおいて単独で行われてもよい。
【０４９７】
ある実施形態では、場所決定が、ＵＥにおいて行われてもよいし、またはＵＥ及びＬＳＵまたはネットワークノード間で分配されてもよい。かかる場合では、ＵＥは、標準的なネットワーキングプロトコル／インターフェースを使用して無線で通信し得る。更に、場所決定が、ＵＥ、ＬＳＵ、及び／もしくはネットワークノードの組み合わせを通して行われ得、またはＬＳＵ機能が、ＳＵＰＬサーバ、Ｅ−ＳＭＬＣサーバ、及び／またはＬＣＳ（位置特定（ＬｏＣａｔｉｏｎ）サービス）システム内に実現され（埋め込まれ）得、それらは、次いで、ＬＳＵの代わりに使用され得る。
【０４９８】
ダウンリンク（ＤＬ）位置特定方法の実施形態は、上記したアップリンク（ＵＬ）位置特定実施形態に相反する。ＤＬ実施形態では、セクタが、セクタの受信された方向性、方位角、及び高度に適合する伝送パターン、方位角、及び高度を有する送信機になり得る。アップリンク実施形態とは異なり、ＤＬ実施形態では、ＵＥが、典型的には、単一受信アンテナを有する。それゆえ、ＵＥのために、ＲＦ波入射を決定するために使用され得るセンサ基線が存在しない。しかしながら、ＵＥは、異なるセクタ間のＴＤＯＡ（複数可）及び、その結果として、セクタ間の双曲線（複数可）（多辺測量）を決定することができ、同じセルタワーのセクタは互いに近いので、双曲線は、図２４に関して上記したように、ＲＦエネルギー入射線またはＬＯＢ／ＡｏＡと交換可能になる。ＬＯＢ／ＡｏＡの正確性は、マルチパス、雑音（ＳＮＲ）等によって影響を受け得るが、この影響は、上記した超分解能技術に基づく、進歩した信号処理及びマルチパス軽減処理の使用を通して軽減され得る。
【０４９９】
上記したように、ＵＥ  ＤＬ位置特定は、ＲＦ波入射角が上記式から決定されることができないことを除いて、ＵＥアップリンク位置特定に類似する手法で達成され得る。代わりに、多辺測量技法が、各サービングセルタワーについてＬＯＢ／ＡｏＡを決定するために使用されてもよい。
【０５００】
ＵＥ  ＤＬ位置特定実施形態はまた、基準信号を利用する。ＤＬの場合では、かかるネットワークベースの位置特定のための１つのアプローチが、ＬＴＥセル特有基準信号（ＣＲＳ）をレンジング信号として利用することであり得る。また、ＬＴＥリリース９に導入された位置基準信号（ＰＲＳ）が使用されてもよい。それゆえ、位置特定は、ＣＲＳのみ、ＰＲＳのみ、またはＣＲＳ及びＰＲＳの両方を使用して行われ得る。
【０５０１】
ＵＥアップリンク位置特定実施形態のように、ＵＥダウンリンク位置特定実施形態の場合、デジタル形式でＵＥ受信信号のスナップショットが、処理のためにＬＳＵに送信されてもよい。ＵＥはまた、ＴＡ測定を取得し得、それらをＬＳＵに提供する。任意選択的に、それぞれ供給されたＵＥ毎のＴＡ測定が、各サービングセルタワー（ネットワークノード）から各サービングセクタによってＬＳＵに提供されてもよい。前述したように、各サービングセルタワー及び各近隣セルタワーの場所座標、各セクタ伝送パターン方位角及び高度を有するタワー毎のセクタの数、ならびにタワーにおける各セクタ位置が既知であることを仮定して、ＬＳＵは、サービングセルタワー及び／または近隣セルタワーに対する各ＵＥ位置を決定し得る。実施形態では、場所決定が、ＵＥにおいて行われてもよいし、またはＵＥ及びＬＳＵもしくはネットワークノード間で分配されてもよい。実施形態では、全ての場所決定が、ＬＳＵまたはネットワークノードにおいて行われ得るか、またはそれらの２つの間で分配され得る。
【０５０２】
ＵＥは、標準的な無線プロトコル／インターフェースを使用して測定結果及び他の情報を無線で通信／受信する。ＬＳＵ及びネットワークノード（複数可）間の情報交換は、プロプライエタリ及び／または１つ以上の規格化インターフェースを使用して、有線ネットワーク、例えばＬＡＮ、ＷＡＮ等を通してもよい。ＬＳＵは、規格化インターフェース及び／またはネットワークキャリアの定義されたインターフェース／ＡＰＩを使用して無線ネットワークインフラストラクチャとインターフェースを取ってもよい。場所決定はまた、ネットワークノード及びＬＳＵ間で分配されてもよいし、またはネットワークノードにおいて単独で行われてもよい。
【０５０３】
上記したＵＥ  ＤＬ位置特定実施形態の場合、アンテナポートマッピング情報がまた、場所を決定するために使用され得る。３ＧＰＰ  ＴＳ３６．２１１ＬＴＥ規格が、ＤＬについてのアンテナポートを定義する。別個の基準信号（パイロット信号）が、各アンテナポートについてのＬＴＥ規格において定義される。それゆえ、ＤＬ信号はまた、アンテナポート情報を運ぶ。この情報は、ＰＤＳＣＨ（物理ダウンリンク共有チャネル）に含まれる。ＰＤＳＣＨは、以下のアンテナポート、すなわち、０、０及び１、０、１、２、及び３）、または５を使用する。これらの論理アンテナポートは、図２６に例示されるように、物理伝送アンテナに割り当てられる（マッピングされる）。結果として、このアンテナポート情報は、アンテナ識別（アンテナＩＤ）のために使用され得る。
【０５０４】
例えば、アンテナポートマッピング情報は、（アンテナ場所が既知であることを仮定して）アンテナ間のＲＦ波入射及び双曲線（複数可）（多辺測量）を決定するために使用され得る。場所決定が行われる場所に応じて、アンテナマッピング情報が、ＬＳＵもしくはＵＥ、またはネットワークノードに利用可能である必要がある。アンテナポートは、異なる時間スロット及び異なるリソース要素内にＣＲＳ信号を配置することによって示されることに留意されたい。１つのＣＲＳ信号のみが、ＤＬアンテナポート毎に伝送される。
【０５０５】
ｅＮＢまたはネットワークノードにおけるＭＩＭＯ（複数入力複数出力）配備の場合には、受信機（複数可）が、所与のＵＥからの到着時間差を決定することができ得る。アンテナの場所を含む、受信機（複数可）マッピング、例えば、ＭＩＭＯマッピングに対するアンテナの知識を用いると、アンテナに対するＲＦ波入射（ＬＯＢ／ＡｏＡ）及び所与のｅＮＢアンテナについての双曲線（複数可）（多辺測量）を決定することもできる。同様に、ＵＥにおいて、ＵＥ受信機（複数可）は、２つ以上のｅＮＢまたはネットワークノード、及びＭＩＭＯアンテナからの到着時間差（複数可）を決定することができる。ｅＮＢアンテナの場所及びアンテナマッピングの知識を用いると、アンテナからのＲＦ波入射（ＬＯＢ／ＡｏＡ）及び所与のｅＮＢアンテナについての双曲線（複数可）（多辺測量）を決定することが可能になる。場所決定が行われる場所に依存して、アンテナマッピング情報は、ＬＳＵもしくはＵＥ、またはネットワークノードに対して利用可能である必要がある。
【０５０６】
ＭＩＭＯの部分集合、例えば、単一入力複数出力（ＳＩＭＯ）、単一出力複数入力（ＳＯＭＩ）、単一入力単一出力（ＳＩＳＯ）等である他の構成が存在する。これらの構成の全ては、位置特定目的のためにアンテナポートマッピング及び／またはＭＩＭＯアンテナマッピング情報によって定義／決定され得る。
【０５０７】
ある態様では、本実施形態が、ＲＴＬＳを含む、物体のＲＦベースの識別、追跡、及び位置特定のための方法ならびにシステムに関する。一実施形態によれば、方法及びシステムは、各クラスタ内で、時間において精密に、例えば１０ｎｓまたはそれより良い範囲内で、同期された受信機及び／または送信機の地理的に分散されたクラスタを利用するが、クラスタ間の時間同期は、かなり正確ではないまたは少しも要求されない可能性がある。１０ｎｓのまたはそれより良い精密な同期時間が、ある特定の実施形態に関して記載されるが、正確な位置特定を達成するために要求された所定の同期時間は、利用されている機器に依存することに留意するのが重要である。例えば、いくつかの無線システム機器について、３ｍの正確性が、正確な場所決定のために要求される場合、所定の時間は、１０ｎｓであるまたはそれより良い必要があり得るが、他の無線システム機器では、５０ｍの場所の正確性は、十分過ぎる可能性がある。それゆえ、所定の時間は、無線システムのための所望の場所正確性に基づく。開示される方法及びシステムは、追跡及び位置特定ＤＬ−ＯＴＤＯＡならびにＵ−ＴＤＯＡ技法の既存の実現形態に対する著しい改良であり、それは、地理的に分散された独立型（個々の）送信機及び／または受信機に頼る。
【０５０８】
例えば、ＤＬ−ＯＴＤＯＡ技法では、近隣基地局（ｅＮＢ）から来る信号間の相対的タイミング差が計算され、ＵＥ位置が、ＵＥ支援を用いるまたは用いないＵＥ（ハンドセット）を有するネットワークにおいて、あるいはネットワーク支援（ＳＵＰＬベースのみでのコントロールプレーンもしくはユーザプレーン）を用いるまたはネットワーク支援を用いないＵＥ（ハンドセット）において推定され得る。ＤＬ−ＯＴＤＯＡでは、３つ以上の基地局からの信号が一旦受信されると、ＵＥは、一対の基地局から来る信号間の相対的タイミング差を測定して、双曲線の位置線（ＬＯＰ）を作り出す。少なくとも３つの基準点（直線に属していない基地局）が、２つの双曲線を定義するために必要である。ＵＥの場所（位置確定）は、これらの２つの双曲線の交点にある（図１１を参照）。ＵＥの位置確定は、基地局のＲＦエミッタの（アンテナ）場所に関連する。ある実施例として、ＬＰＰ（ＬＴＥ測位プロトコル、リリース９）を使用するとき、ＤＬ−ＯＴＤＯＡ位置特定は、ＵＥ支援型であり、Ｅ−ＳＭＬＣ（進化型サービングモバイル位置特定センター）は、サーバベースである。
【０５０９】
Ｕ−ＴＤＯＡ技法は、ＤＬ−ＯＴＤＯＡに類似するが、役割は逆にされる。ここで、近隣場所管理ユニット（ＬＭＵ）が、ＵＥ（ハンドセット）から来るアップリンク信号の相対的到着時間を計算して、ＵＥの位置が、ＵＥの支援なしでネットワークにおいて推定され得る。それゆえ、Ｕ−ＴＤＯＡは、ＬＭＵ支援型であり、Ｅ−ＳＭＬＣ（進化型サービングモバイル位置特定センター）は、サーバベースである。３つ以上のＬＭＵからの相対的到着時間値が一旦利用可能になると、ネットワークのＥ−ＳＭＬＣサーバは、ＵＥの双曲線の位置線（ＬＯＰ）及び場所（位置確定）を作り出す（図２７を参照）。ＵＥの位置確定は、ＬＭＵアンテナ場所に関連する。ある態様では、ＤＬ−ＯＴＤＯＡとは異なり、Ｕ−ＴＤＯＡの場合ではｅＮＢの（基地局の）時間同期は必要ではなく、ＬＭＵ（複数可）のみが、位置特定目的のために高精度の時間同期を必要とする。ある実施例として、ＬＭＵは、本質的に、コンピュータ計算機能を有する受信機である。更なる実施例として、ＬＭＵ受信機が、ＳＤＲ（ソフトウェア定義無線通信）技術を利用する。更なる実施例では、ＬＭＵが、スモールセル、マクロセル、または単に受信だけする特殊用途スモールセル型デバイスであってもよい。
【０５１０】
実現形態に関係なく、ネットワークによって準備されるように、特定のＵＥについてのＳＲＳの場所の相関付けが、ＵＥの識別及び位置特定を可能にする。ＳＲＳの位置特定は、ネットワークレベルにおいて、またはローカルセクタ、例えば、建物についてのＤＡＳ、スモールセル、もしくは特定のエリアを扱うスモールセル及びマクロセルの組み合わせなど内で行われてもよい。ＵＥについてのＳＲＳの場所が先験的に既知ではない場合、解決策は、カバーエリアを通してＵＥの場所を相関付けることができ得る。そのような相関付けは、ＵＥが移動した場所の履歴を示す。いくつかの状況では、ネットワークが、ＳＲＳが特定のＵＥについて位置する場所の指示を提供しない場合でさえも、ＵＥの場所を決定することが望ましい場合がある。ＵＥの場所は、既知点に対するＵＥの場所または近傍を決定することによってＳＲＳと相関付けられ得、それによって、ＵＥを、それが伝送しているＳＲＳと相関付ける。かかる位置特定は、他の場所／近傍の解明、例えばＷｉ−Ｆｉ及びブルートゥース（登録商標）などを通して達成され得る。ユーザはまた、場所の解明に対してそれらのＵＥを識別するために、ＵＥアプリケーション経由でまたは所定の場所まで歩くことによって、それらの場所を識別し得る。
【０５１１】
図１１及び２７には、マクロ基地局のみが示される。また、図２７は、ＬＭＵが、基地局と共に位置していることを描写する。これらの描写は、有効な選択肢であるが、ＬＴＥ規格は、ＬＭＵ配置が多辺測量／三辺測量要件を満たす限り、ＬＭＵが配置され得る場所を規定しない。
【０５１２】
ある態様では、屋内環境についての一般的な配備が、ＤＡＳ（分散型アンテナシステム）及び／またはスモールセルであり、それらは、ＲＦと高度に一体化された安価な基地局である。ＬＭＵ（複数可）は、屋内及び／または構内型環境内にも同様に配置され得、例えば、Ｕ−ＴＤＯＡが、ＤＡＳ及び／またはスモールセル環境内で使用され得る。別の態様では、Ｕ−ＴＤＯＡベースの正確な屋内位置特定が、例えば、ＤＡＳ及び／またはスモールセルを配備する必要性無しで、屋内に位置付けられたＬＭＵ及び外側に位置付けられたマクロセルの組み合わせを用いて達成され得るか、あるいは削減された数のスモールセルを有し得る。それゆえ、ＬＭＵは、ＤＡＳ及び／またはスモールセルが存在してまたは存在せずに、配備され得る。更なる態様では、ＬＭＵは、ＤＡＳ及び／またはスモールセルが存在してまたは存在せずに、セルラー式信号増幅器／ブースタが使用される環境内に配置され得る。
【０５１３】
ＬＴＥリリース１１はまた、単一ユニットへのＬＭＵ及びｅＮＢの一体化を意図する。しかしながら、これは、特に、屋内及び／または他のＧＰＳ／ＧＮＳＳ拒否環境において、個々のスモールセルｅＮＢが地理的に分散される場合に、無線／セルラー式サービスプロバイダが満たす準備のできていない、スモールセル間の時間同期要件に更なる負担をかける。
【０５１４】
ＤＡＳシステムは、地理的に分散されたマクロ／ミニ／スモールセル／ＬＭＵよりもかなり高い度合い（精度）まで本質的に時間同期される。ＤＬ−ＤＴＯＡの解決策を使用すると、ＤＡＳ環境において、時間同期問題を緩和するが、ＤＡＳ環境では、複数のアンテナが、同じセルＩＤ（識別番号）を有する同じダウンリンク信号を伝送するように、単一基地局が、多数の分散型アンテナを扱う。結果として、異なるＩＤを有する信号を発生する識別可能な近隣セル（アンテナ）が存在しないので、伝統的なＤＬ−ＯＴＤＯＡアプローチは失敗する。それにも関わらず、特許文献３に記載されるようなマルチパス軽減プロセッサ及びマルチパス軽減技法／アルゴリズムを利用するときに、ＤＬ−ＯＴＤＯＡ技法を使用すること、ならびに２０１２年８月３日に出願され、ＭＵＬＴＩ−ＰＡＴＨ  ＭＩＴＩＧＡＴＩＯＮ  ＩＮ  ＲＡＮＧＥＦＩＮＤＩＮＧ  ＡＮＤ  ＴＲＡＣＫＩＮＧ  ＯＢＪＥＣＴＳ  ＵＳＩＮＧ  ＲＥＤＵＣＥＤ  ＡＴＴＥＮＵＡＴＩＯＮ  ＲＦ  ＴＥＣＨＮＯＬＯＧＹと題された特許文献１２に記載されるような場所整合性アルゴリズム（複数可）の使用を拡張することができ、それらは、それらの全体が参照によって本明細書に組み込まれる。しかしながら、これらの整合性アルゴリズムは、同じＩＤを有する信号（複数可）を発するアンテナの数に限界がある。１つの解決策は、同じＩＤを発するアンテナの数を削減すること、例えば、多数のＤＡＳアンテナを異なるＩＤを有する２つ以上の時間同期されたクラスタに分配することである。かかる配設は、システム費用を増やし（基地局の数を増やし）、かつハンドセット／ＵＥに上述した技術をサポートすることを要求する。
【０５１５】
ＤＡＳ環境内でＵ−ＴＤＯＡを利用することはまた、ＬＭＵユニットの追加／設置に関連する費用を追加する。しかしながら、ＵＥ（ハンドセット）に対する変更は何も必要とされず、基地局ソフトウェアのみが、Ｕ−ＴＤＯＡ機能をサポートするようにアップグレードされる必要がある。また、複数のＬＭＵをＤＡＳシステムと（に）一体化することができる。したがって、ＬＭＵを用いるＵ−ＴＤＯＡ方法の使用は、屋内で、構内環境において、及び他のＧＰＳ／ＧＮＳＳの厳しい、地理的に限定された環境において利用されるときに多くの利点がある。
【０５１６】
地理的に分散された複数の基地局及び／またはスモールセルならびに／あるいは屋内及び他のＧＰＳ／ＧＮＳＳ拒否環境におけるＬＭＵの中での精密な時間同期は、マクロセル及び／または屋外のマクロセル、例えば、ＧＰＳ／ＧＮＳＳフレンドリな環境において使用されるＬＭＵ機器の時間同期よりも複雑である。これは、屋外環境におけるマクロセルが、高置される及び戸外にあるアンテナを有するからである。結果として、ＧＰＳ／ＧＮＳＳ信号（複数可）品質は、非常に良好であり、マクロセルアンテナ伝送及び／またはＬＭＵ受信機は、十分に大きなエリアにわたって、ＧＰＳ／ＧＮＳＳを使用して非常に高い正確性、すなわち、標準偏差１０ｎｓまで同期され得る。
【０５１７】
ある態様では、屋内及び他のＧＰＳ／ＧＮＳＳ拒否環境のために、複数の分散された基地局及び／またはスモールセル／ＬＭＵの間での時間同期が、多くの基地局ならびに／あるいはスモールセル及び／またはＬＭＵによって共有される同期信号を生成する外部同期源を使用することによって達成される。この同期信号は、ＧＰＳ／ＧＮＳＳ、例えば、１ＰＰＳ信号、及び／またはインターネット／イーサネット（登録商標）ネットワーキング、例えばＰＴＰもしくはＮＴＰ等から導出され得る。後者は、低費用の解決策であるが、それは、正確な位置特定のために要求された時間同期精度を提供することができず、ＧＰＳ／ＧＮＳＳから導出された外部同期信号（複数可）は、より精密な、２０ｎｓに至る標準偏差であるが、追加的なハードウェア及び設置要件、例えば、これらの信号の配線をつなぐことを要求し、より複雑で／高価である。また、基地局及び／またはスモールセルハードウェア／低レベルファームウェアに対する変更が、外部同期信号をより高いレベルの精度に適応するために必要とされ得る。更に、２０ｎｓの標準偏差は、３メートルの要件、例えば、約１０ｎｓの標準偏差を満たすのに十分に正確ではない。
【０５１８】
上述した限定を克服するために、図２８のマルチチャネルＬＭＵ高レベルブロック図によって例示されるように、一実施形態は、複数の受信アンテナ２８０２及び信号チャネル２８０４を有するＬＭＵデバイス２８００を使用する。ある実施例として、１つ以上の信号チャネル２８０４が、信号処理構成要素、例えばＲＦＥ（ＲＦフロントエンド）２８０６、ＲＦダウンコンバータ２８０８、及び／またはアップリンク位置特定プロセッサ２８１０などを含むことができる。他の構成要素及び構成が使用されてもよい。ある態様では、信号チャネル２８０４が、ＬＭＵデバイス２８００内に共に位置し、密接に時間同期される（例えば、約３ｎｓ〜約１０ｎｓの標準偏差）。別の実施例では、各ＬＭＵ信号チャネル２８０４からのアンテナ２８０２が、（例えば、ＤＡＳと同様に）地理的に分散される。更なる実施例として、外部時間同期構成要素（例えば、ＧＰＳ／ＧＮＳＳ、インターネット／イーサネット（登録商標）等）が、ＬＭＵデバイス２８００と通信し得る。精密な時間同期は、いくつかの地理的に分散されたデバイスの密接な同期を試みることによるものよりもデバイス（例えば、ＬＭＵデバイス２８００）の内側でより容易に達成される。
【０５１９】
ある実施例として、２つ以上のマルチチャネルＬＭＵ（例えば、ＬＭＵデバイス２８００）が配備されるとき、これらのＬＭＵ間の時間同期は、低費用及び低複雑性アプローチが（外部源信号を使用して）いくつかの分散型マルチチャネルＬＭＵを同期するために使用され得るように緩和され得る。例えば、インターネット／イーサネット（登録商標）ネットワーキング同期が使用され得るか、または共通センサ（デバイス）が、異なるマルチチャネルＬＭＵ間のタイミング同期を提供するように配備され得る。
【０５２０】
一方、マルチチャネルＬＭＵアプローチは、位置確定を決定する際に使用され得る双曲線の位置線（ＬＯＰ）の数を減らすが、時間同期の改良は、この不足分（以下の説明及び実施例を参照）を克服する。
【０５２１】
多辺測量／三辺測量法を使用すると、ＵＥ測位正確性は、２つの要因、すなわち、マクロセルタワー／スモールセル／ＬＭＵの幾何学的配設に起因する幾何学的な精度の低下（ＧＤＯＰ）、及び単一レンジング
【数１４８】
2019194607.tif 000151
測定の正確性（非特許文献７を参照）と相関している。すなわち、
【数１４９】
2019194607.tif 000152
【０５２２】
ＧＤＯＰは、伝送アンテナ（ＤＬ−ＯＴＤＯＡの場合）または受信アンテナ（Ｕ−ＴＤＯＡの場合）の地理的分散と相関している。規則的に配置されたアンテナの場合では、二次元ＧＤＯＰ推定が、２／√Ｎに等しい（Ｈ．Ｂ．ＬＥＥ、ＡＣＣＵＲＡＣＹ  ＬＩＭＩＴＡＴＩＯＮＳ  ＯＦ  ＨＹＰＥＲＢＯＬＩＣ  ＭＵＬＴＩＬＡＴＥＲＡＴＩＯＮ  ＳＹＳＴＥＭＳ、１９７３）。ここで、セルラー式ネットワークの場合、Ｎは、ＵＥ（ＤＬ−ＯＴＤＯＡの場合）によって「可聴な」エミッタ（マクロセルタワー／スモールセル／ＤＡＳアンテナ）の数、またはＵＥアップリンク伝送（Ｕ−ＴＤＯＡの場合）を「聴く」ことができるＬＭＵ／ＬＭＵ受信チャネルの数である。したがって、ＵＥ位置誤差の標準偏差は、以下のように計算され得る。
【０５２３】
【数１５０】
2019194607.tif 000153
【０５２４】
８つの地理的に（屋内に）分散された（規則的に配置された）単一受信チャネルＬＭＵは、ＵＥアップリンク伝送を検出しており、これらのＬＭＵが、１ＰＰＳ信号（例えば、２０ｎｓの標準偏差）によって同期されることを仮定する。この場合、Ｎ＝８であり、ＵＥ位置確定のために使用され得る７つの独立したＬＯＰが存在する。更に、レンジング誤差標準偏差、σＲが３メートル（約１０ｎｓ）であり、次いで、単一レンジング測定の正確性は、
【数１５１】
2019194607.tif 000154
（６．７メートル）
であり、ここで、σＳＹＮＣが、外部時間同期信号標準偏差（２０ｎｓ）であることを仮定する。この場合（Ｎ＝８）では、単一レンジング測定及びＵＥ位置誤差の標準偏差σＰＯＳが、４．７４メートルに等しい。
【０５２５】
ある実施例として、規則的に配置された分散型アンテナを有する、２つの、４つの受信チャネルＬＭＵ（例えば、マルチチャネルＬＭＵデバイス２８００）が、ＵＥアップリンク伝送を検出している場合には、各ＬＭＵが、１組の３つの密接に時間同期されたＬＯＰ（例えば、約３ｎｓの標準偏差）を生じさせ、３つの独立したＬＯＰの場合、Ｎ＝４である。この場合では、それぞれ３．１２メートルの標準偏差誤差σＰＯＳを有する、２つのＵＥ位置確定が発生される。平均化及び／または他の手段／方法によってこれらの２つの位置確定を組み合わせることは、ＵＥ位置確定誤差を更に低減する。１つの推定は、誤差の低減がＵＥ位置確定の数の平方根に比例することである。本開示では、この数が２に等しく、最終的なＵＥ位置確定誤差σＰＯＳ＿ＦＩＮＡＬは、２．２１メートルであり、３．１２／√２として取得される。
【０５２６】
ある態様では、いくつかのマルチチャネルＬＭＵ（例えば、ＬＭＵデバイス２８００）が、これらのマルチチャネルＬＭＵ間の緩和された同期を伴って、屋内及び他のＧＰＳ／ＧＮＳＳ拒否環境のために使用され得る。ある実施例として、マルチチャネルＬＭＵデバイス内で、ＬＭＵは、密接に同期され得る（例えば、約３ｎｓ〜約１０ｎｓの標準偏差）。別の実施形態は、いくつかの単一チャネルスモールセル／ＬＭＵ及び／または一体型ＬＭＵデバイス電子機器を有する（ＬＭＵ機能がｅＮＢに埋め込まれる）スモールセルが、ラックマウント筐体（図３１、図３２、及び図３３）及び／またはキャビネット、例えば、１９インチのラック内にクラスタ化され得る（例えば、一体化され得る、共に位置し得る等）という事実を活用する。各単一チャネルデバイスアンテナは、ＤＡＳにおけるように、地理的に分散され得る。クラスタ内のデバイスは、密接に時間同期され得る（例えば、１０ｎｓ以下の標準偏差）。複数のラックマウント筐体が、通信要件、例えばＶｏＬＴＥ毎に同期され得、それによって、低費用及び低複雑性のアプローチが使用され得る。ラックマウント筐体／キャビネットの内側にクラスタ化（一体化）されたいくつかのデバイス間の精密な（厳格な）時間同期が、いくつかの地理的に分散されたデバイスを密接に時間同期する場合よりも、より容易に達成され、費用が少ない。
【０５２７】
別の態様では、複数のＬＭＵが、図３４に例示されるようにＤＡＳシステムと（に）一体化され得る。ある実施例として、ＬＭＵ受信機が、各ＤＡＳアンテナによって発生された受信信号（複数可）を共有する、例えば、ＤＡＳアンテナを共有することができる。これらの受信信号の実際の分布は、ＤＡＳ実現形態、すなわち、アクティブＤＡＳ対パッシブＤＡＳに依存する。しかしながら、ＬＭＵ及びＤＡＳ一体型の実施形態は、各ＤＡＳアンテナによって発生された受信信号（複数可）をＬＭＵ受信機チャネルと共有することと、各ＤＡＳアンテナ座標を対応するＬＭＵ／ＬＭＵ受信機チャネルと適合させる（相関させる）暦を生成することと、を必要とする。再び、クラスタ化のアプローチ及び／またはマルチチャネルＬＭＵ（複数可）の利用は、ＬＭＵ及びＤＡＳの一体化に好ましい手法である。
【０５２８】
また、類似の態様では、ＬＭＵ受信機チャネルを有する各スモールセルアンテナによって発生された受信信号（複数可）を共有することができる。ここで、スモールセルの時間同期は緩和され得、例えば、位置特定要件を満たす必要はなく、一方で、ＬＭＵ／ＬＭＵチャネルは、高精度の時間同期を要求する。クラスタ化のアプローチ及び／またはマルチチャネルＬＭＵ（複数可）の利用は、かかる選択肢のためのＬＭＵ（複数可）に好ましい手法である。
【０５２９】
ＬＭＵ及びｅＮＢの単一ユニットへの一体化は、独立型ｅＮＢ及びＬＭＵデバイスの組み合わせよりも費用の利点がある。しかしながら、一体型ＬＭＵ及びｅＮＢ受信機とは異なり、独立型ＬＭＵ受信チャネルは、ＵＥからのデータペイロードを処理する必要がない。なおその上に、ＵＥアップリンクレンジング信号（ＬＴＥの場合では、ＳＲＳ、サウンディング基準信号）は、繰返し可能であり、（サービングセルに対して）時間同期されるので、各独立型ＬＭＵ受信チャネルは、２つ以上のアンテナをサポートし得（それらと時間多重化され得）、例えば２つ以上のスモールセルを扱うことができる。これは、次いで、（スモールセル／ＤＡＳ及び／または他のＵ−ＴＤＯＡ位置特定環境において）ＬＭＵの数を減らすことができ、システムの費用を削減できる（図２８も参照）。
【０５３０】
無線／セルラー式ネットワークＥ−ＳＭＬＣサーバが、ＤＬ−ＯＴＤＯＡ及び／またはＵ−ＴＤＯＡ技法のために要求される機能に欠けている場合、この機能は、ＵＥ及び／またはＬＭＵと通信することができる位置特定サービスサーバならびに無線／セルラー式ネットワークインフラストラクチャ及び／または位置特定サーバによって実行され得る（図２９及び図３０を参照）。他の構成が使用されてもよい。
【０５３１】
別の態様では、１つ以上のＬＭＵデバイス（例えば、ＬＭＵ２８０２）が、例えば、図３５に例示されるように、ＷｉＦｉインフラストラクチャを用いて配備され得る。その代わりに、リスニングデバイスが、ＷｉＦｉインフラストラクチャと同じ様態においてＬＭＵアンテナを監視するために使用され得る。そのように、ＬＭＵデバイス及び／またはＬＭＵにサービス提供するチャネルアンテナが、１つ以上のＷｉＦｉ／リスニングデバイス３５００、例えば、１つ以上のＷｉＦｉアクセス点（ＡＰ）などと共に位置し得る。ある実施例として、ＷｉＦｉデバイス３５００が、地理的に分散され得る。
【０５３２】
一実施形態では、ＷｉＦｉデバイス３５００が電源に接続され得る。１つ以上のＬＭＵデバイスまたはチャネルのＲＦアナログ部分３５０２（例えば、回路）は、ＲＦアナログ部分３５０２がＷｉＦｉデバイス３５００と電源を共有するように、ＬＭＵアンテナと一体化され得る（図３５を参照）。ある実施例として、ＬＭＵデバイスまたはチャネルのＲＦアナログ部分３５０２は、ケーブル経由でアップリンク位置特定プロセッサ回路（例えば、アップリンク位置特定プロセッサ２８１０）に接続され得、それは、ベースバンド信号処理を含むことができる。更なる実施例として、ＲＦアナログ部分３５０２及びベースバンド回路間には、アンテナと相互接続ケーブルの間に信号増幅が存在し得るので、かかる実施形態は、信号対雑音比（ＳＮＲ）の改良を容易にする。その上、ＲＦアナログ部分３５０２は、受信信号を（例えば、ベースバンドに至るまで）ダウンコンバートすることができ、ベースバンド信号周波数は、アンテナにおける受信信号よりもいくらか小さな大きさであるので、ケーブル要件が緩和され得る。ケーブル要件のかかる緩和は、接続費用の低減になり得、伝送距離を著しく増加させることができる。
【０５３３】
レンジング信号は、ＳＲＳのみに限定されず、ＭＩＭＯ、ＣＲＳ（セル特有基準信号）等を含む他の基準信号を利用することができることが理解される。
【０５３４】
それゆえ、システム及び方法の異なる実施形態を記載したが、記載された方法及び装置の一定の利点が実現されていることが、当業者に明らかなはずである。特に、物体を追跡及び位置特定するためのシステムが、非常に小さな費用増分においてＦＧＰＡまたはＡＳＩＣ及び標準的な信号処理ソフトウェア／ハードウェアの組み合わせを使用して組み立てられ得ることが当業者によって認識されるはずである。かかるシステムは、種々の用途、例えば、屋内または屋外環境における、厳しい及び不利な環境等における人間の位置特定において有用である。
【０５３５】
また、様々な修正、適合、及びそれらの代替の実施形態が、本発明の範囲及び趣旨内でなされ得ることも認識されるはずである。
【図１】
2019194607.tif 000155
【図１Ａ】
2019194607.tif 000156
【図２】
2019194607.tif 000157
【図３Ａ】
2019194607.tif 000158
【図３Ｂ】
2019194607.tif 000159
【図３Ｃ】
2019194607.tif 000160
【図４】
2019194607.tif 000161
【図５】
2019194607.tif 000162
【図６】
2019194607.tif 000163
【図７】
2019194607.tif 000164
【図８】
2019194607.tif 000165
【図９】
2019194607.tif 000166
【図１０】
2019194607.tif 000167
【図１１】
2019194607.tif 000168
【図１２】
2019194607.tif 000169
【図１３】
2019194607.tif 000170
【図１４】
2019194607.tif 000171
【図１５】
2019194607.tif 000172
【図１６】
2019194607.tif 000173
【図１７】
2019194607.tif 000174
【図１８】
2019194607.tif 000175
【図１９】
2019194607.tif 000176
【図２０】
2019194607.tif 000177
【図２１】
2019194607.tif 000178
【図２２】
2019194607.tif 000179
【図２３】
2019194607.tif 000180
【図２４】
2019194607.tif 000181
【図２５】
2019194607.tif 000182
【図２６】
2019194607.tif 000183
【図２７】
2019194607.tif 000184
【図２８】
2019194607.tif 000185
【図２９】
2019194607.tif 000186
【図３０】
2019194607.tif 000187
【図３１】
2019194607.tif 000188
【図３２】
2019194607.tif 000189
【図３３】
2019194607.tif 000190
【図３４】
2019194607.tif 000191
【図３５】
2019194607.tif 000192
【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
無線システム内の１つ以上のモバイル通信デバイスの場所を決定するための方法であって、
既知の位置に静止した場所管理ユニットであって、ハードウェア及びソフトウェア構成要素からそれぞれ構成されかつ互いに時間同期される２つ以上の共に位置するチャネルを有する場所管理ユニット経由で、地理的に分散された複数のモバイル通信デバイスのうちの１つのモバイル通信デバイスから基準信号を受信することと、
前記受信された基準信号を利用して、前記地理的に分散された複数のモバイル通信デバイスのうちの少なくとも１つのモバイル通信デバイスの場所を計算することと、を含む、方法。
【請求項２】
前記２つ以上の共に位置するチャネルのそれぞれが、場所管理ユニットカードまたはスモールセルを備える、請求項１に記載の方法。
【請求項３】
前記２つ以上の共に位置するチャネルのそれぞれが、同じラックマウントシステムと一体化される、請求項１に記載の方法。
【請求項４】
前記共に位置するチャネルが、前記無線システムについての前記場所の所望の正確性に基づいて、所定時間の標準偏差内で同期される、請求項１に記載の方法。
【請求項５】
前記所定時間が１０ｎｓ以下である、請求項４に記載の方法。
【請求項６】
前記利用するステップが、１つ以上の位置線（ＬＯＰ）を利用することを含む、請求項１に記載の方法。
【請求項７】
前記基準信号が、前記地理的に分散された複数のモバイル通信デバイスのアンテナから受信される、請求項１に記載の方法。
【請求項８】
前記基準信号が、前記２つ以上の共に位置するチャネルと通信するアンテナの共有グループから受信される、請求項１に記載の方法。
【請求項９】
前記場所管理ユニットまたは前記場所管理ユニットにサービス提供するアンテナが、ＷｉＦｉデバイスと共に位置する、請求項１に記載の方法。
【請求項１０】
前記場所管理ユニットが、前記ＷｉＦｉデバイスと電源を共有する、請求項９に記載の方法。
【請求項１１】
前記場所管理ユニットにサービス提供する前記アンテナが、前記ＷｉＦｉデバイスと電源を共有する、請求項９に記載の方法。
【外国語明細書】
2019194607000001.pdf